(57)【要約】  本開示の一態様では、方法、コンピュータ可読媒体、および装置が提供される。装置は、複数のＳＴＡの各ＳＴＡがＡＰとのアップリンクトラフィックを有すること、または複数のＳＴＡのサブセットの各ＳＴＡが隠れノードを有することのうちの少なくとも１つに基づいて、ＭＲＰを共同でイネーブルおよびディセーブルにするように複数のＳＴＡに要求するＡＰであり得る。ＡＰは、ＭＲＰを共同でイネーブルまたはディセーブルにする間、ＳＴＡから通信メトリックを示す情報を受信する。ＡＰは、通信メトリックを示す受信された情報に基づいて、媒体予約手順の共同イネーブル化が複数のＳＴＡ向けの通信を改善するかどうかを決定する。ＡＰは、媒体予約手順の共同イネーブル化が複数のＳＴＡ向けの通信を改善するとき、後続の通信のために媒体予約手順を共同でイネーブルにするようにＳＴＡに要求する。
2017531383.tif 000002
【特許請求の範囲】
【請求項１】
アクセスポイント（ＡＰ）のワイヤレス通信の方法であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、
前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を備える、方法。
【請求項２】
前記複数のＳＴＡの各々が、隠れノードを有すると決定することをさらに備え、
前記ＡＰが前記複数のＳＴＡに関連して前記隠れノードから干渉を受けることに基づいて、前記複数のＳＴＡは前記媒体予約手順を共同でイネーブルおよびディセーブルにするように要求される、請求項１に記載の方法。
【請求項３】
ＳＴＡの前記サブセットの各ＳＴＡが、前記ＡＰに対する干渉を引き起こす隠れノードを有すると決定することをさらに備え、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、請求項１に記載の方法。
【請求項４】
前記媒体予約手順は、送信要求（ＲＴＳ）／送信可（ＣＴＳ）手順を利用する、請求項１に記載の方法。
【請求項５】
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、請求項１に記載の方法。
【請求項６】
前記媒体予約手順を共同でイネーブルおよびディセーブルにするように前記複数のＳＴＡに前記要求することは、
第１の時間期間内に前記媒体予約手順を共同でイネーブルにし、第２の時間期間内に前記媒体予約手順を共同でディセーブルにするように前記複数のＳＴＡに要求すること
を含み、
前記媒体予約手順の前記共同イネーブル化が通信を改善するかどうかを前記決定することは、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を含み、前記通信メトリックの前記改善が第１のしきい値を満たすとき、前記複数のＳＴＡ向けの前記通信が改善されると決定される、請求項１に記載の方法。
【請求項７】
前記第１の時間期間内の前記複数のＳＴＡの前記通信メトリックと、前記第２の時間期間内の前記複数のＳＴＡの前記通信メトリックとを前記決定することは、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を含み、前記通信メトリックの前記改善は、前記第１の値および前記第２の値に基づいて決定される、請求項６に記載の方法。
【請求項８】
前記第１の時間期間内に前記媒体予約手順を共同でイネーブルにし、前記第２の時間期間内に前記媒体予約手順を共同でディセーブルにするように前記複数のＳＴＡに前記要求することは、
前記第１の時間期間を示す第１の時間インジケータを前記複数のＳＴＡに送信することと、
前記第２の時間期間を示す第２の時間インジケータを前記複数のＳＴＡに送信することと、
を備える、請求項６に記載の方法。
【請求項９】
前記第１の時間期間内に前記媒体予約手順を共同でイネーブルにし、前記第２の時間期間内に前記媒体予約手順を共同でディセーブルにするように前記複数のＳＴＡに前記要求することは、
前記複数のＳＴＡの前記各ＳＴＡを識別するＳＴＡインジケータを、前記複数のＳＴＡに送信すること、
を備える、請求項６に記載の方法。
【請求項１０】
前記ＳＴＡインジケータは、フレームの情報要素（ＩＥ）に含まれるか、またはフレーム内の情報ビットである、請求項９に記載の方法。
【請求項１１】
前記ＡＰが、ＳＴＡの前記サブセットの第１のＳＴＡから受信されるデータパケットの受信中に信号メトリックの変化を検出するとき、前記第１のＳＴＡが隠れノードを有すると決定することをさらに備える、請求項１に記載の方法。
【請求項１２】
前記第１のＳＴＡから前記データパケットを受信することと、
前記データパケットの第１の位置における前記信号メトリックの第１の値を決定することと、
前記データパケットの第２の位置における前記信号メトリックの第２の値を決定することと、
をさらに備え、前記信号メトリックの前記変化は、前記第１の値および前記第２の値に基づいて検出される、請求項１１に記載の方法。
【請求項１３】
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、請求項１１に記載の方法。
【請求項１４】
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定することをさらに備える、請求項１に記載の方法。
【請求項１５】
前記ＡＰが、ＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定することをさらに備える、請求項１に記載の方法。
【請求項１６】
前記ＡＰが、ＳＴＡの前記サブセットの第１のＳＴＡから報告を受信するとき、前記第１のＳＴＡが隠れノードを有すると決定することをさらに備え、前記報告は前記第１のＳＴＡの前記隠れノードの識別情報を含む、請求項１に記載の方法。
【請求項１７】
アクセスポイント（ＡＰ）である、ワイヤレス通信のための装置であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求するための手段と、
前記媒体予約手順を共同でイネーブルまたはディセーブルにする間、前記複数のＳＴＡから通信メトリックを示す情報を受信するための手段と、
前記通信メトリックを示す前記受信された情報に基づいて、前記媒体予約手順の前記共同イネーブル化が前記複数のＳＴＡ向けの通信を改善するかどうかを決定するための手段と、
前記媒体予約手順の前記共同イネーブル化が前記複数のＳＴＡ向けの通信を改善するとき、後続の通信のために前記媒体予約手順を共同でイネーブルにするように前記複数のＳＴＡに要求するための手段と、
を備える、装置。
【請求項１８】
前記複数のＳＴＡの各々が、隠れノードを有すると決定するための手段をさらに備え、
前記ＡＰが前記複数のＳＴＡに関連して前記隠れノードから干渉を受けることに基づいて、前記複数のＳＴＡは前記媒体予約手順を共同でイネーブルおよびディセーブルにするように要求される、請求項１７に記載の装置。
【請求項１９】
ＳＴＡの前記サブセットの各ＳＴＡが、前記ＡＰに対する干渉を引き起こす隠れノードを有すると決定するための手段をさらに備え、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、請求項１７に記載の装置。
【請求項２０】
前記媒体予約手順は、送信要求（ＲＴＳ）／送信可（ＣＴＳ）手順を利用する、請求項１７に記載の装置。
【請求項２１】
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、請求項１７に記載の装置。
【請求項２２】
前記媒体予約手順を共同でイネーブルおよびディセーブルにするように前記複数のＳＴＡに要求するための前記手段は、
第１の時間期間内に前記媒体予約手順を共同でイネーブルにし、第２の時間期間内に前記媒体予約手順を共同でディセーブルにするように前記複数のＳＴＡに要求すること、
を行うようにさらに構成され、
前記媒体予約手順の前記共同イネーブル化が通信を改善するかどうかを決定するための前記手段は、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善点を決定することと、
を行うようにさらに構成され、前記通信メトリックの前記改善が第１のしきい値を満たすとき、前記複数のＳＴＡ向けの前記通信が改善されると決定される、請求項１７に記載の装置。
【請求項２３】
前記第１の時間期間内の前記複数のＳＴＡの前記通信メトリックと、前記第２の時間期間内の前記複数のＳＴＡの前記通信メトリックとを決定するための前記手段は、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を行うようにさらに構成され、前記通信メトリックの前記改善は、前記第１の値および前記第２の値に基づいて決定される、請求項２２に記載の装置。
【請求項２４】
前記第１の時間期間内に前記媒体予約手順を共同でイネーブルにし、前記第２の時間期間内に前記媒体予約手順を共同でディセーブルにするように前記複数のＳＴＡに要求するための前記手段は、
前記第１の時間期間を示す第１の時間インジケータを前記複数のＳＴＡに送信することと、
前記第２の時間期間を示す第２の時間インジケータを前記複数のＳＴＡに送信することと、
を行うようにさらに構成される、請求項２２に記載の装置。
【請求項２５】
前記第１の時間期間内に前記媒体予約手順を共同でイネーブルにし、前記第２の時間期間内に前記媒体予約手順を共同でディセーブルにするように前記複数のＳＴＡに要求するための前記手段は、前記複数のＳＴＡに、前記複数のＳＴＡの前記各ＳＴＡを識別するＳＴＡインジケータを送信するようにさらに構成される、請求項２２に記載の装置。
【請求項２６】
前記ＳＴＡインジケータは、フレームの情報要素（ＩＥ）に含まれるか、またはフレーム内の情報ビットである、請求項２５に記載の装置。
【請求項２７】
前記ＡＰが、ＳＴＡの前記サブセットの第１のＳＴＡから受信されるデータパケットの受信中に信号メトリックの変化を検出するとき、前記第１のＳＴＡが隠れノードを有すると決定するための手段をさらに備える、請求項１７に記載の装置。
【請求項２８】
前記第１のＳＴＡから前記データパケットを受信するための手段と、
前記データパケットの第１の位置における前記信号メトリックの第１の値を決定するための手段と、
前記データパケットの第２の位置における前記信号メトリックの第２の値を決定するための手段と、
をさらに備え、前記信号メトリックの前記変化は、前記第１の値および前記第２の値に基づいて検出される、請求項２７に記載の装置。
【請求項２９】
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、請求項２７に記載の装置。
【請求項３０】
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定するための手段をさらに備える、請求項１７に記載の装置。
【請求項３１】
前記ＡＰが、ＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定するための手段をさらに備える、請求項１７に記載の装置。
【請求項３２】
前記ＡＰが、ＳＴＡの前記サブセットの第１のＳＴＡから報告を受信するとき、前記第１のＳＴＡが隠れノードを有すると決定するための手段をさらに備え、前記報告は前記第１のＳＴＡの前記隠れノードの識別情報を含む、請求項１７に記載の装置。
【請求項３３】
ワイヤレス通信のための装置であって、前記装置はアクセスポイント（ＡＰ）であり、
メモリと、
前記メモリに結合された少なくとも１つのプロセッサと、
を備え、前記少なくとも１つのプロセッサは、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、
前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を行うように構成される、装置。
【請求項３４】
前記少なくとも１つのプロセッサは、前記複数のＳＴＡの各々が隠れノードを有すると決定するようにさらに構成され、
前記ＡＰが前記複数のＳＴＡに関連して前記隠れノードから干渉を受けることに基づいて、前記複数のＳＴＡが前記媒体予約手順を共同でイネーブルおよびディセーブルにするように要求される、請求項３３に記載の装置。
【請求項３５】
前記少なくとも１つのプロセッサは、ＳＴＡの前記サブセットの各ＳＴＡが、前記ＡＰに対する干渉を引き起こす隠れノードを有すると決定するようにさらに構成され、
前記複数のＳＴＡが各々アップリンクトラフィックを有すること、および前記複数のＳＴＡに対するＳＴＡの前記サブセットの割合がしきい値を満たすことに基づいて、前記複数のＳＴＡは前記媒体予約手順を共同でイネーブルおよびディセーブルにするように要求される、請求項３３に記載の装置。
【請求項３６】
前記媒体予約手順は、送信要求（ＲＴＳ）／送信可（ＣＴＳ）手順を利用する、請求項３３に記載の装置。
【請求項３７】
前記通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む、請求項３３に記載の装置。
【請求項３８】
前記媒体予約手順を共同でイネーブルおよびディセーブルにするように前記複数のＳＴＡに要求するために、前記少なくとも１つのプロセッサは、
第１の時間期間内に前記媒体予約手順を共同でイネーブルにし、第２の時間期間内に前記媒体予約手順を共同でディセーブルにするように前記複数のＳＴＡに要求すること、
を行うようにさらに構成され、
前記媒体予約手順の前記共同イネーブル化が通信を改善するかどうかを決定するために、前記少なくとも１つのプロセッサは、
前記第１の時間期間内の前記複数のＳＴＡの前記通信メトリックと、前記第２の時間期間内の前記複数のＳＴＡの前記通信メトリックとを決定することと、
前記第２の時間期間内の前記通信メトリックと比較して前記第１の時間期間内の前記通信メトリックの改善を決定することと、
を行うようにさらに構成され、前記通信メトリックの前記改善が第１のしきい値を満たすとき、前記複数のＳＴＡ向けの前記通信が改善されると決定される、請求項３３に記載の装置。
【請求項３９】
前記第１の時間期間内の前記複数のＳＴＡの前記通信メトリックと、前記第２の時間期間内の前記複数のＳＴＡの前記通信メトリックとを決定するために、前記少なくとも１つのプロセッサは、
前記第１の時間期間内に前記媒体予約手順の共同イネーブル化を用いて、前記複数のＳＴＡの各ＳＴＡからデータを受信することと、
前記第１の時間期間内に前記各ＳＴＡから受信された前記データに基づいて、前記複数のＳＴＡの各ＳＴＡについて前記通信メトリックのそれぞれの第１の値を決定することと、
前記第２の時間期間内に前記媒体予約手順の共同ディセーブル化を用いて、前記複数のＳＴＡの各ＳＴＡからデータを受信することと、
前記第２の時間期間内に前記各ＳＴＡから受信された前記データに基づいて、前記複数のＳＴＡの各ＳＴＡについて前記通信メトリックのそれぞれの第２の値を決定することと、
を行うようにさらに構成され、前記通信メトリックの前記改善は前記第１の値および前記第２の値に基づいて決定される、請求項３８に記載の装置。
【請求項４０】
前記第１の時間期間内に前記媒体予約手順を共同でイネーブルにし、前記第２の時間期間内に前記媒体予約手順を共同でディセーブルにするように前記複数のＳＴＡに要求するために、前記少なくとも１つのプロセッサは、
前記第１の時間期間を示す第１の時間インジケータを前記複数のＳＴＡに送信することと、
前記第２の時間期間を示す第２の時間インジケータを前記複数のＳＴＡに送信することと、
を行うようにさらに構成される、請求項３８に記載の装置。
【請求項４１】
前記第１の時間期間内に前記媒体予約手順を共同でイネーブルにし、前記第２の時間期間内に前記媒体予約手順を共同でディセーブルにするように前記複数のＳＴＡに要求するために、前記少なくとも１つのプロセッサは、前記複数のＳＴＡの前記各ＳＴＡを識別するＳＴＡインジケータを、前記複数のＳＴＡに送信するようにさらに構成される、請求項３８に記載の装置。
【請求項４２】
前記ＳＴＡインジケータは、フレームの情報要素（ＩＥ）に含まれるか、またはフレーム内の情報ビットである、請求項４１に記載の装置。
【請求項４３】
前記少なくとも１つのプロセッサは、前記ＡＰが、ＳＴＡの前記サブセットの第１のＳＴＡから受信されるデータパケットの受信中に信号メトリックの変化を検出するとき、前記第１のＳＴＡが隠れノードを有すると決定するようにさらに構成される、請求項３３に記載の装置。
【請求項４４】
前記少なくとも１つのプロセッサは、
前記第１のＳＴＡから前記データパケットを受信することと、
前記データパケットの第１の位置における前記信号メトリックの第１の値を決定することと、
前記データパケットの第２の位置における前記信号メトリックの第２の値を決定することと、
を行うようにさらに構成され、前記信号メトリックの前記変化は、前記第１の値および前記第２の値に基づいて検出される、請求項４３に記載の装置。
【請求項４５】
前記信号メトリックは、受信信号強度指示（ＲＳＳＩ）、推定チャネル係数、推定位相オフセット、推定周波数オフセット、または測定パイロットエラーベクトルの大きさのうちの少なくとも１つを含む、請求項４３に記載の装置。
【請求項４６】
前記少なくとも１つのプロセッサは、
ＳＴＡの前記サブセットの第１のＳＴＡからのデータパケット内の１つまたは複数のデータユニットが前記ＡＰにおいて正しく受信されなかったことを前記ＡＰが検出するとき、前記第１のＳＴＡが隠れノードを有すると決定するように、さらに構成される、請求項３３に記載の装置。
【請求項４７】
前記少なくとも１つのプロセッサは、
前記ＡＰがＳＴＡの前記サブセットの第１のＳＴＡから受信されたパケットについての推定パケット誤り率（ＰＥＲ）と測定ＰＥＲとの間の差を検出するとき、前記第１のＳＴＡが隠れノードを有すると決定するように、さらに構成される、請求項３３に記載の装置。
【請求項４８】
前記少なくとも１つのプロセッサは、
前記ＡＰがＳＴＡの前記サブセットの第１のＳＴＡから報告を受信するとき、前記第１のＳＴＡが隠れノードを有すると決定するように、さらに構成され、
前記報告は前記第１のＳＴＡの前記隠れノードの識別情報を含む、請求項３３に記載の装置。
【請求項４９】
アクセスポイント（ＡＰ）のワイヤレス通信のためのコンピュータ実行可能コードを記憶するコンピュータ可読媒体であって、
複数のステーション（ＳＴＡ）の各ＳＴＡが前記ＡＰとのアップリンクトラフィックを有すること、または前記複数のＳＴＡのうちのＳＴＡのサブセットの各ＳＴＡが、前記ＡＰにデータを送信し、前記ＡＰと前記各ＳＴＡとの間の通信を妨害する隠れノードを有すること、のうちの少なくとも１つに基づいて、前記複数のＳＴＡに、データ送信用の媒体を予約する媒体予約手順を共同でイネーブルおよびディセーブルにするように要求することと、
前記媒体予約手順を共同でイネーブルまたはディセーブルにする間、前記複数のＳＴＡから通信メトリックを示す情報を受信することと、
前記通信メトリックを示す前記受信された情報に基づいて、前記媒体予約手順の前記共同イネーブル化が前記複数のＳＴＡ向けの通信を改善するかどうかを決定することと、
前記媒体予約手順の前記共同イネーブル化が前記複数のＳＴＡ向けの通信を改善するとき、後続の通信のために前記媒体予約手順を共同でイネーブルにするように前記複数のＳＴＡに要求することと、
を行うためのコードを備える、コンピュータ可読媒体。
【請求項５０】
第１のステーション（ＳＴＡ）のワイヤレス通信の方法であって、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を備え、前記第１の要求は、データ送信を受信するための受信側の利用可能性を告知するように前記第２のＳＴＡに要求する、方法。
【請求項５１】
前記第１の要求は、前記第１のＳＴＡにおけるチャネル負荷を含む、請求項５０に記載の方法。
【請求項５２】
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、請求項５０に記載の方法。
【請求項５３】
前記第２のＳＴＡがポーリング手順を実行することを示す第１の承認を前記第２のＳＴＡから受信することと、
前記ポーリング手順に従ってポーリングメッセージを受信することと、ここで、前記ポーリングメッセージは、前記第２のＳＴＡがデータ送信のために利用可能であることを示し、
前記ポーリングメッセージに応答して前記第２のＳＴＡにデータを送信することと、
をさらに備える、請求項５０に記載の方法。
【請求項５４】
前記ＲＴＳ／ＣＴＳ手順を実行するように前記第１のＳＴＡに要求する第２の要求を、前記第２のＳＴＡから受信することと、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定することと、
前記第１のＳＴＡが前記ＲＴＳ／ＣＴＳ手順を実行することを示す第２の承認を、前記第２のＳＴＡに送信することと、
をさらに備える、請求項５３に記載の方法。
【請求項５５】
ワイヤレス通信のための装置であって、前記装置は、第１のステーション（ＳＴＡ）であり、
送信要求（ＲＴＳ）／送信可（ＣＴＳ）手順に従って、第２のＳＴＡに１つまたは複数のＲＴＳメッセージを送るための手段と、
前記第２のＳＴＡから前記ＲＴＳメッセージに応答する０個以上のＣＴＳメッセージを受信するための手段と、
前記ＲＴＳメッセージおよび前記ＣＴＳメッセージに基づいて応答率を決定するための手段と、
前記応答率が第１のしきい値を満たすとき、前記第２のＳＴＡに第１の要求を送るための手段と、
を備え、前記第１の要求は、データ送信を受信するための受信側の利用可能性を告知するように前記第２のＳＴＡに要求する、装置。
【請求項５６】
前記第１の要求は、前記第１のＳＴＡにおけるチャネル負荷を含む、請求項５５に記載の装置。
【請求項５７】
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、請求項５５に記載の装置。
【請求項５８】
前記第２のＳＴＡがポーリング手順を実行することを示す第１の承認を、前記第２のＳＴＡから受信するための手段と、
前記ポーリング手順に従ってポーリングメッセージを受信するための手段と、ここで、前記ポーリングメッセージは、前記第２のＳＴＡがデータ送信に利用可能であることを示し、
前記ポーリングメッセージに応答して前記第２のＳＴＡにデータを送信するための手段と、
をさらに備える、請求項５５に記載の装置。
【請求項５９】
前記ＲＴＳ／ＣＴＳ手順を実行するように前記第１のＳＴＡに要求する第２の要求を、前記第２のＳＴＡから受信するための手段と、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定するための手段と、
前記第１のＳＴＡが前記ＲＴＳ／ＣＴＳ手順を実行することを示す第２の承認を、前記第２のＳＴＡに送信するための手段と、
をさらに備える、請求項５８に記載の装置。
【請求項６０】
ワイヤレス通信のための装置であって、前記装置は、第１のステーション（ＳＴＡ）であり、
メモリと、
前記メモリに結合された少なくとも１つのプロセッサと、
を備え、前記少なくとも１つのプロセッサは、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を行うように構成され、前記第１の要求は、データ送信を受信するための受信側の利用可能性を告知するように前記第２のＳＴＡに要求する、装置。
【請求項６１】
前記第１の要求は、前記第１のＳＴＡにおけるチャネル負荷を含む、請求項６０に記載の装置。
【請求項６２】
前記１つまたは複数のＲＴＳメッセージは第１の数のＲＴＳメッセージを含み、前記０個以上のＣＴＳメッセージは第２の数のＣＴＳメッセージを含み、前記応答率は前記第１の数および前記第２の数に基づいて決定される、請求項６０に記載の装置。
【請求項６３】
前記少なくとも１つのプロセッサは、
前記第２のＳＴＡがポーリング手順を実行することを示す第１の承認を、前記第２のＳＴＡから受信することと、
前記ポーリング手順に従ってポーリングメッセージを受信することと、ここで、前記ポーリングメッセージは、前記第２のＳＴＡがデータ送信に利用可能であることを示す、
前記ポーリングメッセージに応答して前記第２のＳＴＡにデータを送信することと、
を行うようにさらに構成される、請求項６０に記載の装置。
【請求項６４】
前記少なくとも１つのプロセッサは、
前記ＲＴＳ／ＣＴＳ手順を実行するように前記第１のＳＴＡに要求する第２の要求を、前記第２のＳＴＡから受信することと、ここで、前記第２の要求は前記第２のＳＴＡにおけるチャネル負荷を含み、
前記第２のＳＴＡにおける前記チャネル負荷と前記第１のＳＴＡにおけるチャネル負荷との間の差が第２のしきい値を満たすと決定することと、
前記第１のＳＴＡが前記ＲＴＳ／ＣＴＳ手順を実行することを示す第２の承認を、前記第２のＳＴＡに送信することと、
を行うようにさらに構成される、請求項６３に記載の装置。
【請求項６５】
第１のステーション（ＳＴＡ）のワイヤレス通信のためのコンピュータ実行可能コードを記憶するコンピュータ可読媒体であって、
送信要求（ＲＴＳ）／送信可（ＣＴＳ）手順に従って、第２のＳＴＡに１つまたは複数のＲＴＳメッセージを送ることと、
前記第２のＳＴＡから前記ＲＴＳメッセージに応答する０個以上のＣＴＳメッセージを受信することと、
前記ＲＴＳメッセージおよび前記ＣＴＳメッセージに基づいて応答率を決定することと、
前記応答率が第１のしきい値を満たすとき、前記第２のＳＴＡに第１の要求を送ることと、
を行うためのコードを備え、前記第１の要求は、データ送信を受信するための受信側の利用可能性を告知するように前記第２のＳＴＡに要求する、コンピュータ可読媒体。
【発明の詳細な説明】
【優先権の主張】
【０００１】
関連出願の相互参照
本出願は、その全体が参照により本明細書に明確に組み込まれる、２０１４年９月１５日に出願された「ＥＮＨＡＮＣＥＤ  ＲＴＳ／ＣＴＳ  ＥＮＡＢＬＥＭＥＮＴ  ＡＮＤ  ＤＥＴＥＣＴＩＯＮ」と題する米国仮出願第６２／０５０，６９１号、および２０１５年９月１１日に出願された「ＥＮＨＡＮＣＥＤ  ＲＴＳ／ＣＴＳ  ＥＮＡＢＬＥＭＥＮＴ  ＡＮＤ  ＤＥＴＥＣＴＩＯＮ」と題する米国特許出願第１４／８５２，４３４号の利益を主張する。
【技術分野】
【０００２】
本開示は、一般に、通信システムに関し、より詳細には、拡張送信要求（ＲＴＳ）／送信可（ＣＴＳ）のイネーブル化および検出に関する。
【背景技術】
【０００３】
[0003]多くの電気通信システムでは、いくつかの対話している空間的に分離されたデバイスの間でメッセージを交換するために、通信ネットワークが使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定される。ネットワークはまた、様々なネットワークノードとデバイスとを相互接続するために使用される交換／ルーティング技法（たとえば、回線交換対パケット交換）、送信に利用される物理媒体のタイプ（たとえば、有線対ワイヤレス）、および使用される通信プロトコルのセット（たとえば、インターネットプロトコルスイート、同期光ネットワーキング（ＳＯＮＥＴ）、イーサネット（登録商標）など）によって異なる。
【０００４】
[0004]ワイヤレスネットワークは、ネットワーク要素がモバイルであり、したがって動的な接続を必要とするとき、またはネットワークアーキテクチャが固定されたトポロジではなくアドホックなトポロジで形成される場合に好ましいことが多い。ワイヤレスネットワークは、無線、マイクロ波、赤外線、光などの周波数帯域内の電磁波を使用する非誘導伝搬モードでは、無形物理媒体を利用する。ワイヤレスネットワークは、有利なことに、固定された有線ネットワークと比較すると、ユーザモビリティと迅速なフィールド展開とを容易にする。
【発明の概要】
【０００５】
[0005]本発明のシステム、方法、コンピュータプログラム製品、およびデバイスは、各々いくつかの態様を有するが、それらの態様のどれ１つとして、単独で本発明の望ましい属性を担うことはない。次に、以下の特許請求の範囲によって表される本発明の範囲を限定することなく、いくつかの特徴が簡単に説明される。この説明を考察すれば、特に「発明を実施するための形態」と題するセクションを読めば、本発明の特徴が、ワイヤレスネットワークにおけるデバイス用の改善された狭帯域チャネル選択を含む利点をどのように提供するかが理解されよう。
【０００６】
[0006]本開示の一態様では、方法、コンピュータ可読媒体、および装置が提供される。装置はＡＰであり得る。ＡＰは、複数のＳＴＡに、当該複数のＳＴＡの各ＳＴＡが当該ＡＰとのアップリンクトラフィックを有すること、または当該複数のＳＴＡのうちのＳＴＡのサブセットの各ＳＴＡが、当該ＡＰにデータを送信し、当該ＡＰと各ＳＴＡとの間の通信を妨害する隠れノードを有すること、のうちの少なくとも１つに基づいて、通信のための媒体予約手順（ＭＲＰ）を共同でイネーブルおよびディセーブルにするように要求する。当該ＡＰは、通信のための媒体予約手順を共同でイネーブルまたはディセーブルにする間、当該複数のＳＴＡから通信メトリックを示す情報を受信する。当該ＡＰは、通信メトリックを示す受信された情報に基づいて、媒体予約手順の共同イネーブル化が当該複数のＳＴＡ向けの通信を改善するかどうかを決定する。当該ＡＰは、媒体予約手順の共同イネーブル化が複数のＳＴＡ向けの通信を改善する場合、後続の通信のために媒体予約手順を共同でイネーブルにするように当該複数のＳＴＡに要求する。
【０００７】
[0007]本開示の別の態様では、方法、コンピュータ可読媒体、および装置が提供される。装置は第１のＳＴＡであり得る。第１のＳＴＡは、ＲＴＳ／ＣＴＳ手順に従って、第２のＳＴＡに１つまたは複数のＲＴＳメッセージを送る。第１のＳＴＡは、第２のＳＴＡから、ＲＴＳメッセージに応答する０個以上のＣＴＳメッセージを受信する。第１のＳＴＡは、ＲＴＳメッセージおよびＣＴＳメッセージに基づいて応答率を決定する。第１のＳＴＡは、応答率がしきい値を満たすとき、第２のＳＴＡに第１の切替え要求を送る。第１の切替え要求は、ポーリング手順を実行するように第２のＳＴＡに要求する。ポーリング手順は、データ送信を受信するための受信側の利用可能性を告知する。
【図面の簡単な説明】
【０００８】
【図１】本開示の態様が利用され得る例示的なワイヤレス通信システムを示す図。
【図２】図１のワイヤレス通信システム内で利用され得る例示的なワイヤレスデバイスの機能ブロック図。
【図３】ワイヤレスネットワーク内のワイヤレスデバイスを示す図。
【図４】ワイヤレスネットワーク内のフルバッファ隣接デバイスを有するワイヤレスデバイスの間の信号通信を示す図。
【図５】ワイヤレスネットワーク内のＲＴＳ／ＣＴＳイネーブル化技法を実施するワイヤレスデバイスの間の信号通信を示す図。
【図６】ワイヤレスネットワーク内のワイヤレスデバイスの間の信号通信を示す図。
【図７】ＲＴＳ／ＣＴＳ手順の共同イネーブル化を通知するために使用される情報要素のフォーマットを示す図。
【図８】ワイヤレスネットワーク内のワイヤレスデバイスの間の信号通信を示す図。
【図９】ワイヤレスネットワーク内のワイヤレスデバイスを示す図。
【図１０】ワイヤレスネットワーク内のワイヤレスデバイスの間の信号通信を示す図。
【図１１】媒体予約手順の共同イネーブル化の例示的な方法のフローチャート。
【図１２】通信メトリックの改善点を決定するための例示的な方法のフローチャート。
【図１３】ＲＴＳ／ＣＴＳ手順からポーリング手順に切り替えるための例示的な方法のフローチャート。
【図１４】]媒体予約手順を共同でイネーブルにするためのワイヤレス通信の第１の方法のフローチャート。
【図１５】隠れノードの存在を決定するためのワイヤレス通信の方法のフローチャート。
【図１６】干渉を決定するためのワイヤレス通信の方法のフローチャート。
【図１７】すべての受信局で媒体予約手順を共同でイネーブルにするためのワイヤレス通信の方法のフローチャート。
【図１８】媒体予約手順を使用することがスループットを改善できるかどうかを評価するためのワイヤレス通信の第１の方法のフローチャート。
【図１９】隠れノードの存在を決定するためのワイヤレス通信の第２の方法のフローチャート。
【図２０】ステーションにおいて媒体予約手順を共同でイネーブルにするためのワイヤレス通信の方法のフローチャート。
【図２１】信号メトリックに基づいて媒体予約手順をイネーブルにするべきかどうかを決定するためのワイヤレス通信の方法のフローチャート。
【図２２】ステーションにおいて正しく受信されなかったデータユニットに基づいて媒体予約手順をイネーブルにするべきかどうかを決定するためのワイヤレス通信の方法のフローチャート。
【図２３】ＰＥＲに基づいて媒体予約手順をイネーブルにするべきかどうかを決定するためのワイヤレス通信の方法のフローチャート。
【図２４】媒体予約手順を使用することがスループットを改善できるかどうかを評価するためのワイヤレス通信の第２の方法のフローチャート。
【図２５】拡張媒体予約手順を使用するためのワイヤレス通信の方法のフローチャート。
【図２６】様々なデータレートで媒体予約手順の要求／応答を送信するためのワイヤレス通信の方法のフローチャート。
【図２７】切替え手順を開始するためのワイヤレス通信の方法のフローチャート。
【図２８】切替え手順に応答するためのワイヤレス通信の方法のフローチャート。
【図２９】例示的な装置の中の様々な構成要素／手段の間のデータフローを示す概念データフロー図。
【図３０】別の例示的な装置の中の様々な構成要素／手段の間のデータフローを示す概念データフロー図。
【図３１】例示的なワイヤレス通信デバイスの機能ブロック図。
【発明を実施するための形態】
【０００９】
[0039]添付の図面を参照して、新規のシステム、装置、コンピュータ可読媒体、および方法の様々な態様が、以下でより十分に記載される。しかしながら、本開示は、多くの異なる形態で具現化される場合があり、本開示全体にわたって提示されるいかなる特定の構造または機能にも限定されるものと解釈されるべきではない。むしろ、これらの態様は、本開示が周到で完全になり、本開示の範囲を当業者に十分に伝えるように提供される。本明細書の教示に基づいて、本開示の範囲は、本発明の他の態様とは無関係に実装されようと、本発明の他の態様と組み合わされようと、本明細書で開示される新規のシステム、装置、コンピュータ可読媒体、および方法のいかなる態様も包含するものであることを当業者は諒解されたい。たとえば、本明細書に記載された任意の数の態様を使用して、装置が実装される場合があるか、または方法が実践される場合がある。加えて、本発明の範囲は、本明細書に記載された本発明の様々な態様に加えて、またはそれら以外の、他の構造、機能、または構造および機能を使用して実施される装置または方法を包含するものである。本明細書で開示されるいかなる態様も、請求項の１つまたは複数の要素によって具現化され得ることを理解されたい。
【００１０】
[0040]本明細書において特定の態様が記載されるが、これらの態様の多くの変形および置換は本開示の範囲内に入る。好ましい態様のいくつかの利益および利点が言及されるが、本開示の範囲は特定の利益、使用法、または目的に限定されるものではない。むしろ、本開示の態様は、様々なワイヤレス技術、システム構成、ネットワーク、および伝送プロトコルに広く適用可能なものであり、図において、および好ましい態様の以下の説明において、それらのうちのいくつかが例として示される。発明を実施するための形態および図面は、限定的ではなく本開示の例示にすぎず、本開示の範囲は、添付の特許請求の範囲およびその均等物によって定義される。
【００１１】
[0041]普及しているワイヤレスネットワーク技術には、様々なタイプのワイヤレスローカルエリアネットワーク（ＷＬＡＮ）が含まれ得る。ＷＬＡＮは、広く使用されているネットワーキングプロトコルを利用して、近接デバイスを互いに相互接続するために使用される場合がある。本明細書に記載される様々な態様は、ワイヤレスプロトコルなどの任意の通信規格に適用することができる。
【００１２】
[0042]いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１プロトコルに従って送信される場合がある。８０２．１１プロトコルの実装形態は、センサ、計器（metering）、およびスマートグリッドネットワークに使用される場合がある。有利なことに、８０２．１１プロトコルを実装するいくつかのデバイスの態様は、他のワイヤレスプロトコルを実装するデバイスよりも消費する電力が少ない場合があり、および／または、比較的長い距離、たとえば約１キロメートル以上にわたってワイヤレス信号を送信するために使用される場合がある。
【００１３】
[0043]いくつかの実装形態では、ＷＬＡＮは、ワイヤレスネットワークにアクセスする構成要素である様々なデバイスを含む。たとえば、２つのタイプのデバイスであるアクセスポイント（ＡＰ）および（ステーションまたは「ＳＴＡ」とも呼ばれる）クライアントがあり得る。一般に、ＡＰはＷＬＡＮ用のハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的な接続を得るために、ＷｉＦｉ（登録商標）（たとえば、ＩＥＥＥ８０２．１１プロトコル）準拠のワイヤレスリンクを介してＡＰに接続する。いくつかの実装形態では、ＳＴＡはＡＰとして使用される場合もある。
【００１４】
[0044]アクセスポイントはまた、ノードＢ、無線ネットワークコントローラ（ＲＮＣ）、ｅノードＢ、基地局コントローラ（ＢＳＣ）、トランシーバ基地局（ＢＴＳ）、基地局（ＢＳ）、トランシーバ機能（ＴＦ）、無線ルータ、無線トランシーバ、接続ポイント、または他の何らかの用語を備えるか、それとして実装されるか、またはそれとして知られる場合がある。
【００１５】
[0045]ステーションはまた、アクセス端末（ＡＴ）、加入者局、加入者ユニット、移動局、リモートステーション、リモート端末、ユーザ端末、ユーザエージェント、ユーザデバイス、ユーザ機器、または他の何らかの用語を備えるか、それとして実装されるか、またはそれとして知られる場合がある。いくつかの実装形態では、アクセス端末は、携帯電話、コードレス電話、セッション開始プロトコル（ＳＩＰ）電話、ワイヤレスローカルループ（ＷＬＬ）ステーション、携帯情報端末（ＰＤＡ）、ワイヤレス接続機能を有するハンドヘルドデバイス、またはワイヤレスモデムに接続された他の何らかの適切な処理デバイスを備える場合がある。したがって、本明細書で教示される１つまたは複数の態様は、電話（たとえば、携帯電話またはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスまたはゲームシステム、全地球測位システムデバイス、あるいは、ワイヤレス媒体を介して通信するように構成された任意の他の適切なデバイスに組み込まれる場合がある。
【００１６】
[0046]一態様では、ワイドエリアＷＬＡＮ（たとえば、ＷｉＦｉ）の接続にＭＩＭＯ方式が使用される場合がある。ＭＩＭＯは、マルチパスと呼ばれる電波特性を活用する。マルチパスでは、送信されるデータは、物体（たとえば、壁、ドア、家具など）に当たって跳ね返る場合があり、様々なルートを通って、様々な時間に複数回受信アンテナに到達する。ＭＩＭＯを利用するＷＬＡＮデバイスは、データストリームを空間ストリームと呼ばれる複数の部分に分割し、別々のアンテナを介して、各空間ストリームを受信ＷＬＡＮデバイスの対応するアンテナに送信する。
【００１７】
[0047]「関連付ける（associate）」もしくは「関連付け(association)」という用語、またはその任意の変形形態は、本開示のコンテキスト内で可能な最も広い意味を与えられるべきである。例として、第１の装置が第２の装置を関連付けるとき、２つの装置が直接関連付けられる場合があるか、または中間装置が存在する場合があることを理解されたい。簡潔にするために、２つの装置間の関連付けを確立するためのプロセスが、装置のうちの１つによる「関連付け要求（association request）」と、後続の他の装置による「関連付け応答（association response）」とを必要とするハンドシェイクプロトコルを使用して記載される。ハンドシェイクプロトコルは、例として、認証を行うシグナリングなどの他のシグナリングを必要とする場合があることが、当業者には理解されよう。
【００１８】
[0048]「第１」、「第２」などの指定を使用する、本明細書における要素への言及は、一般に、それらの要素の数量または順序を限定しない。むしろ、これらの指定は、２つ以上の要素またはある要素の２つ以上のインスタンスを区別する便利な方法として、本明細書では使用される。したがって、第１の要素および第２の要素への言及は、２つの要素のみが利用され得ること、または第１の要素が第２の要素に先行しなければならないことを意味しない。加えて、項目のリスト「のうちの少なくとも１つ」を指すフレーズは、単一のメンバを含む、それらの項目の任意の組合せを指す。一例として、「Ａ、Ｂ、またはＣのうちの少なくとも１つ」は、Ａ、またはＢ、またはＣ、またはそれらの任意の組合せ（たとえば、Ａ−Ｂ、Ａ−Ｃ、Ｂ−Ｃ、およびＡ−Ｂ−Ｃ）を包含するものである。
【００１９】
[0049]上記で説明されたように、本明細書に記載されるいくつかのデバイスは、たとえば、８０２．１１規格を実装する場合がある。そのようなデバイスは、ＳＴＡとして使用されるか、ＡＰとして使用されるか、他のデバイスとして使用されるかにかかわらず、スマートメータリングのために、またはスマートグリッドネットワークにおいて使用される場合がある。そのようなデバイスは、センサのアプリケーションを提供するか、またはホームオートメーションにおいて使用される場合がある。その代わりに、またはそれに加えて、デバイスは、たとえば個人の健康管理のために、健康管理の状況で使用される場合がある。デバイスはまた、監視のために、拡張された範囲のインターネット接続（たとえば、ホットスポットとともに使用される）を可能にするために、または機械間通信を実装するために使用される場合がある。
【００２０】
[0050]本明細書に記載されるデバイスのうちのいくつかは、さらに、多入力多出力（ＭＩＭＯ）技術を実装し、８０２．１１規格の一部として実装される場合がある。ＭＩＭＯシステムは、データ送信用の複数（ＮT）個の送信アンテナと複数（ＮR）個の受信アンテナとを利用する。ＮT個の送信アンテナおよびＮR個の受信アンテナによって形成されるＭＩＭＯチャネルは、空間チャネルまたは空間ストリームとも呼ばれる、ＮS個の独立チャネルに分解される場合があり、ここで、ＮS≦ｍｉｎ｛ＮT，ＮR｝である。ＮS個の独立チャネルの各々は１つの次元に対応する。複数の送信アンテナおよび受信アンテナによって生成された追加の次元性が利用される場合、ＭＩＭＯシステムは改善されたパフォーマンス（たとえば、より高いスループットおよび／またはより大きい信頼性）を実現することができる。
【００２１】
[0051]図１は、本開示の態様が利用され得る例示的なワイヤレス通信システム１００を示す。ワイヤレス通信システム１００は、ワイヤレス規格、たとえば８０２．１１規格に従って動作する場合がある。ワイヤレス通信システム１００は、ＳＴＡ（たとえば、ＳＴＡ１１２、１１４、１１６、および１１８）と通信するＡＰ１０４を含む場合がある。
【００２２】
[0052]ＡＰ１０４とＳＴＡとの間のワイヤレス通信システム１００内の送信に、様々なプロセスおよび方法が使用される場合がある。たとえば、信号は、ＯＦＤＭ／ＯＦＤＭＡ技法に従って、ＡＰ１０４とＳＴＡとの間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡとの間で送受信される場合がある。この場合、ワイヤレス通信システム１００は、ＣＤＭＡシステムと呼ばれる場合がある。
【００２３】
[0053]ＡＰ１０４からＳＴＡのうちの１つまたは複数への送信を容易にする通信リンクは、ダウンリンク（ＤＬ）１０８と呼ばれる場合があり、ＳＴＡのうちの１つまたは複数からＡＰ１０４への送信を容易にする通信リンクは、アップリンク（ＵＬ）１１０と呼ばれ得る。代替として、ダウンリンク１０８は順方向リンクまたは順方向チャネルと呼ばれる場合があり、アップリンク１１０は逆方向リンクまたは逆方向チャネルと呼ばれ得る。いくつかの態様では、ＤＬ通信は、ユニキャストまたはマルチキャストのトラフィック指示を含む場合がある。
【００２４】
[0054]いくつかの態様では、ＡＰ１０４は、著しいアナログデジタル変換（ＡＤＣ）クリッピングノイズを発生させずに、同時に２つ以上のチャネル上でＵＬ通信を受信できるように、隣接チャネル干渉（ＡＣＩ）を抑制することができる。ＡＰ１０４は、たとえば、チャネルごとに別々の有限インパルス応答（ＦＩＲ）フィルタを有すること、またはビット幅が拡大されたより長いＡＤＣバックオフ期間を有することにより、ＡＣＩの抑制を改善することができる。
【００２５】
[0055]ＡＰ１０４は、基地局として働き、基本サービスエリア（ＢＳＡ）１０２においてワイヤレス通信カバレージを提供することができる。ＢＳＡ（たとえば、ＢＳＡ１０２）は、ＡＰ（たとえば、ＡＰ１０４）のカバレージエリアである。ＡＰ１０４は、ＡＰ１０４に関連付けられ、通信にＡＰ１０４を使用するＳＴＡとともに、基本サービスセット（ＢＳＳ）と呼ばれる場合がある。ワイヤレス通信システム１００は、中央ＡＰ（たとえば、ＡＰ１０４）をもたない場合があり、むしろ、ＳＴＡ間のピアツーピアネットワークとして機能する場合があることに留意されたい。したがって、本明細書に記載されるＡＰ１０４の機能は、ＳＴＡのうちの１つまたは複数によって代替的に実施される場合がある。
【００２６】
[0056]ＡＰ１０４は、ダウンリンク１０８などの通信リンクを介して、ワイヤレス通信システム１００の他のノード（ＳＴＡ）にビーコン信号（または単に「ビーコン」）を、１つまたは複数のチャネル（たとえば、各チャネルが周波数帯域幅を含む、複数の狭帯域チャネル）上で送信することができ、ビーコン信号は、他のノード（ＳＴＡ）がそれらのタイミングをＡＰ１０４と同期させるのを助けることができるか、または他の情報もしくは機能を提供することができる。そのようなビーコンは、周期的に送信される場合がある。一態様では、連続する送信間の期間は、スーパーフレームと呼ばれる場合がある。ビーコンの送信は、いくつかのグループまたは間隔に分割される場合がある。一態様では、ビーコンは、限定はしないが、共通クロックを設定するタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含む場合があり、それらのうちのいくつかが以下でさらに詳細に記載される。したがって、ビーコンは、いくつかのデバイスの間で共通の（たとえば、共有される）情報と、所与のデバイスに固有の情報の両方である情報を含み得る。
【００２７】
[0057]いくつかの態様では、ＳＴＡ（たとえば、ＳＴＡ１１４）は、ＡＰ１０４に通信を送るために、および／またはＡＰ１０４から通信を受信するために、ＡＰ１０４に関連付けるように要求される場合がある。一態様では、関連付けるための情報は、ＡＰ１０４によってブロードキャストされるビーコンに含まれる。そのようなビーコンを受信するために、ＳＴＡ１１４は、たとえば、カバレージ領域にわたって広範なカバレージ探索を実行することができる。探索はまた、ＳＴＡ１１４により、たとえば、灯台方式でカバレージ領域をスイープ（sweep）することによって実行される場合がある。関連付けるための情報を受信した後、ＳＴＡ１１４は、関連付けプローブまたは関連付け要求などの基準信号をＡＰ１０４に送信する場合がある。いくつかの態様では、ＡＰ１０４は、たとえば、インターネットまたは公衆交換電話網（ＰＳＴＮ）などのより大きいネットワークと通信するために、バックホールサービスを使用する場合がある。
【００２８】
[0058]一態様では、ＡＰ１０４は、様々な機能を実施するための１つまたは複数の構成要素を含む場合がある。ＡＰ１０４は、共同ＭＲＰイネーブル化／ディセーブル化構成要素１２４を含む場合がある。共同ＭＲＰイネーブル化／ディセーブル化構成要素１２４は、複数のＳＴＡの各ＳＴＡがＡＰとのアップリンクトラフィックを有すること、または複数のＳＴＡのうちのＳＴＡのサブセットの各ＳＴＡが、ＡＰにデータを送信しＡＰと各ＳＴＡとの間の通信を妨害する隠れノード（hidden node）を有することのうちの少なくとも１つに基づいて、通信のための媒体予約手順を共同でイネーブルおよびディセーブルにするように複数のＳＴＡに要求するプロセスを制御することができる。共同ＭＲＰイネーブル化／ディセーブル化構成要素１２４は、通信のための媒体予約手順を共同でイネーブルまたはディセーブルにする間、複数のＳＴＡから通信メトリックを示す情報を受信するプロセスを制御することができる。共同ＭＲＰイネーブル化／ディセーブル化構成要素１２４は、通信メトリックを示す受信された情報に基づいて、媒体予約手順の共同イネーブル化が複数のＳＴＡ向けの通信を改善するかどうかを決定するプロセスを制御することができる。共同ＭＲＰイネーブル化／ディセーブル化構成要素１２４は、媒体予約手順の共同イネーブル化が複数のＳＴＡ向けの通信を改善する場合、後続の通信のために媒体予約手順を共同でイネーブルにするように複数のＳＴＡに要求するプロセスを制御することができる。
【００２９】
[0059]別の態様では、ＳＴＡ１１４は、様々な機能を実施するための１つまたは複数の構成要素を含む場合がある。たとえば、ＳＴＡ１１４は、ＭＲＰ／ポーリングイネーブル化構成要素１２６を含む場合がある。ＭＲＰ／ポーリングイネーブル化構成要素１２６は、ＲＴＳ／ＣＴＳ手順に従って、第２のＳＴＡに１つまたは複数のＲＴＳメッセージを送るプロセスを制御することができる。ＭＲＰ／ポーリングイネーブル化構成要素１２６は、第２のＳＴＡから、ＲＴＳメッセージに応答する０個以上のＣＴＳメッセージを受信するプロセスを制御することができる。ＭＲＰ／ポーリングイネーブル化構成要素１２６は、ＲＴＳメッセージおよびＣＴＳメッセージに基づいて応答率を決定するプロセスを制御することができる。ＭＲＰ／ポーリングイネーブル化構成要素１２６は、応答率がしきい値を満たすとき、第２のＳＴＡに第１の切替え要求を送るプロセスを制御することができ、第１の切替え要求は、ポーリング手順を実施するように第２のＳＴＡに要求し、ポーリング手順は、データ送信を受信するための受信側の利用可能性を告知する。
【００３０】
[0060]図２は、図１のワイヤレス通信システム１００内で利用され得るワイヤレスデバイス２０２の機能ブロック図である。ワイヤレスデバイス２０２は、本明細書に記載される様々な方法を実施するように構成され得るデバイスの一例である。たとえば、ワイヤレスデバイス２０２は、ＡＰ１０４、またはＳＴＡ１１２、１１４、１１６、もしくは１１８のうちの１つを備える場合がある。
【００３１】
[0061]ワイヤレスデバイス２０２は、ワイヤレスデバイス２０２の動作を制御するプロセッサ２０４を含む場合がある。プロセッサ２０４は、中央処理装置（ＣＰＵ）と呼ばれる場合もある。読取り専用メモリ（ＲＯＭ）とランダムアクセスメモリ（ＲＡＭ）の両方を含む場合があるメモリ２０６は、プロセッサ２０４に命令とデータとを供給することができる。メモリ２０６の一部は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実施する。メモリ２０６内の命令は、本明細書に記載される方法を実施するために（たとえば、プロセッサ２０４によって）実行可能であり得る。
【００３２】
[0062]プロセッサ２０４は、１つまたは複数のプロセッサとともに実装される処理システムの構成要素を備える場合があるか、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェアの有限状態機械、または情報の計算もしくは他の操作を実行することができる任意の他の適切なエンティティの任意の組合せを用いて実装される場合がある。
【００３３】
[0063]処理システムは、ソフトウェアを記憶するための機械可読媒体も含む場合もある。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、またはコードの任意の他の適切なフォーマットの）コードを含む場合がある。命令は、１つまたは複数のプロセッサによって実行されると、本明細書に記載される様々な機能を処理システムに実施させる。
【００３４】
[0064]ワイヤレスデバイス２０２は、ワイヤレスデバイス２０２とリモートデバイスとの間のデータの送信と受信とを可能にするために、送信機２１０および／または受信機２１２を含み得るハウジング２０８を含み得る。送信機２１０および受信機２１２は、組み合わせられてトランシーバ２１４になり得る。アンテナ２１６は、ハウジング２０８に取り付けられて、トランシーバ２１４に電気的に結合され得る。ワイヤレスデバイス２０２は、複数の送信機、複数の受信機、複数のトランシーバ、および／または複数のアンテナを含み得る（図示されず）。
【００３５】
[0065]ワイヤレスデバイス２０２は、トランシーバ２１４または受信機２１２によって受信された信号のレベルを検出および定量化するために使用され得る信号検出器２１８を含み得る。信号検出器２１８は、総エネルギー、シンボルごとのサブキャリア当たりのエネルギー、電力スペクトル密度、および他の信号などの信号を検出し得る。ワイヤレスデバイス２０２は、信号の処理に使用するためのデジタル信号プロセッサ（ＤＳＰ）２２０を含み得る。ＤＳＰ２２０は、送信用のパケットを生成するように構成され得る。いくつかの態様では、パケットは物理レイヤデータユニット（ＰＰＤＵ）を備え得る。
【００３６】
[0066]いくつかの態様では、ワイヤレスデバイス２０２は、さらに、ユーザインターフェース２２２を備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を搬送し、および／またはそのユーザから入力を受け取る、任意の要素または構成要素を含み得る。
【００３７】
[0067]ワイヤレスデバイス２０２は、ＭＲＰ構成要素２２４を含み得る。ワイヤレスデバイス２０２がＡＰとして実装されると、ＭＲＰ構成要素２２４は、複数のＳＴＡの各ＳＴＡがＡＰとのアップリンクトラフィックを有すること、または複数のＳＴＡのうちのＳＴＡのサブセットの各ＳＴＡが、ＡＰにデータを送信しＡＰと各ＳＴＡとの間の通信を妨害する隠れノードを有することのうちの少なくとも１つに基づいて、通信のための媒体予約手順を共同でイネーブルおよびディセーブルにするように複数のＳＴＡに要求するプロセスを制御し得る。ＭＲＰ構成要素２２４は、通信のための媒体予約手順を共同でイネーブルまたはディセーブルにする間、複数のＳＴＡから通信メトリックを示す情報を受信するプロセスを制御し得る。ＭＲＰ構成要素２２４は、通信メトリックを示す受信された情報に基づいて、媒体予約手順の共同イネーブル化が複数のＳＴＡ向けの通信を改善するかどうかを決定するプロセスを制御し得る。ＭＲＰ構成要素２２４は、媒体予約手順の共同イネーブル化が複数のＳＴＡ向けの通信を改善する場合、後続の通信のために媒体予約手順を共同でイネーブルにするように複数のＳＴＡに要求するプロセスを制御し得る。
【００３８】
[0068]ワイヤレスデバイス２０２がＳＴＡとして実装されると、ＭＲＰ構成要素２２４は、ＲＴＳ／ＣＴＳ手順に従って、第２のＳＴＡに１つまたは複数のＲＴＳメッセージを送るプロセスを制御することができる。ＭＲＰ構成要素２２４は、第２のＳＴＡから、ＲＴＳメッセージに応答する０個以上のＣＴＳメッセージを受信するプロセスを制御することができる。ＭＲＰ構成要素２２４は、ＲＴＳメッセージおよびＣＴＳメッセージに基づいて応答率を決定するプロセスを制御することができる。ＭＲＰ構成要素２２４は、応答率がしきい値を満たすとき、第２のＳＴＡに第１の切替え要求を送るプロセスを制御することができ、第１の切替え要求は、ポーリング手順を実施するように第２のＳＴＡに要求し、ポーリング手順は、データ送信を受信するための受信側の利用可能性を告知する。
【００３９】
[0069]ワイヤレスデバイス２０２の様々な構成要素は、バスシステム２２６によって互いに結合され得る。バスシステム２２６は、たとえば、データバスを含み得、ならびに、データバスに加えて、電力バスと、制御信号バスと、ステータス信号バスとを含み得る。ワイヤレスデバイス２０２の構成要素は、他の何らかの機構を使用して、互いに結合されるか、または、互いに対する入力を受け取るか、もしくは供給し得る。
【００４０】
[0070]図２にはいくつかの別個の構成要素が示されているが、これらの構成要素のうちの１つまたは複数は、結合されるか、または共通に実装される場合がある。たとえば、プロセッサ２０４は、プロセッサ２０４に関して上述された機能だけを実装するためでなく、信号検出器２１８、ＤＳＰ２２０、ユーザインターフェース２２２、および／またはＭＲＰ構成要素２２４に関して上述された機能も実装するために使用される場合がある。さらに、図２に示されている構成要素の各々は、複数の別々の要素を使用して実装される場合がある。
Ａ．フルバッファ隠れノード
[0071]図３は、ワイヤレスネットワーク内のワイヤレスデバイスを示す図３００である。図示されたように、ステーションＡ３０２は送信範囲３０４を有する。ステーションＢ３０６、ステーションＣ３１０、およびアクセスポイント３２０は送信範囲３０４内にあり、ステーションＡ３０２から信号通信を受信することができる。ステーションＤ３１４は送信範囲３１６を有する。ステーションＣ３１０およびアクセスポイント３２０は送信範囲３１６内にあり、ステーションＤ３１４から信号通信を受信することができる。ステーションＡ３０２およびステーションＤ３１４は、互いの送信範囲の外側にあり、互いから信号通信を受信することができない。したがって、ステーションＡ３０２およびステーションＤ３１４は、互いに隠れノードまたは隠れステーションとして考えられる場合がある。
【００４１】
[0072]図４は、ワイヤレスネットワーク内のフルバッファ隣接デバイスを有するワイヤレスデバイスの間の信号通信を示す図４００である。簡潔および明快にするために、図からいくつかの技術的特徴が省略されている場合がある。図示されたように、この例では、時間ｔ１０からｔ２０まで、ステーションＤ３１４は、ステーションＣ３１０にデータフレーム４１０を送信している。時間ｔ３０からｔ４０まで、ステーションＤ３１４は、ステーションＣ３１０にデータフレーム４１４を送信している。時間ｔ５０からｔ６０まで、ステーションＤ３１４は、ステーションＣ３１０にデータフレーム４１８を送信している。ステーションＤ３１４は、ステーションＣ３１０に送信されるべきかなりの量のデータを有し得る。それに応じて、ステーションＤ３１４にある送信バッファは、実質的にいつも占有されている可能性があり、アイドルタイムは短い。データフレーム４１０とデータフレーム４１４との間のインターフレーム間隔ならびにデータフレーム４１４とデータフレーム４１８との間のインターフレーム間隔（たとえば、ｔ２０からｔ３０までの時間期間およびｔ４０からｔ５０までの時間期間）は、ショートインターフレーム間隔（ＳＩＦＳ）であるように構成される。ステーションＤ３１４の送信バッファは、フルバッファと考えられ得、ステーションＤ３１４からステーションＣ３１０へのデータ送信は、フルバッファ送信と考えられ得る。以下でより詳細に記載されるように、ステーションＤ３１４からステーションＣ３１０へのフルバッファ送信により、ステーションＣ３１０にデータを送信することを試みる他のステーション（たとえば、ステーションＡ３０２）に問題が発生し得る。
【００４２】
[0073]この例では、ステーションＡ３０２は、データを送信するためにステーションＤ３１４によって使用される搬送波と同じ搬送波を使用して、ステーションＣ３１０と通信することを試み得る。具体的には、時間ｔ０５からｔ１５まで、ステーションＡ３０２は、ステーションＣ３１０にデータフレーム４２２を送信し得る。時間ｔ０５は（ステーションＤ３１４がステーションＣ３１０へのデータフレーム４１０の送信を開始する）時間ｔ１０より前であり、時間ｔ１５は時間ｔ１０の後である。ステーションＤ３１４はステーションＡ３０２の送信範囲３０４の外にあり、したがって、ステーションＡ３０２がその搬送波を使用していることを検知しないことに留意されたい。その結果、ステーションＤ３１４は、時間ｔ１０において、データ衝突を回避するためにデータ送信を保留することをしない。データフレーム４１０およびデータフレーム４２２は、ステーションＣ３１０において互いに干渉するので、データフレーム４１０とデータフレーム４２２とを送信するために使用されるデータパケットの各々は、ステーションＣ３１０において受信に成功する場合も成功しない場合もある。言い換えれば、ステーションＤ３１４から送信されたデータフレーム４１０は、ステーションＣ３１０において、ステーションＡ３０２から送信されたデータフレーム４２２と干渉する。このようにして、ステーションＣ３１０においてデータフレーム４２２が正しく受信されない可能性があることに問題がある。
Ａ．１  ＲＴＳ／ＣＴＳはフルバッファ隠れノード問題を解決しない
[0074]ステーションＣ３１０にデータフレームを送信するいくつかの試みの後、一技法では、ステーションＡ３０２は、ＰＥＲ、再試行率（retry rate）、またはパケット長に基づいて、データ送信を保護するために送信要求（ＲＴＳ：Request-to-Send）／送信可（ＣＴＳ:Clear-to-Send）手順などの媒体予約手順を開始するように決定し得る。ＰＥＲは、正しく受信されなかったデータパケットの数を受信されたパケットの総数で割った値である。少なくとも１つのビットが誤っている場合、パケットは正しくないとされる。ＲＴＳ／ＣＴＳ手順を使用すると、ステーションＡ３０２が送るべきフレームを有するとき、ステーションＡ３０２は、ＲＴＳフレームを送ることによって手順を開始し得る。ＲＴＳフレームは、いくつかの目的に貢献し：送信用の無線リンクを予約することに加えて、それを聴取する任意のステーションをサイレンスにする。ステーションＣ３１０がＲＴＳフレームを受信した場合、ステーションＣ３１０はＣＴＳフレームで応答する。ＲＴＳフレームのように、ＣＴＳフレームはすぐ近くにあるステーションをサイレンスにする。ＲＴＳ／ＣＴＳ交換が完了すると、ステーションＡ３０２は、いかなる隠れノードからの干渉も心配せずに、そのフレームを送信することができる。送信局の範囲を超える隠れノードは、受信側からのＣＴＳによってサイレンスにされる。ＲＴＳ／ＣＴＳ媒体予約手順が使用されると、フレームは肯定的確認応答され得る。
【００４３】
[0075]図４を参照して説明された例では、問題がまだ存在する。具体的には、ＰＥＲ、再試行率、またはパケット長に基づいてＲＴＳ／ＣＴＳ手順をイネーブルにすることは、ステーションＤ３１４からステーションＣ３１０へのフルバッファデータ送信に起因して、ステーションＡ３０２とステーションＣ３１０との間のスループットを改善し得ない。たとえば、データフレーム４２２を送信した後、ＰＥＲに基づいて、ステーションＡ３０２は、ＲＴＳ／ＣＴＳ手順を開始するように試み得る。より具体的には、時間ｔ１８において、ステーションＡ３０２がステーションＣ３１０にＲＴＳフレームを送信する。ステーションＣ３１０は時間ｔ１８においてデータフレーム４２２を受信しており、したがって、ＲＴＳフレームを検出しない可能性があり、ＲＴＳフレームを干渉として扱う可能性がある。その結果、ステーションＣ３１０は、ステーションＡ３０２への返答でＣＴＳフレームを送信しない。ステーションＡ３０２は、あらかじめ決定された時間期間の間、ステーションＣ３１０から送られるＣＴＳフレームを待つ。ステーションＡ３０２があらかじめ決定された時間期間の間にステーションＣ３１０からＣＴＳフレームを受信しない場合、ステーションＡ３０２は、時間ｔ３５において別のＲＴＳフレームを送り得る。時間ｔ３５において、ステーションＣ３１０はステーションＤ３１４からデータフレーム４１４を受信しており、ステーションＡ３０２にＣＴＳフレームを返答しない可能性がある。言い換えれば、この例では、ステーションＡ３０２において媒体予約手順（たとえば、ＲＴＳ／ＣＴＳ手順）をイネーブルにすることは、ステーションＣからのＣＴＳがステーションＡ３０２に頻繁に返信され得ないので、ステーションＡ３０２におけるデータスループットを増加し得ない。加えて、そのような問題は、ステーションＤ３１４がステーションＣ３１０以外のノードにデータパケットを送信する場合にも、ステーションＣ３１０はステーションＤ３１４からのパケットの干渉に起因してステーションＡ３０２からのＲＴＳを取り逃がし得るので、さらに存在する。
【００４４】
[0076]さらに、ＰＥＲまたは干渉が低減されることができても、ＲＴＳ／ＣＴＳをイネーブルにした後、低いＣＴＳの返信率に起因して、ステーションＡ３０２のエアー時間およびスループットがかなりドロップし得ることに問題がある。言い換えれば、低いＣＴＳの返信率に起因して、媒体使用率がかなり低下し得る。ステーションＣ３１０（たとえば、受信機）は、ＣＴＳで応答する前に、受信機側においてチャネルがビジーであるかどうかをチェックする必要がある。ステーションＣ３１０は、干渉に起因して、またはチャネルがビジーであること（たとえば、ネットワーク割振りベクトル（ＮＡＶ）が他のノードからの前のフレームによって設定されている）に起因して、ＲＴＳが受信されない場合、ＣＴＳで応答しない。
【００４５】
[0077]これらの問題に対処するために、図５を参照して以下で記載されるように、ステーションＡ３０２およびステーションＣ３１０は、ＰＥＲ、再試行率、またはパケット長以外の基準に基づいて、ＲＴＳ／ＣＴＳ手順をイネーブルにすることを考慮するように構成され得る。
Ｂ．ＳＴＡに関してＲＴＳ／ＣＴＳをイネーブルにするための基準
[0078]図５は、本開示の一態様により、フルバッファ隣接デバイスを有し、ワイヤレスネットワーク内でＲＴＳ／ＣＴＳイネーブル化技法を実施するワイヤレスデバイスの間の信号通信を示す図５００である。この例では、時間ｔ１０から時間ｔ２０まで、ステーションＡ３０２は、ステーションＣ３１０にデータフレーム５１０を送信している。図３に示されたように、ステーションＤ３１４は、ステーションＡ３０２の送信範囲３０４内にない。したがって、ステーションＤ３１４は、搬送波上に送信されたデータフレーム５１０を検知しない。ステーションＤ３１４は、ステーションＣ３１０が利用可能であるとみなし、時間ｔ１０とｔ２０との間の時間ｔ１４からｔ２５まで、ステーションＣ３１０にデータフレーム５１４を送信し得る。ステーションＣ３１０は、時間ｔ１４においてステーションＡ３０２からデータフレーム５１０を受信しており、データフレーム５１４を干渉として検知し得る。
【００４６】
[0079]一構成では、上述されたＣＴＳの低い返信率に起因して低下する媒体使用率の問題に対処するために、ステーションＡ３０２は、ステーションＣ３１０へ送信される物理レイヤコンバージェンス手順（ＰＬＣＰ）プロトコルデータユニット（ＰＰＤＵ）が送信の中途において（たとえば、プリアンブルの後に）干渉に頻繁に見舞われるかどうかに基づいて、ＲＴＳ／ＣＴＳ手順をイネーブルにすることを考慮するように構成される。さらに、ステーションＡ３０２は、ステーションＣ３１０にデータを送信するために、ＲＴＳ／ＣＴＳ手順をイネーブルにすることが、ステーションＡ３０２のスループットを改善できるかどうかを決定するために、評価手順を使用するように構成され得る。受信されたＰＰＤＵがステーションＣ３１０において隠れノードの干渉を頻繁に被るとき、ステーションＡ３０２は、ステーションＡ３０２のスループットが改善され得る場合、ＲＴＳ／ＣＴＳ手順をイネーブルにするように決定し得る。評価手順において使用されるスループットメトリックは、実際のスループットと均等（equivalent）フルバッファスループットとを含み得る。受信されたＰＰＤＵが、ステーションＣ３１０において隠れノードの干渉を頻繁に被ることの検出は、以下で記載される技法に基づき得る。
Ｂ．１  信号メトリックに基づく技法
[0080]一構成では、ステーションＡ３０２は、ステーションＣ３１０において、および／またはステーションＡ３０２において信号メトリックに基づく技法を実施するように構成され得る。ステーションＣ３１０は、データフレーム５１０のＰＰＤＵの受信信号強度指示（ＲＳＳＩ）、推定チャネル係数、推定位相／周波数オフセット、およびパイロットエラーベクトルの大きさ（pilot error vector magnitude）などの信号メトリックのうちの１つまたは複数を、複数回または連続して測定するように構成され得る。測定された信号メトリックの突然の変化があるとステーションＣ３１０が決定した場合、ステーションＣ３１０は、データフレーム５１０のデータ送信が別のデータ送信によって干渉されたと結論付け得る。たとえば、ステーションＣ３１０は、時間ｔ１３におけるデータフレーム５１０のＰＰＤＵの第１の位置において信号メトリック（たとえば、ＲＳＳＩ）を測定し、時間ｔ１５におけるＰＰＤＵの第２の位置においてその信号メトリックを測定し得る。２つの測定値間の差があらかじめ決定されたしきい値よりも大きい場合、ステーションＡ３０２は、ＲＴＳ／ＣＴＳ手順をイネーブルにするように、または評価手順を開始するように決定し得る。たとえば、ＲＳＳＩを測定するとき、差が１０デシベルよりも大きい場合、ステーションＡ３０２は、ＲＴＳ／ＣＴＳ手順を開始するように決定し得る。
【００４７】
[0081]ステーションＣ３１０は、データパケットの２つ以上の位置における１つまたは複数の測定された信号メトリック（たとえば、ＲＳＳＩ）の値をステーションＡ３０２に折り返し報告し得る。ステーションＣ３１０は、データパケットの２つの位置において測定された信号メトリック（たとえば、ＲＳＳＩ）の値の差をステーションＡ３０２に折り返し報告し得る。信号メトリック情報は、専用データフレーム内で送信され得るか、または１つもしくは複数の既存のデータフレームおよび／もしくは管理フレームに組み込まれ得る。次いで、ステーションＡ３０２は、ＲＴＳ／ＣＴＳ手順をイネーブルにするべきかどうか、または評価手順を開始するべきかどうかを決定し得る。評価手順は、媒体予約手順をイネーブルにすることがステーションＡ３０２におけるデータスループットを改善できるかどうかを評価する。代替として、ステーションＣ３１０は、データパケットの２つの位置において測定された信号メトリック（たとえば、ＲＳＳＩ）の値の差が、ネゴシエーションを介してステーションＡ３０２、ステーションＣ３１０、または両方によって設定され得るしきい値を超えたことのインジケータをステーションＡ３０２に、折り返し報告し得る。次いで、ステーションＡ３０２は、ＲＴＳ／ＣＴＳ手順または評価手順を開始するように決定し得る。
Ｂ．２  ブロック確認応答に基づく技法
[0082]一構成では、ステーションＡ３０２は、ステーションＡ３０２から送信されたブロック確認応答から取得された情報に基づく技法を実施するように構成され得る。たとえば、ステーションＡ３０２において時間ｔ１０からｔ２０までデータフレーム５１０を送信した後、ステーションＡ３０２は、時間ｔ３０から時間ｔ４０までデータフレーム５１８を送信し得る。ステーションＡ３０２は、データフレーム４１０とデータフレーム４１８とをデータブロックとみなし、その後、ステーションＣ３１０に時間ｔ５０においてブロック確認応答要求フレーム５２２を送信し得る。ブロック確認応答要求フレーム５２２を受信すると、ステーションＣ３１０は、即時ブロック確認応答フレーム５２４を送るか、または遅延ブロック確認応答フレーム５２８を送るかを選択し得る。即時ブロック確認応答フレーム５２４および遅延ブロック確認応答フレーム５２８は、各々、開始シーケンス番号（ＳＳＮ）を含み得、開始シーケンス番号（ＳＳＮ）は、確認応答が必要とされるブロック内の最も古いＭＡＣサービスデータユニット媒体アクセス制御（ＭＡＣ）サービスデータユニット（ＭＳＤＵ）のシーケンス番号である。ブロック確認応答要求フレーム５２２を受信すると、ステーションＣ３１０は、即時ブロック確認応答フレーム５２４または遅延ブロック確認応答フレーム５２８を準備し得、即時ブロック確認応答フレーム５２４または遅延ブロック確認応答フレーム５２８は、ビットマップを含み、ビットマップは、最初の１ビットがブロック確認応答要求フレーム５２２からのＳＳＮと同じシーケンス番号を有するＭＡＣプロトコルデータユニット（ＭＰＤＵ）を表し、後続のビットが連続するシーケンス番号を示す。ビットマップは、このようにして、参照を開始するときのＳＳＮを有するシーケンス番号によってインデックス付けされたアレイを形成する。
【００４８】
[0083]一構成では、ステーションＣ３１０は、ブロック確認応答要求フレーム５２２を受信すると、短い時間（たとえば、ＳＩＦＳ）の後に、即時ブロック確認応答フレーム５２４を送信し得る。別の構成では、ステーションは、後続の別個のチャネルアクセス内で遅延ブロック確認応答フレーム５２８を送信し得る。即時ブロック確認応答フレーム５２４および遅延ブロック確認応答フレーム５２８は、各々、前のブロックからステーションＣ３１０において正しく受信されたデータユニットを確認応答する。ステーションＡ３０２は、正しく受信されなかったデータユニットを再キューイングし得、それらを後続のブロック内で送り得る。
【００４９】
[0084]一構成では、ステーションＡ３０２は、ステーションＣ３１０における干渉を決定し、それに応じて、即時ブロック確認応答フレーム５２４または遅延ブロック確認応答フレーム５２８内で示された、ステーションＣ３１０において正しく受信されたデータユニットの情報に基づいて、評価手順を開始するべきかどうかを決定し得る。たとえば、ステーションＡ３０２は、ステーションＣ３１０において正しく受信されなかった、データブロック（たとえば、１つまたは複数のＰＰＤＵまたはデータフレーム）内のデータユニット（たとえば、ＭＰＤＵ）の数を決定し得る。その数があらかじめ決定されたしきい値よりも大きい場合、ステーションＡ３０２は、干渉が存在し、評価手順が開始されるべきと決定し得る。追加または代替として、ステーションＡ３０２は、データブロックの総ユニットに対するステーションＣ３１０において正しく受信されなかったデータユニットの割合を決定し得る。決定された割合があらかじめ決定されたしきい値（たとえば、１０％、１５％、または２０％）よりも大きい場合、ステーションＡ３０２は、干渉が存在することと、ＲＴＳ／ＣＴＳ手順がイネーブルにされるべきであること、または評価手順が開始されるべきであること、とを決定し得る。
【００５０】
[0085]追加または代替として、ステーションＡ３０２は、データブロック内でステーションＣ３１０において正しく受信されなかったデータユニットの分布（distribution）を決定し得る。たとえば、分布は、データユニットの前半は正しく受信されたが、データユニットの後半は正しく受信されなかったことを示し得る。図５に関する例では、ステーションＡ３０２は、時間ｔ１４の後に送信されたデータユニットが正しく受信されなかったことを示す、即時ブロック確認応答フレーム５２４または遅延ブロック確認応答フレーム５２８を受信し得る。分布があらかじめ決定されたパターンと一致する場合、ステーションＡ３０２は、干渉が存在することと、ＲＴＳ／ＣＴＳ手順がイネーブルにされるべきであること、または評価手順が開始されるべきであることとを決定し得る。代替として、ステーションＣ３１０は、分布に基づいて干渉が検出されたことのインジケータをステーションＡ３０２に折り返し報告し得る。次いで、ステーションＡ３０２は、ＲＴＳ／ＣＴＳ手順または評価手順を開始するように決定し得る。
Ｂ．３  測定ＰＥＲおよび推定ＰＥＲに基づく技法
[0086]一構成では、ステーションＡ３０２は、測定ＰＥＲおよび推定ＰＥＲに基づく技法を実施するように構成される場合がある。具体的には、ステーションＡ３０２は、ＰＥＲに基づいてステーションＣ３１０における干渉を決定することができる。たとえば、データフレーム５１０とデータフレーム５１８と他のデータフレームとを送信している間、ステーションＡ３０２またはステーションＣ３１０は、実際のＰＥＲを測定することができる。さらに、ステーションＡ３０２は、干渉を排除する、ステーションＣ３１０における信号受信の信号対雑音比（ＳＮＲ）を取得することができる。ＳＮＲに基づいて、ステーションＡ３０２は、さらに、所与のＭＣＳについての推定ＰＥＲを決定することができる。たとえば、ステーションＣ３１０は、ＲＳＳＩを含む確認応答をステーションＡ３０２に送る場合がある。ＲＳＳＩに基づいて、ステーションＡ３０２は、ステーションＣ３１０におけるＳＮＲを決定することができる。次いで、ステーションＡ３０２は、実際のＰＥＲを推定ＰＥＲと比較する。ＰＥＲと推定ＰＥＲとの間の差があらかじめ決定されたしきい値よりも大きい場合、ステーションＡ３０２は、干渉が存在することと、ＲＴＳ／ＣＴＳ手順がイネーブルにされるべきであること、または評価手順が開始されるべきであることとを決定することができる。
Ｂ．４  評価手順
[0087]ＲＴＳ／ＣＴＳ手順をイネーブルにすることを考えるべきとステーションＡ３０２が決定すると、ステーションＡ３０２は、評価手順を使用して、ＲＴＳ／ＣＴＳ手順がステーションＡ３０２のスループットを改善することができるかどうかを決定することができる。評価手順の間、ステーションＡ３０２は、第１の時間期間内にＲＴＳ／ＣＴＳ手順を使用してステーションＣ３１０にデータを送信し、次いで、第２の時間期間内にＲＴＳ／ＣＴＳ手順を使用せずにデータを送信することができる。ステーションＡ３０２は、両方の期間内の１つまたは複数のスループットメトリックの値を決定し、次いで、スループットメトリックの値に基づいて、ＲＴＳ／ＣＴＳ手順を使用してデータを送信することがステーションＡ３０２のスループットを改善するかどうかを決定することができる。
【００５１】
[0088]たとえば、スループットメトリックは、ステーションＡ３０２またはステーションＣ３１０において測定された実際のスループットであり得る。一技法では、実際のスループットは、受信側において受信に成功したデータユニットを、データを送信するために使用された総時間期間（たとえば、送信時間）で割った値であり得る。たとえば、図５を参照すると、実際のスループットは、即時ブロック確認応答フレーム５２４内で確認応答されたデータフレーム５１０およびデータフレーム５１８のデータユニットを、時間ｔ０から時間ｔ６５までの時間期間で割った値であり得る。時間ｔ０から時間ｔ１０までの時間期間は競合期間（contention period）である。
【００５２】
[0089]別の例として、スループットメトリックは、ステーションＡ３０２において測定された均等（equivalent）フルバッファスループットであり得る。一技法では、均等フルバッファスループットは、受信側において受信に成功したデータユニットを、バッファアイドル時間を除く、データを送信するために使用された総時間期間で割った値であり得る。たとえば、図５を参照すると、均等フルバッファスループットは、即時ブロック確認応答フレーム５２４内で確認応答されたデータフレーム５１０およびデータフレーム５１８のデータユニットを、ステーションＡ３０２がデータをバッファリングした、時間ｔ０から時間ｔ２０までの時間期間プラス時間ｔ３０からｔ６５までの時間期間で割った値であり得る。
【００５３】
[0090]次いで、ステーションＡ３０２は、第１の時間期間内のスループットメトリックの値と第２の時間期間内のスループットメトリックの値との間の差を決定する場合がある。その差があらかじめ決定されたしきい値（たとえば、５／１０／１５Ｍｂｐｓまたは５％／１０％／１５％）よりも大きい場合、ステーションＡ３０２は、ＲＴＳ／ＣＴＳ手順を使用することがステーションＡ３０２のスループットを改善すると決定することができる。
Ｃ．ＡＰに関するフルバッファ隠れノード
[0091]図６は、ワイヤレスネットワーク内のワイヤレスデバイスの間の信号通信を示す図６００である。動作６０２において、ステーションＡ３０２はアクセスポイント３２０にデータパケット（たとえば、ＰＰＤＵ）を送信する。動作６０６において、ステーションＤ３１４はアクセスポイント３２０にデータパケットを送信する。動作６１０において、ステーションＡ３０２はアクセスポイント３２０に別のデータパケットを送信する。その後、動作６１４において、ステーションＤ３１４はアクセスポイント３２０に別のデータパケットを送信する。図３を参照して上述されたように、ステーションＤ３１４は、ステーションＡ３０２の送信範囲３０４の外にあり、動作６０２または動作６１０のデータ送信を検知しない場合がある。したがって、動作６０６または動作６１４のデータ送信は、それぞれ、動作６０２または動作６１０のデータ送信がまだ進行中の間に始まる場合がある。動作６１８において、ステーションＡ３０２はアクセスポイント３２０にブロック確認応答要求を送信する。動作６２２において、アクセスポイント３２０はブロック確認応答を送信する。ステーションＤ３１４はアクセスポイント３２０の範囲内にあるので、ステーションＤ３１４もブロック確認応答を受信することができる。いくつかの状況では、ステーションＤ３１４は、図５を参照して上述されたように、フルバッファ隠れノードであり得る。ステーションＡ３０２に対するフルバッファ隠れノードであるステーションＤ３１０が、ステーションＡ３０２からアクセスポイント３２０へのデータ送信と干渉する可能性があることに問題がある。さらに、図３を参照して上述されたように、単にステーションＡ３０２においてＲＴＳ／ＣＴＳ手順をイネーブルにすることは、ステーションＡ３０２のスループットを改善し得ない。
Ｃ．１  信号メトリックに基づいて隠れノードを識別するための技法
[0092]一構成では、アクセスポイント３２０は、信号メトリックに関する図５を参照して上述された技法を使用して、ステーションＡ３０２の隠れノードを識別することができる。具体的には、アクセスポイント３２０は、ステーションＡ３０２からデータを受信するためのデータ受信が干渉されたことを検出することができる。本技法は、（ａ）ステーションから受信された第１のデータパケットの信号メトリックの変化、（ｂ）ステーションから正しく受信されなかった第２のデータパケット内の１つもしくは複数のデータユニット、または（ｃ）ステーションから受信されたデータパケットの推定ＰＥＲと測定ＰＥＲとの間の差のうちの少なくとも１つの指示を取得することを含む。たとえば、アクセスポイント３２０は、ステーションＡ３０２から受信されたデータパケットが、中間において、たとえばプリアンブルの後に、頻繁に干渉に見舞われると決定することができる。アクセスポイント３２０は、各データパケット内のＲＳＳＩおよび推定位相／周波数の突然の変化を調べることによって、これを知ることができる。それに応じて、アクセスポイント３０２は、ステーションＡ３０２が隠れノードを有すると決定することができる。
Ｃ．２  ブロック確認応答に基づいて隠れノードを識別するための技法
[0093]一構成では、アクセスポイントは、ブロック確認応答に関する図５を参照して上述された技法を使用して、ステーションＤ３０４の隠れノードを識別することができる。具体的には、いくつかの状況では、ステーションＡはステーションＤに対するフルバッファ隠れノードであり得る。ステーションＤ３１４からアクセスポイント３２０へのデータ送信は、ステーションＡ３０２からアクセスポイント３２０へのデータ送信によって干渉される場合もある。動作６２６において、ステーションＤ３１４は、ブロック確認応答を受信するより前のあらかじめ決定された時間期間（たとえば、インターフレーム間隔）である時点で、ステーションＤ３１４が動作６２２において送信されたブロック確認応答を受信したが、動作６０２および６１０において送信されたデータパケットを受信しなかったとき、隠れノード（たとえば、ステーションＡ３０２）が存在すると決定することができる。たとえば、図５を参照すると、一構成では、時間ｔ６０において、ステーションＤ３１４は、即時ブロック確認応答フレーム５２４を受信し得るが、時間ｔ５０から時間ｔ５６において送られたブロック確認応答要求フレーム５２２を受信し得ないか、または時間ｔ３０からｔ４０において送られたデータフレーム５１８を受信し得ない。データフレーム５１８とブロック確認応答要求フレーム５２２との間のインターフレーム間隔、ならびにブロック確認応答要求フレーム５２２と即時ブロック確認応答フレーム５２４との間のインターフレーム間隔は、ショートインターフレーム間隔（ＳＩＦＳ）であり得る。
【００５４】
[0094]別の構成では、動作６２２において、アクセスポイント３２０は、ブロック確認応答要求フレーム５２２に応答して遅延ブロック確認応答フレーム５２８を送信する場合がある。遅延ブロック確認応答フレーム５２８とブロック確認応答要求フレーム５２２との間の間隔（たとえば、図５の時間ｔ５６から時間ｔ８０まで）は、ＳＩＦＳではない場合がある。アクセスポイント３２０は、ブロック確認応答フレームの送信時間より前の（ＳＩＦＳまたは５０マイクロ秒などの）指定された時間期間において、またはそれ以内で（たとえば、時間ｔ４０または時間ｔ５６において）、ブロック確認応答フレームの宛先からアクセスポイント３２０においてＰＰＤＵが受信されたことを示すように、ブロック確認応答フレーム内の（ビットなどの）データユニットを設定するように構成され得る。この例では、アクセスポイント３２０は、ステーションＤ３１４にデータユニットを有する遅延ブロック確認応答フレーム５２８を送る。（別の例では、アクセスポイント３２０は、ステーションＤ３１４にデータユニットを有する即時ブロック確認応答フレーム５２４を送る。）ステーションＤ３１４は、動作６２２において遅延ブロック確認応答フレーム５２８を受信すると、最初に、このデータユニットが遅延ブロック確認応答フレーム５２８内に存在するかどうかを検出することができる。データユニットが存在すると決定すると、ステーションＤ３１４は、ブロック確認応答フレームの送信時間より前の指定された時間期間において、またはそれ以内で、ＰＰＤＵがアクセスポイント３２０に送信されたことを知ることができる。次いで、ステーションＤ３１４は、そのＭＡＣアドレスがブロック確認応答フレームの宛先アドレスと同じであるノードから、関連する時間において、またはそれ以内で、ステーションＤ３１４がＰＰＤＵを受信したかどうかを決定することができる。ステーションＤ３１４がＰＰＤＵを受信していなかった場合、ステーションＤ３１４は隠れノードが存在すると決定することができる。一構成では、ステーションＤ３１４は、このデータユニットが設定されると、遅延ブロック確認応答フレーム５２８だけを考えることができる。データユニットは、各遅延ブロック確認応答フレーム５２８の制御フィールド内の９つの予約ビットＢ３〜Ｂ１１のうちの１つであり得る。
【００５５】
[0095]即時ブロック確認応答フレーム５２４および遅延ブロック確認応答フレーム５２８は、各々、ソースおよび宛先のＭＡＣアドレスを含み、宛先デバイスの部分関連付けＩＤ（ＰＡＩＤ）を含み得る。ステーションＤ３１４は、宛先ＭＡＣアドレスおよびＰＡＩＤが隠れノード（たとえば、ステーションＡ３０２）に関連付けられると決定することができる。
【００５６】
[0096]動作６３０において、ステーションＤ３１４はアクセスポイント３２０に報告を送信することができる。報告は、隠れノード（たとえば、ステーションＡ３０２）の識別情報を含むことができる。オプションで、動作６３０より前に、動作６２６において、ステーションＤ３１４は、ＲＴＳ／ＣＴＳ手順を使用してアクセスポイント３２０にデータを送信するように、ステーションＡ３０２とステーションＤ３１４の両方に命令するようにアクセスポイント３２０に要求するように決定する場合がある。この例では、ステーションＤ３１４は、たとえば動作６３０の報告内で、アクセスポイント３２０に要求を送信することができる。
【００５７】
[0097]動作６３４において、いくつかの構成では、アクセスポイント３２０は、上述されたように、ステーションＡ３０２からのデータ受信に関して検出された指示に基づいて、ステーションＡ３０２と、アクセスポイント３２０と通信している別のステーション（たとえば、ステーションＤ３１４）とに、ＲＴＳ／ＣＴＳ手順を共同で使用してアクセスポイント３２０にデータを送信するように要求するように決定することができる。いくつかの構成では、アクセスポイント３２０が（図５に関して上述された動作を使用して）、アップリンクトラフィックを有しおよび隠れノードを有するステーションの、アップリンクトラフィックを有するステーションのすべてに対する割合が、あらかじめ決定されたしきい値（たとえば、５０％）よりも大きいと決定した場合、アクセスポイント３２０は、ＲＴＳ／ＣＴＳ手順をイネーブルにするようにアップリンクトラフィックを有するすべてのステーションに要求することができる。いくつかの構成では、アクセスポイント３２０は、ステーションＤ３１４および動作６３０の報告内で識別されたステーションＤ３１４の隠れノード（たとえば、ステーションＡ３０２）に、ＲＴＳ／ＣＴＳ手順を共同で使用してアクセスポイント３２０にデータを送信するように要求するように決定することができる。いくつかの構成では、アクセスポイント３２０は、上述と同じことを要求する要求を受信すると、ステーションＡ３０２およびステーションＤ３１４に、ＲＴＳ／ＣＴＳ手順を共同で使用してアクセスポイント３２０にデータを送信するように要求するように決定することができる。
Ｃ．３  共同イネーブル化情報要素フォーマット
[0098]図６を参照して上述された隠れノード問題に対処するために、アクセスポイント３２０は、ステーションＡ３０２および／またはステーションＤ３１４が隠れノードを有することを識別すると、ＲＴＳ／ＣＴＳ手順を共同でイネーブルにするようにステーションＡ３０２およびステーションＤ３１４に要求するように構成され得る。
【００５８】
[0099]図７は、ＲＴＳ／ＣＴＳ手順の共同イネーブル化を通知するために使用される情報要素（ＩＥ）のフォーマットを示す図７００である。一構成では、共同ＲＴＳ／ＣＴＳ  ＩＥ７１０は、要素ＩＤフィールド７１１と、長さフィールド７１２と、グループインジケータフィールド７１５と、ＲＴＳオン開始時間フィールド７１６と、ＲＴＳオン継続時間フィールド７１７と、ＲＴＳオフ開始時間フィールド７１８と、ＲＴＳオフ継続時間フィールド７１９とを有する。
【００５９】
[00100]要素ＩＤフィールド７１１は、受信局が他のＩＥから共同ＲＴＳ／ＣＴＳ  ＩＥ７１０を区別することができるように要素を識別する。グループインジケータフィールド７１５は、ＲＴＳ／ＣＴＳ手順をイネーブルおよびディセーブルにするための同じグループに属するステーションを示す。長さフィールド７１２は、共同ＲＴＳ／ＣＴＳ  ＩＥ７１０内の残りのフィールドの長さを示す。ＲＴＳオン開始時間フィールド７１６は、受信局がＲＴＳ／ＣＴＳ手順をイネーブルにするように、すなわち、ＲＴＳ／ＣＴＳ手順を使用してアクセスポイント３２０にデータを送信することを開始するように要求された時間を示す。ＲＴＳオン継続時間フィールド７１７は、その間に受信局がＲＴＳ／ＣＴＳ手順をイネーブルにするように、すなわち、ＲＴＳ／ＣＴＳ手順を連続的に使用してアクセスポイント３２０にデータを送信するように要求された継続時間を示す。ＲＴＳオフ開始時間フィールド７１８は、受信局がＲＴＳ／ＣＴＳ手順をディセーブルにするように、すなわち、ＲＴＳ／ＣＴＳ手順を使用せずにアクセスポイント３２０にデータを送信することを開始するように要求された時間を示す。ＲＴＳオフ継続時間フィールド７１９は、その間に受信局がＲＴＳ／ＣＴＳ手順をディセーブルにするように、すなわち、ＲＴＳ／ＣＴＳ手順を使用せずにアクセスポイント３２０にデータを連続的に送信するように要求された継続時間を示す。
【００６０】
[00101]共同イネーブル化を扱うことが可能なアクセスポイントは、共同ＲＴＳ／ＣＴＳ  ＩＥ７１０を構成することができる。アクセスポイントは、ＲＴＳ／ＣＴＳ手順をイネーブルにするように要求されるステーションを指定するように、グループインジケータフィールド７１５を構成することができる。グループインジケータフィールド７１５は、選択されたステーションのＭＡＣアドレスまたは関連付けＩＤ（ＡＩＤ）を指定することができる。代替として、グループインジケータフィールド７１５はビットのシーケンスであり得る。各ビット位置は別個のステーションのＡＩＤに等しい。一構成では、ステーションのＡＩＤに対応するビットが１に設定された場合、ステーションは要求されたグループに含まれる。アクセスポイントは、さらに、選択されたステーションのグループがＲＴＳ／ＣＴＳ手順をイネーブルにするように要求された時間期間を設定するように、ＲＴＳオン開始時間フィールド７１６とＲＴＳオン継続時間フィールド７１７とを構成することができる。アクセスポイントは、また、選択されたステーションのグループがＲＴＳ／ＣＴＳ手順をディセーブルにするように要求された時間期間を設定するように、ＲＴＳオフ開始時間フィールド７１８とＲＴＳオフ継続時間フィールド７１９とを構成することができる。アクセスポイントは、たとえば管理フレームを介して、選択されたステーションに共同ＲＴＳ／ＣＴＳ  ＩＥ７１０を送信することができる。
【００６１】
[00102]別の構成では、共同ＲＴＳ／ＣＴＳ  ＩＥ７５０は、要素ＩＤフィールド７５１と、存在インジケータフィールド７５３と、報告インジケータフィールド７５４と、長さフィールド７５２と、グループインジケータフィールド７５５と、ＲＴＳオン開始時間フィールド７５６と、ＲＴＳオン継続時間フィールド７５７と、ＲＴＳオフ開始時間フィールド７５８と、ＲＴＳオフ継続時間フィールド７５９とを有する。要素ＩＤフィールド７５１、長さフィールド７５２、グループインジケータフィールド７５５、ＲＴＳオン開始時間フィールド７５６、ＲＴＳオン継続時間フィールド７５７、ＲＴＳオフ開始時間フィールド７５８、およびＲＴＳオフ継続時間フィールド７５９は、共同ＲＴＳ／ＣＴＳ  ＩＥ７１０の要素ＩＤフィールド７１１、長さフィールド７１２、グループインジケータフィールド７１５、ＲＴＳオン開始時間フィールド７１６、ＲＴＳオン継続時間フィールド７１７、ＲＴＳオフ開始時間フィールド７１８、およびＲＴＳオフ継続時間フィールド７１９と同様である。共同ＲＴＳ／ＣＴＳ  ＩＥ７１０と比較して、共同ＲＴＳ／ＣＴＳ  ＩＥ７５０は、２つの追加オプションフィールド、すなわち、存在インジケータフィールド７５３と、報告インジケータフィールド７５４とを有する。
【００６２】
[00103]一構成では、共同ＲＴＳ／ＣＴＳ  ＩＥ７５０内で要素ＩＤフィールド７５１および長さフィールド７５２のみが必要とされ、すべての他のフィールドはオプションであり得る。たとえば、共同ＲＴＳ／ＣＴＳ  ＩＥ７５０は、グループインジケータフィールド７５５を含まない場合がある。それに応じて、ステーションは、共同ＲＴＳ／ＣＴＳ  ＩＥ７５０によって命令されたように動作するためにすべての受信局が選択されることの指示として、グループインジケータフィールド７５５なしの共同ＲＴＳ／ＣＴＳ  ＩＥ７５０を解釈するように構成される。アクセスポイントは、このフォーマットを使用して、ＲＴＳ／ＣＴＳ手順をイネーブルにするように、アクセスポイントへのアップリンクトラフィックを有するすべての受信局に命令することができる。たとえば、アクセスポイントと通信しているステーションのすべてに対する隠れノードを有するステーションの数の割合が、あらかじめ決定されたしきい値（たとえば、５０％）よりも大きいとアクセスポイントが（たとえば、図５に関して上述された動作を使用して）決定した場合、アクセスポイントは、すべての受信局によるＲＴＳ／ＣＴＳ手順の共同イネーブル化を要求するために、すべての受信局にこのフォーマットを用いて共同ＲＴＳ／ＣＴＳ  ＩＥ７５０を送信することができる。さらに、共同ＲＴＳ／ＣＴＳ  ＩＥ７５０は、時間フィールド７５６、７５７、７５８、７５９を含まない場合がある。それに応じて、ステーションは、そのような共同ＲＴＳ／ＣＴＳ  ＩＥ７５０を受信したときはいつでも、ＲＴＳ／ＣＴＳ手順をイネーブルにするように構成され得る。
【００６３】
[00104]上述されたように、報告インジケータフィールド７５４、グループインジケータフィールド７５５、ＲＴＳオン開始時間フィールド７５６、ＲＴＳオン継続時間フィールド７５７、ＲＴＳオフ開始時間フィールド７５８、およびＲＴＳオフ継続時間フィールド７５９はオプションであり得る。一構成では、共同ＲＴＳ／ＣＴＳ  ＩＥ７５０は、存在インジケータフィールド７５３を使用して、オプションフィールドの各々が共同ＲＴＳ／ＣＴＳ  ＩＥ７５０に含まれるかどうかを示すことができる。たとえば、存在インジケータフィールド７５３は、各々がオプションフィールドに対応する一連のビットを含む場合がある。オプションフィールドがブロック内に存在する場合、対応するビットは１などの第１の値に設定され得る。オプションフィールドが共同ＲＴＳ／ＣＴＳ  ＩＥ７５０内に存在しない場合、対応するビットは０などの第２の値に設定され得る。
【００６４】
[00105]報告インジケータフィールド７５４は、スループットメトリックの報告を要請するために共同ＲＴＳ／ＣＴＳ  ＩＥ７５０に含まれ得る。ＲＴＳオン開始時間フィールド７５６、ＲＴＳオン継続時間フィールド７５７、ＲＴＳオフ開始時間フィールド７５８、およびＲＴＳオフ継続時間フィールド７５９と組み合わせて、アクセスポイントは、各々の示された時間期間内でスループットメトリックをアクセスポイントに返報するように選択されたステーションに要求するために、報告インジケータフィールド７５４を有する共同ＲＴＳ／ＣＴＳ  ＩＥ７５０を構成することができる。代替として、アクセスポイントは、選択されたステーションに報告を要求するために、示された期間の後に個別のフレームを送ることができる。
【００６５】
[00106]一構成では、要素ＩＤフィールド７５１の第１および第２のあらかじめ決定された値は、それぞれ、ＲＴＳ／ＣＴＳ手順のイネーブル化およびディセーブル化に対する要求を通知するために使用され得る。そのように構成された要素ＩＤフィールド７５１を有する共同ＲＴＳ／ＣＴＳ  ＩＥ７５０は、１組の時間フィールド（たとえば、ＲＴＳオン開始時間フィールド７５６およびＲＴＳオン継続時間フィールド７５７、または代替としてＲＴＳオフ開始時間フィールド７５８およびＲＴＳオフ継続時間フィールド７５９）を使用して、イネーブル化またはディセーブル化のいずれかのための選択された時間を通知することができる。
【００６６】
[00107]別の構成では、専用ＩＥを使用することの代わりに、共同ＲＴＳ／ＣＴＳインジケータは、任意の指定されたフレームのあらかじめ決定された位置にあるビットによって表され得る。たとえば、１および０は、すべての関連付けされたステーションについて、それぞれ、ＲＴＳ／ＣＴＳをイネーブルにすることおよびディセーブルにすることに対応する場合がある。ビットは、ＡＰからの任意のフレームの任意の部分内にあり得る。たとえば、このビットは、フレームプリアンブルのＳＩＧフィールド内、または管理フレーム、制御フレーム、およびデータフレームのＭＡＣヘッダ内にあり得る。
Ｃ．４  共同イネーブル化手順
[00108]図８は、ワイヤレスネットワーク内のワイヤレスデバイスの間の信号通信を示す図８００である。一構成では、隠れノードを識別すると、アクセスポイント３２０は、最初に評価手順を使用して、ＲＴＳ／ＣＴＳ手順をイネーブルにすることがステーションＡ３０２およびステーションＤ３１４におけるスループットを改善できるかどうかを決定する場合がある。具体的には、動作８０２において、アクセスポイント３２０は、ステーションＡ３０２およびステーションＤ３１４との評価手順を開始するように決定する場合がある。評価手順は、ステーションＡ３０２およびステーションＤ３１４が共同で、ＲＴＳ／ＣＴＳ手順を使用してアクセスポイント３２０にデータを送信することにより、ステーションＡ３０２およびステーションＤ３１４のスループットを改善することができるかどうかを決定することができる。より具体的には、動作８０６において、アクセスポイント３２０は、ステーションＡ３０２とステーションＤ３１４の両方に共同イネーブル化要求を送信することができる。要求は、図７に記載されたように、管理フレームを介してアクセスポイント３２０からステーションＡ３０２およびステーションＤ３１４に送信され得るＩＥを使用して実施され得る。アクセスポイント３２０は、グループインジケータフィールド７１５内のステーションＡ３０２およびステーションＤ３１４のＭＡＣアドレスを指定することができる。アクセスポイント３２０は、ＲＴＳオン開始時間フィールド７１６とＲＴＳオン継続時間フィールド７１７とを使用して、ステーションＡ３０２およびステーションＤ３１４がＲＴＳ／ＣＴＳ手順をイネーブルにするように要求される第１の時間期間を指定することができる。アクセスポイント３２０は、ＲＴＳオフ開始時間フィールド７１８とＲＴＳオフ継続時間フィールド７１９とを使用して、ステーションＡ３０２およびステーションＤ３１４がＲＴＳ／ＣＴＳ手順をディセーブルにするように要求される第２の時間期間を指定することができる。
【００６７】
[00109]要求を受信すると、ステーションＡ３０２およびステーションＤ３１４は、要求内で指定されたようにＲＴＳ／ＣＴＳ手順をイネーブルおよびディセーブルにするように動作する。要求によって指定された第１の時間期間内で、動作８１０において、ステーションＡ３０２はアクセスポイント３２０にＲＴＳを送信する。動作８１４において、アクセスポイント３２０はステーションＡ３０２にＣＴＳを送信する。ステーションＤ３１４はアクセスポイント３２０の送信範囲内にあるので、ステーションＤ３１４もＣＴＳを受信し、それに応じて、ＣＴＳ内で示された時間期間の間にいかなるデータ送信も保留し得る。動作８１８において、ステーションＡ３０２はアクセスポイント３２０に１つまたは複数のデータパケット（たとえば、ＰＰＤＵ）を送信する。動作８２２において、ステーションＡ３０２はアクセスポイント３２０に別のＲＴＳを送信する。動作８２６において、アクセスポイント３２０は別のＣＴＳを送信し、それはステーションＡ３０２とステーションＤ３１４の両方によって受信される。動作８３０において、アクセスポイント３２０はアクセスポイント３２０に１つまたは複数のデータパケットを送信する。動作８３４において、ステーションＡ３０２はアクセスポイント３２０にブロック確認応答要求を送信する。動作８３８において、アクセスポイント３２０はブロック確認応答を送信し、それはステーションＡ３０２とステーションＤ３１４の両方によって受信される場合がある。
【００６８】
[00110]動作８４２において、まだ第１の時間期間内に、ステーションＤ３１４はアクセスポイント３２０にＲＴＳを送信する。動作８４６において、アクセスポイント３２０はＣＴＳを送信し、それはステーションＡ３０２とステーションＤ３１４の両方によって受信される場合がある。動作８５０において、ステーションＤ３１４はアクセスポイント３２０に１つまたは複数のデータパケットを送信する。動作８５４において、ステーションＤ３１４はアクセスポイント３２０に別のＲＴＳを送信する。動作８５８において、アクセスポイント３２０は別のＣＴＳを送信し、それはステーションＡ３０２とステーションＤ３１４の両方によって受信される場合がある。動作８６２において、ステーションＤ３１４はアクセスポイント３２０に１つまたは複数のデータパケットを送信する。動作８６６において、ステーションＤ３１４はアクセスポイント３２０にブロック確認応答要求を送信する。動作８７０において、アクセスポイント３２０はブロック確認応答を送信し、それはステーションＡ３０２とステーションＤ３１４の両方によって受信される場合がある。
【００６９】
[00111]動作８７１において、アクセスポイント３２０は、図３を参照して上述された技法を使用して、第１の時間期間内で、それぞれステーションＡ３０２およびステーションＤ３１４における１つまたは複数のスループットメトリックの値を決定することができる。たとえば、スループットメトリックは、アクセスポイント３２０、ステーションＡ３０２、およびステーションＤ３１４において測定された実際のスループットであり得る。別の例として、スループットメトリックは、ステーションＡ３０２およびステーションＤ３１４において測定された均等フルバッファスループットであり得る。ステーションは、それらのメトリックがステーションによって測定された場合、それらをＡＰに報告する場合がある。ＡＰは、上述された共同ＲＴＳ／ＣＴＳイネーブル化ＩＥ内で、報告するかしないかをステーションに示すことができる。いくつかの構成では、アクセスポイント３２０は、スループットメトリック以外の通信メトリックを使用する場合がある。通信メトリックは、実際のスループット、均等フルバッファスループット、再試行率、パケット誤り率（ＰＥＲ）、変調コーディング方式（ＭＣＳ）、またはアクセス遅延のうちの少なくとも１つを含む場合がある。
【００７０】
[00112]その後、第２の時間期間内で、動作８７２において、ステーションＡ３０２はアクセスポイント３２０に１つまたは複数のデータパケットを送信する。動作８７４において、ステーションＤ３１４はアクセスポイント３２０に１つまたは複数のデータパケットを送信する。動作８７６において、ステーションＡ３０２はアクセスポイント３２０に１つまたは複数のデータパケットを送信する。動作８７８において、ステーションＡ３０２はアクセスポイント３２０にブロック確認応答要求を送信する。動作８８０において、アクセスポイント３２０はブロック確認応答を送信し、それはステーションＡ３０２とステーションＤ３１４の両方によって受信される場合がある。動作８８２において、ステーションＤ３１４はアクセスポイント３２０に１つまたは複数のデータパケットを送信する。動作８８４において、ステーションＤ３１４はアクセスポイント３２０にブロック確認応答要求を送信する。動作８８６において、アクセスポイント３２０はブロック確認応答を送信し、それはステーションＡ３０２とステーションＤ３１４の両方によって受信される場合がある。
【００７１】
[00113]動作８８８において、アクセスポイント３２０は、再び、図５を参照して上述された技法を使用して、第２の時間期間内で、それぞれステーションＡ３０２およびステーションＤ３１４におけるさらなるスループットメトリックのうちの１つのスループットメトリックの値を決定することができる。その後、アクセスポイント３２０は、図５を参照して上述された技法を使用して、ステーションＡ３０２およびステーションＤ３１４が共同で、ＲＴＳ／ＣＴＳ手順を使用してアクセスポイント３２０にデータを送信することが、ステーションＡ３０２およびステーションＤ３１４のスループットを改善できるかどうかを決定することができる。その後、アクセスポイント３２０は、ステーションＡ３０２およびステーションＤ３１４によるＲＴＳ／ＣＴＳ手順の共同イネーブル化が、ステーションＡ３０２および／またはステーションＤ３１４のスループットを改善することができるとの決定に応答して、ステーションＡ３０２およびステーションＤ３１４にＲＴＳ／ＣＴＳ手順をイネーブルにすることに対する別の要求を送信することができる。要求は、ＲＴＳ／ＣＴＳ手順をイネーブルにするようにステーションＡ３０２およびステーションＤ３１４に命令する。要求は、さらに、要求された共同イネーブル化の時間期間を指定することができる。
Ｄ．拡張手順
Ｄ．１  隠れノードからデータを受信するビジーネイバー
[00114]図９は、ワイヤレスネットワーク内のワイヤレスデバイスを示す図９００である。ステーション９１４はステーション９１０にデータを送信している。ステーション９０２およびステーション９０６は、ステーション９１４の送信範囲９１６の外にある。したがって、ステーション９０２およびステーション９０６は、ステーション９１４からステーション９１０へのデータ送信を検知しない。ステーション９１４がステーション９１０に送信している間、ステーション９０２はステーション９０６にＲＴＳを送信する場合がある。まだ送信中に、ステーション９０６はステーション９０２にＣＴＳを送信し得る。ステーション９１０はステーション９１４からデータを受信することにビジーなので、ステーション９１０はＲＴＳまたはＣＴＳを検出しない。ＲＴＳおよびＣＴＳの通信に成功した後、ステーション９０２およびステーション９０６は、媒体が空いている（clear）と決定し、データの送信を開始する。ステーション９０２とステーション９０６との間のデータ送信が進行中である間、ＲＴＳまたはＣＴＳを検出しなかったステーション９１０は、媒体が空いている（clear）と決定し、ステーション９１４へのデータの送信を開始する。ステーション９０２およびステーション９０６はステーション９１０の送信範囲９１２内にあるので、ステーション９１０からのデータ送信は、ステーション９０２およびステーション９０６にも到達し、ステーション９０２およびステーション９０６に対する干渉になることができる。
Ｄ．１．ａ  オーバージエア媒体占有率を低減するようにネイバーに要求する技法
[00115]一構成では、ステーション９０２および／またはステーション９０６は、拡張手順を使用して、ステーション９１０とステーション９１４との間のデータ送信からの干渉を低減することができる。たとえば、ステーション９０２またはステーション９０６は、オーバージエア（ＯＴＡ）媒体占有率を低減するようにステーション９０２およびステーション９０６のネイバーに要求する要求を送信することができる。たとえば、ステーション９０２またはステーション９０６は、通信（たとえば、ステーション９１４との通信）のためにあまりアグレッシブでない拡張分散チャネルアクセス（ＥＤＣＡ）パラメータを使用するようにステーション９１０に要求することができる。別の例として、ステーション９０２またはステーション９０６は、１つまたは複数の専用サイレンス期間を維持するようにステーション９１０に要求することができる。さらに、専用サイレンス期間は周期的であり得る。したがって、ステーション９１０は、ステーション９０２とステーション９０６との間で送信されたＲＴＳ／ＣＴＳを取り込むために、より多くのアイドル時間を有する場合がある。
Ｄ２．フルバッファ隠れノードによって干渉される利用可能なネイバー
[00116]さらに、いくつかの状況では、ステーション９１４は、ステーション９１８にデータを連続して送信する場合がある。ステーション９１０はステーション９１４の送信範囲９１６内にあるので、ステーション９１０もデータ送信を干渉として受信する。ステーション９１４からのデータ送信のステーション９１０における干渉強度は、ステーション９０２からのＲＴＳ送信のステーション９１０における信号強度よりもかなり強い場合がある。ステーション９１０がステーション９１４からステーション９１８への干渉を受信している間、ステーション９１０は、利用可能（アイドル）ではあるが、ステーション９０２またはステーション９０６から送信されたＲＴＳまたはＣＴＳを検出しない場合があることに問題がある。
Ｄ．２．ａ  反復パターンでＲＴＳ／ＣＴＳを送信する技法
[00117]上記の干渉問題に対処するために、一構成では、ステーション９０２は、反復パターンでステーション９０６またはステーション９１０にＲＴＳを送信することができる。図１０は、ワイヤレスネットワーク内のワイヤレスデバイスの間の信号通信を示す図１０００である。構成１０１０では、ステーション９０２は、ステーション９０６に第１のＲＴＳ１０１１−１と、第２のＲＴＳ１０１１−２と、・・・、第ＮのＲＴＳ１０１１−Ｎとを送信することができ、Ｎはあらかじめ決定された正の整数である。それに応答して、ステーション９０６は、ステーション９０２に第１のＣＴＳ１０１２−１と、第２のＣＴＳ１０１２−２と、・・・、第ＮのＣＴＳ１０１２−Ｎとを送信する。この特定のパターンでは、各ＲＴＳの後にＣＴＳが続く。２つのＲＴＳの間、２つのＣＴＳの間、ならびに１つのＲＴＳと１つのＣＴＳとの間のインターフレーム間隔は、任意の適切なそれぞれの事前指定された時間期間であり得る。この例では、２つの連続するＲＴＳとＣＴＳとの間のインターフレーム間隔は、ＳＩＦＳなどの同じ時間期間であり得る。第ＮのＣＴＳを受信することに続いて、ステーション９０２は、ステーション９０６に１つまたは複数のデータパケット１０３０を送信する。
【００７２】
[00118]代替として、ステーション９０２は、ステーション９０６に単一の第１のＲＴＳ１０１１−１を送信することができる。ステーション９０６は、それに応答して、反復パターンでＮ個のＣＴＳ（たとえば、第１のＣＴＳ１０１２−１、第２のＣＴＳ１０１２−２、・・・、および第ＮのＣＴＳ１０１２−Ｎ）を送信する。ＲＴＳと後続のＣＴＳとの間、ならびに２つの連続するＣＴＳ間のインターフレーム間隔は、任意の適切なそれぞれの事前指定された時間期間であり得る。この例では、事前指定された時間期間は、ＳＩＦＳなどの同じ時間期間であり得る。
【００７３】
[00119]ステーション９０２とステーション９０６が反復パターンでＲＴＳ／ＣＴＳを交換すると、それにより、ステーションがステーション９１０（ならびにステーション９０６）のすべてのＲＴＳ／ＣＴＳを取り逃がす確率が減少する。さらに、反復されたＲＴＳ／ＣＴＳは、共同検出および復号用に組み合わされる場合がある。
【００７４】
[00120]反復の数（たとえば、Ｎの値）は、データパケット１０３０がさらに頻繁に隠れノード干渉を被る場合、増やされ得る。干渉は、データパケット１０３０が中途において（たとえば、プリアンブルの後に）干渉に頻繁に見舞われるかどうかを決定すること、または実際のＰＥＲが推定干渉フリーＰＥＲよりもかなり高いかどうかを決定することなどの、図５を参照して上述された技法を使用して決定され得る。
Ｄ．２．ｂ  ＲＴＳ／ＣＴＳ送信電力を適応的に増強する技法
[00121]上記の干渉問題に対処するために、一構成では、ステーション９０２およびステーション９０６は、ＲＴＳ／ＣＴＳ送信電力を適応的に増強することができる。たとえば、最初に、ステーション９０２とステーション９０６はＲＴＳ／ＣＴＳを交換する。上述されたように、ステーション９１０におけるデータ受信は、ステーション９１４からステーション９１８へのデータ送信によって干渉される。したがって、ステーション９１０は、ステーション９０２から送信されたＲＴＳを検出しない場合がある。データパケットがさらに頻繁に隠れノード干渉を被っていることをステーション９０２およびステーション９０６が検出した場合、ステーション９０２およびステーション９０６は、（たとえば、ステーション９１０における）低い信号対干渉プラス雑音比（ＳＩＮＲ）における検出を改善するために、ＲＴＳ／ＣＴＳ用の送信電力を増やすことができる。たとえば、ステーション９０２は、ＲＴＳ内またはビーコンフレーム内で、ＣＴＳを送信するためにステーション９０６によって使用されるべき送信電力を示すことができる。ステーション９０６は、ＣＴＳ内または確認応答フレーム内で、次のＲＴＳを送信するためにステーション９０２によって使用されるべき送信電力を示すことができる。一構成では、この電力適応技法は、上述された反復パターンでＲＴＳ／ＣＴＳを送信することに関する技法と組み合わせて使用され得る。たとえば、ＲＴＳ／ＣＴＳが反復されるたびに、ＲＴＳ／ＣＴＳの送信電力も増やされる。
Ｄ．２．ｃ  異なるレートでＲＴＳ／ＣＴＳを送信する技法
[00122]上記の干渉問題に対処するために、一構成では、ステーション９０２およびステーション９０６は、異なるレートでＲＴＳ／ＣＴＳを送信することができる。たとえば、ＲＴＳ／ＣＴＳ手順をイネーブルにした後にデータパケットがさらに頻繁に隠れノード干渉を被っていることをステーション９０２およびステーション９０６が検出した場合、ステーション９０２およびステーション９０６は、ＲＴＳ／ＣＴＳ手順において使用された前のデータレートよりも低いデータレートでＲＴＳ／ＣＴＳを送ることができる。より低いデータレートのＲＴＳ／ＣＴＳは、ステーション９１０において、より低いレートで送信されたＲＴＳ／ＣＴＳを検出することが可能な低いＳＩＮＲで復号され得る。しかしながら、ステーション９０６は、より低いレートでＲＴＳ／ＣＴＳを検出することが可能ではない場合がある。ステーション９０２は、より低いレートでのＲＴＳ／ＣＴＳの送信より前に、またはその後に、以前のより高いレートでＲＴＳ／ＣＴＳを送信するように構成され得る。ＲＴＳ／ＣＴＳの送信に続いて、ステーション９０２は、ステーション９０６にデータパケットを送信する。ＲＴＳ／ＣＴＳならびにデータパケットの送信は、同じ送信機会内であり得る。
【００７５】
[00123]図１０に示された構成１０５０では、ステーション９０２は、最初にステーション９０６に従来の（legacy）ＲＴＳ１０６２を送信し、ステーション９０６は、それに応答して、ステーション９０２に従来のＣＴＳ１０７２を送信する。その後、ステーション９０２は、ステーション９０６に次世代のＲＴＳ１０６４を送信し、ステーション９０６は、それに応答して、ステーション９０２に次世代のＣＴＳ１０７４を送信する。その後、ステーション９０２はステーション９０６にデータパケット１０８０を送信する。任意の２つのフレーム間のインターフレーム間隔は、任意の適切な指定された時間期間であり得る。インターフレーム間隔は、ＳＩＦＳなどの同じ時間期間であり得る。従来のＲＴＳ１０６２、従来のＣＴＳ１０７２、次世代のＲＴＳ１０６４、次世代のＣＴＳ１０７４、およびデータパケット１０８０は、同じ送信機会内であり得る。従来のＲＴＳ／ＣＴＳは、従来のレート、たとえば１または６Ｍｂｐｓで送られるが、次世代のＲＴＳ／ＣＴＳは、より高いレートで送られ得る。
【００７６】
[00124]次世代のＲＴＳ／ＣＴＳは、従来のデバイスによって認識されない場合がある。従来のデバイスからの保護を維持するために、説明されたように、次世代のＲＴＳ／ＣＴＳは、従来のＲＴＳ／ＣＴＳとともに使用され得る。構成１０５０では、従来のＲＴＳ／ＣＴＳの後に次世代のＲＴＳ／ＣＴＳが続く。次世代のＲＴＳ／ＣＴＳは、低いＳＩＮＲで互換デバイスによって復号され得る。従来のＲＴＳ／ＣＴＳは、通常のＳＩＮＲで従来のデバイスによって復号され得る。
Ｄ．３  応答率が低いビジーな受信側
[00125]さらに、再び図９を参照すると、ステーション９１４がステーション９１０にデータを送信している間、ステーション９１０においてチャネルがほとんどの時間ビジーなので、ステーション９１０は、ステーション９０２によって送信されたＲＴＳにしばしば応答しない場合がある。低いＣＴＳ応答率の１つの重要な影響は、ＲＴＳ再試行の回数が最大限度を超えた後にステーション９０２がデータパケットを捨てることである。捨てられたデータパケットは、ステーション９１０において受信されたデータパケットシーケンス内に穴を開ける可能性があり、上位レイヤへの日付パケット搬送を遅延させる可能性がある。ＲＴＳの失敗は、媒体を浪費し、干渉を拡大する可能性もある。
【００７７】
[00126]言い換えれば、ステーション９１０は、ステーション９１４から連続データ送信を受信する場合がある。したがって、ステーション９１０は、ステーション９０２から送信されたＲＴＳをしばしば検出しない場合がある。ステーション９１０からのＲＴＳ応答率が低いので、ステーション９０２がステーション９１０にデータを送信する機会が少なくなることに問題がある。
Ｄ．３．１  応答率に基づいて切替え手順を開始するかどうかを決定する技法
[00127]一構成では、ステーション９０２は、ステーション９１０の応答率を決定するように構成される。たとえば、ステーション９０２は、ステーション９１０に送信されたＲＴＳの数（たとえば、Ｍ）と、ＲＴＳに応答してステーション９１０から受信されたＣＴＳの数（たとえば、Ｎ）とを記録に残す場合がある。ステーション９０２は応答率を決定する場合がある。たとえば、応答率は、ＲＴＳの数とＣＴＳの数との比（たとえば、Ｎ／Ｍ）であり得る。応答率があらかじめ決定されたしきい値（たとえば、５０％）よりも小さい場合、ステーション９０２は、ステーション９１０からの応答率が低いと決定する場合がある。
【００７８】
[00128]低いＲＴＳ応答率を検出すると、ステーション９０２は、ステーション９０２において観測されたチャネル負荷を有する１つまたは複数の切替え要求をステーション９１０に送ることができる。切替え要求は、ポーリング手順を使用してステーション９０２とステーション９１０との間でデータを送信することに切り替えることを承認する（ｃｏｎｆｉｒｍ）ようにステーション９１０に要求する。切替え要求は、管理フレームまたはデータフレーム内のＩＥに組み込まれ得る。
【００７９】
[00129]切替え要求を受信すると、ステーション９１０は、ステーション９０２におけるチャネル負荷とステーション９１０におけるチャネル負荷とを比較する場合がある。ステーション９１０におけるチャネル負荷がステーション９０２におけるチャネル負荷よりも大きい場合、ステーション９１０は、ステーション９０２とのデータ通信にポーリング手順を使用することに切り替えるように決定する場合がある。それに応じて、ステーション９１０はステーション９０２に切替え承認（switching confirmation）を送信する。代替として、ステーション９１０は、チャネル負荷を比較せずに承認を送る場合がある。切替え承認は、管理フレームまたはデータフレーム内のＩＥに組み込まれ得る。
【００８０】
[00130]ステーション９１０から切替え承認を受信すると、ステーション９０２は、ステーション９１０へのＲＴＳの送信を停止し、ステーション９１０の利用可能性を告知するポーリング要求をステーション９１０から受信するのを待つ。
【００８１】
[00131]ステーション９１０におけるチャネル負荷がステーション９０２におけるチャネル負荷よりも大きくないとステーション９１０が決定した場合、ステーション９１０は、ステーション９０２に切替え承認を送信しない場合がある。切替え承認を受信しないと、ステーション９０２は、ステーション９１０へのＲＴＳの送信を続行する。
【００８２】
[00132]追加または代替として、ステーション９１０は、ステーション９０２から受信されたＲＴＳと、応答してステーション９０２に送られたＣＴＳとを記録に残し得る。ステーション９１０は、ＮＡＶが設定されるか、または高いエネルギーを有する他のパケットが検出された場合、ＣＴＳを応答しない場合がある。ステーション９１０は、同様に応答率を決定する場合がある。それに応じて、応答率がしきい値よりも低いとき、ステーション９１０は、ステーション９１０がステーション９０２との通信にポーリング手順を使用してもよいと承認するようにステーション９０２に要求する切替え要求を、ステーション９０２に送る場合がある。切替え要求は、ステーション９１０におけるチャネル負荷を含む場合がある。ステーション９０２は、切替え要求を承認するか拒否するかを決定するために、同様に、ステーション９０２におけるチャネル負荷をステーション９１０におけるチャネル負荷と比較する場合がある。ステーション９０２から切替え承認を受信すると、ステーション９１０は、ステーション９１０の利用可能性を告知するポーリング要求をステーション９０２に送る場合がある。
【００８３】
[00133]ステーション９１４がステーション９１０にデータを送信しておらず、媒体が利用可能であることをステーション９１０が検知した時点において、ステーション９０２とステーション９１０との間のデータ送信にポーリング手順を使用するようにステーション９１０が決定すると、ステーション９１０は、ステーション９１０の利用可能性を告知するためにステーション９０２にポーリング要求を送ることができる。ステーション９０２も利用可能である場合、ステーション９１０からポーリング要求を受信すると、ステーション９０２はステーション９１０へのデータ送信を開始することができる。ステーション９０２が利用可能ではない場合、ステーション９１０は、あらかじめ決定された時間期間（たとえば、ＳＩＦＳ）内にステーション９０２からデータを受信しない。その後、ステーション９１０がまだ利用可能である場合、ステーション９１０は、ステーション９０２に別のポーリング要求を送信することができる。
【００８４】
[00134]さらに、ステーション９０６は、ステーション９１０の送信範囲９１２から移動し、ステーション９０２にデータを引き続き送信する場合がある。ステーション９０６は、ステーション９１０から送信された信号を検知しない。ステーション９０６がステーション９０２にデータを送信している間、ステーション９０２においてチャネルがほとんどの時間ビジーなので、ステーション９０２は、ステーション９１０によって送信されたポーリング要求にしばしば応答しない場合がある。
【００８５】
[00135]言い換えれば、ステーション９０２は、ステーション９０６から連続データ送信を受信する場合がある。したがって、ステーション９１０は、ステーション９１０から送信されたポーリング要求をしばしば検出しない場合がある。ステーション９０２からの応答率が低いので、ステーション９０２がステーション９１０にデータを送信する機会が少なくなる。
【００８６】
[00136]一構成では、ステーション９１０は、ステーション９０２の応答率を決定するように構成される。たとえば、ステーション９１０は、ステーション９０２に送信されたポーリング要求の数（たとえば、Ｍ）と、ポーリング要求に応答してステーション９０２から受信された応答（たとえば、データ）の数（たとえば、Ｎ）とを記録に残す場合がある。ポーリング要求の数と応答の数との比（たとえば、Ｎ／Ｍ）があらかじめ決定された比（たとえば、５０％）よりも小さい場合、ステーション９１０は、ステーション９０２からの応答率が低いと決定することができる。
【００８７】
[00137]低いポーリング応答率を検出すると、ステーション９１０は、ステーション９１０において観測されたチャネル負荷を有する１つまたは複数の切替え要求をステーション９０２に送ることができる。切替え要求は、ＲＴＳ／ＣＴＳ手順を使用してステーション９０２とステーション９０２との間でデータを送信することに切り替えることを承認するようにステーション９１０に要求する。切替え要求は、管理フレームまたはデータフレーム内のＩＥに組み込まれ得る。
【００８８】
[00138]切替え要求を受信すると、ステーション９０２は、ステーション９０２におけるチャネル負荷とステーション９１０におけるチャネル負荷とを比較する場合がある。ステーション９０２におけるチャネル負荷がステーション９１０におけるチャネル負荷よりも大きい場合、ステーション９０２は、ステーション９１０とのデータ通信にＲＴＳ手順を使用することに切り替えるように決定することができる。それに応じて、ステーション９０２はステーション９１０に切替え承認を送信する。切替え承認は、管理フレームまたはデータフレーム内のＩＥに組み込まれ得る。代替として、ステーション９１０は、チャネル負荷を比較せずに承認を送る場合がある。ステーション９０２から切替え承認を受信すると、ステーション９１０は、ステーション９０２へのポーリング要求の送信を停止し、ＲＴＳをステーション９１０から受信するのを待つ。
【００８９】
[00139]ステーション９０２におけるチャネル負荷がステーション９１０におけるチャネル負荷よりも大きくないとステーション９０２が決定した場合、ステーション９０２は、ステーション９１０に切替え承認を送信しない場合がある。切替え承認を受信しないと、ステーション９１０は、ステーション９０２へのポーリング要求の送信を続行する。
【００９０】
[00140]追加または代替として、ステーション９０２は、ステーション９１０から受信されたポーリング要求と、応答してステーション９１０に送られたデータとを記録に残す場合がある。ステーション９０２は、ＮＡＶが設定されるか、または高いエネルギーを有する他のパケットが検出された場合、データでポーリング要求に応答しない場合がある。ステーション９０２は、同様に応答率を決定する場合がある。それに応じて、応答率がしきい値よりも低いとき、ステーション９０２は、ステーション９０２がステーション９１０との通信にＲＴＳ／ＣＴＳ手順を使用してもよいと承認するようにステーション９１０に要求する切替え要求を、ステーション９１０に送る場合がある。切替え要求は、ステーション９０２におけるチャネル負荷を含む場合がある。ステーション９１０は、切替え要求を承認するか拒否するかを決定するために、同様に、ステーション９１０におけるチャネル負荷をステーション９０２におけるチャネル負荷と比較する場合がある。ステーション９１０から切替え承認を受信すると、ステーション９０２は、ＲＴＳをステーション９０２に送る場合がある。
【００９１】
[00141]ステーション９０６がステーション９０２にデータを送信しておらず、媒体が利用可能であることをステーション９１０が検知した時点において、ステーション９０２とステーション９０２との間のデータ送信にＲＴＳ／ＣＴＳ手順を使用するようにステーション９０２が決定すると、ステーション９０２は、ステーション９１０にＲＴＳ要求を送ることができる。ステーション９１０も利用可能である場合、ステーション９０２からＲＴＳを受信すると、ステーション９１０はステーション９０２にＣＴＳを送信することができる。ステーション９１０が利用可能ではない場合、ステーション９０２は、あらかじめ決定された時間期間（たとえば、ＳＩＦＳ）内にステーション９１０からＣＴＳを受信しない。その後、ステーション９０２がまだ利用可能である場合、ステーション９０２は、ステーション９１０に別のＲＴＳを送信することができる。
【００９２】
[00142]図１１は、媒体予約手順の共同イネーブル化の例示的な方法１１００のフローチャートである。本方法は、ＡＰ（たとえば、アクセスポイント１０４、アクセスポイント３２０、装置２９０２／２０２）によって実施される場合がある。いくつかの構成では、動作１１１４において、ＡＰは、複数のＳＴＡのうちのＳＴＡのサブセットの各ＳＴＡがＡＰに対する干渉を引き起こす隠れノードを有すると決定する。隠れノードは、ＡＰにデータを送信し、ＡＰと各ＳＴＡとの間の通信を妨害する。さらに、複数のＳＴＡの各ＳＴＡはＡＰとのアップリンクトラフィックを有する。ＳＴＡのサブセットは、複数のＳＴＡのすべてを含む場合がある。たとえば、図８を参照すると、アクセスポイント３２０は、ステーションＡ３０２およびステーションＤ３１４からアップリンクトラフィックを受信する。図５を参照すると、アクセスポイント３２０は、ステーションＤ３１４が隠れノードを有すると決定する。
【００９３】
[00143]動作１１１６において、ＡＰは、複数のＳＴＡの各ＳＴＡがＡＰとのアップリンクトラフィックを有すること、またはＳＴＡのサブセットの各ＳＴＡが隠れノードを有することのうちの少なくとも１つに基づいて、通信のための媒体予約手順を共同でイネーブルおよびディセーブルにするように複数のＳＴＡに要求する。複数のＳＴＡは、複数のＳＴＡが各々アップリンクトラフィックを有すること、および複数のＳＴＡに対するＳＴＡのサブセットの割合がしきい値を満たすことに基づいて、媒体予約手順を共同でイネーブルおよびディセーブルにするように要求され得る。たとえば、図８を参照すると、アクセスポイント３２０は、ＲＴＳ／ＣＴＳ手順を共同でイネーブルおよびディセーブルにするようにステーションＡ３０２およびステーションＤ３１４に要求する。
【００９４】
[00144]動作１１１８において、ＡＰは、通信のための媒体予約手順を共同でイネーブルまたはディセーブルにする間、複数のＳＴＡから通信メトリックを示す情報を受信する。たとえば、図８を参照すると、アクセスポイント３２０は、ステーションＡ３０２およびステーションＤ３１４における１つまたは複数のスループットメトリックを決定する。
【００９５】
[00145]動作１１２０において、ＡＰは、通信メトリックを示す受信された情報に基づいて、媒体予約手順の共同イネーブル化が複数のＳＴＡ向けの通信を改善するかどうかを決定する。媒体予約手順の共同イネーブル化は、複数のＳＴＡ向けの通信を改善し、動作１１２２において、ＡＰは、後続の通信のための媒体予約手順を共同でイネーブルにするように複数のＳＴＡに要求する。媒体予約手順の共同イネーブル化が複数のＳＴＡ向けの通信を改善しないとき、動作１１２４において、ＡＰは、後続の通信のための媒体予約手順を共同でイネーブルにするように複数のＳＴＡに要求することを控える。
【００９６】
[00146]いくつかの構成では、媒体予約手順はＲＴＳ／ＣＴＳ手順を利用する。いくつかの構成では、通信メトリックは、実際のスループット、均等フルバッファスループット、再試行率、ＰＥＲ、ＭＣＳ、またはアクセス遅延のうちの少なくとも１つを含む。
【００９７】
[00147]図１２は、図１１に示された動作１１２０内で通信メトリックの改善点を決定するための例示的な方法１２００のフローチャートである。本方法は、ＡＰ（たとえば、アクセスポイント１０４、アクセスポイント３２０、装置２９０２／２０２）によって実施される場合がある。動作１２１２において、ＡＰは、第１の時間期間内に通信のための媒体予約手順を共同でイネーブルにし、第２の時間期間内に通信のための媒体予約手順を共同でディセーブルにするように複数のＳＴＡに要求する。いくつかの構成では、動作１２１２内の動作１２２０において、ＡＰは、第１の時間期間を示す第１の時間インジケータを複数のＳＴＡに送信する。動作１２２２において、ＡＰは、第２の時間期間を示す第２の時間インジケータを複数のＳＴＡに送信する。動作１２２４において、ＡＰは、複数のＳＴＡの各ＳＴＡを識別するＳＴＡインジケータを複数のＳＴＡに送信する。いくつかの構成では、第１の時間インジケータ、第２の時間インジケータ、およびＳＴＡインジケータの各々は、フレームのＩＥに含まれる場合があるか、またはフレーム内の１つまたは複数の情報ビットであり得る。
【００９８】
[00148]たとえば、図８を参照すると、動作８０６において、アクセスポイント３２０は、ステーションＡ３０２とステーションＤ３１４の両方に共同イネーブル化要求を送信することができる。要求は、図７に記載されたように、管理フレームを介してアクセスポイント３２０からステーションＡ３０２およびステーションＤ３１４に送信され得るＩＥを使用して実施され得る。アクセスポイント３２０は、グループインジケータフィールド７１５内のステーションＡ３０２およびステーションＤ３１４のＭＡＣアドレスを指定することができる。アクセスポイント３２０は、ＲＴＳオン開始時間フィールド７１６とＲＴＳオン継続時間フィールド７１７とを使用して、ステーションＡ３０２およびステーションＤ３１４がＲＴＳ／ＣＴＳ手順をイネーブルにするように要求される第１の時間期間を指定することができる。アクセスポイント３２０は、ＲＴＳオフ開始時間フィールド７１８とＲＴＳオフ継続時間フィールド７１９とを使用して、ステーションＡ３０２およびステーションＤ３１４がＲＴＳ／ＣＴＳ手順をディセーブルにするように要求される第２の時間期間を指定することができる。
【００９９】
[00149]動作１２１４において、ＡＰは、第１の時間期間内の複数のＳＴＡの通信メトリックと、第２の時間期間内の複数のＳＴＡの通信メトリックとを決定する。いくつかの構成では、動作１２１４内の動作１２３０において、ＡＰは、第１の時間期間内に媒体予約手順の共同イネーブル化を用いて、複数のＳＴＡの各ＳＴＡからデータを受信する。動作１２３２において、ＡＰは、第１の時間期間内に各ＳＴＡから受信されたデータに基づいて、複数のＳＴＡの各ＳＴＡ用の通信メトリックのそれぞれの第１の値を決定する。動作１２３４において、ＡＰは、第２の時間期間内に媒体予約手順の共同ディセーブル化を用いて、複数のＳＴＡの各ＳＴＡからデータを受信する。動作１２３６において、ＡＰは、第２の時間期間内に各ＳＴＡから受信されたデータに基づいて、複数のＳＴＡの各ＳＴＡ用の通信メトリックのそれぞれの第２の値を決定する。通信メトリックの改善点は、第１の値および第２の値に基づいて決定される。たとえば、図８を参照すると、動作８７１において、アクセスポイント３２０は、図３を参照して上述された技法を使用して、第１の時間期間内に、それぞれステーションＡ３０２およびステーションＤ３１４における１つまたは複数のスループットメトリックの値を決定することができる。
【０１００】
[00150]動作１２１６において、ＡＰは、第２の時間期間内の通信メトリックと比較して、第１の時間期間内の通信メトリックの改善点を決定する。複数のＳＴＡ向けの通信は、通信メトリックの改善点が第１のしきい値を満たすとき、改善されると決定される。
【０１０１】
[00151]図１３は、ＲＴＳ／ＣＴＳ手順からポーリング手順に切り替えるための例示的な方法１３００のフローチャートである。本方法は、第１のＳＴＡ（たとえば、ステーション１１４、ステーション９０２、装置３００２／２０２）によって実施される場合がある。動作１３１０において、第１のＳＴＡは、ＲＴＳ／ＣＴＳ手順に従って、第２のＳＴＡに１つまたは複数のＲＴＳメッセージを送る。動作１３１２において、第１のＳＴＡは、第２のＳＴＡから、ＲＴＳメッセージに応答する０個以上のＣＴＳメッセージを受信する。動作１３１４において、第１のＳＴＡは、ＲＴＳメッセージおよびＣＴＳメッセージに基づいて応答率を決定する。いくつかの構成では、１つまたは複数のＲＴＳメッセージは第１の数のＲＴＳメッセージを含む。０個以上のＣＴＳメッセージは第２の数のＣＴＳメッセージを含む。応答率は、第１の数および第２の数に基づいて決定される。
【０１０２】
[00152]たとえば、図９を参照すると、一構成では、ステーション９０２は、ステーション９１０の応答率を決定するように構成される。たとえば、ステーション９０２は、ステーション９１０に送信されたＲＴＳの数（たとえば、Ｍ）と、ＲＴＳに応答してステーション９１０から受信されたＣＴＳの数（たとえば、Ｎ）とを記録に残し得る。ＲＴＳの数とＣＴＳの数との比（たとえば、Ｎ／Ｍ）があらかじめ決定された比（たとえば、５０％）よりも小さい場合、
[00153]動作１３１６において、第１のＳＴＡは、応答率がしきい値を満たすとき、第２のＳＴＡに第１の切替え要求を送る。第１の切替え要求は、ポーリング手順を実施するように第２のＳＴＡに要求する。ポーリング手順は、データ送信を受信するための受信側の利用可能性を告知する。いくつかの構成では、第１の切替え要求は、第１のＳＴＡにおけるチャネル負荷を含む。たとえば、図９を参照すると、ステーション９０２は、ステーション９０２において観測されたチャネル負荷を有する１つまたは複数の切替え要求をステーション９１０に送ることができる。
【０１０３】
[00154]動作１３１８において、第１のＳＴＡは、第２のＳＴＡがポーリング手順を実施することを示す第１の切替え承認を第２のＳＴＡから受信する。たとえば、図９を参照すると、ステーション９１０におけるチャネル負荷がステーション９０２におけるチャネル負荷よりも大きい場合、ステーション９１０は、ステーション９０２とのデータ通信にポーリング手順を使用することに切り替えるように決定する場合がある。それに応じて、ステーション９１０はステーション９０２に切替え承認を送信する。
【０１０４】
[00155]動作１３２０において、第１のＳＴＡは、ポーリング手順に従ってポーリングメッセージを受信する。ポーリングメッセージは、第２のＳＴＡがデータ送信に利用可能であることを示す。動作１３２２において、第１のＳＴＡは、ポーリングメッセージに応答して第２のＳＴＡにデータを送信する。たとえば、図９を参照すると、ステーション９１４がステーション９１０にデータを送信しておらず、媒体が利用可能であることをステーション９１０が検知した時点において、ステーション９０２とステーション９１０との間のデータ送信にポーリング手順を使用するようにステーション９１０が決定すると、ステーション９１０は、ステーション９１０の利用可能性を告知するためにステーション９０２にポーリング要求を送ることができる。ステーション９０２も利用可能である場合、ステーション９１０からポーリング要求を受信すると、ステーション９０２はステーション９１０へのデータ送信を開始することができる。
【０１０５】
[00156]動作１３２４において、第１のＳＴＡは、ＲＴＳ／ＣＴＳ手順を実施するように第１のＳＴＡに要求する第２の切替え要求を第２のＳＴＡから受信する。第２の切替え要求は、第２のＳＴＡにおけるチャネル負荷を含む。動作１３２６において、第１のＳＴＡは、第２のＳＴＡにおけるチャネル負荷と第１のＳＴＡにおけるチャネル負荷との間の差がしきい値を満たすと決定する。動作１３２８において、第１のＳＴＡは、第１のＳＴＡがＲＴＳ／ＣＴＳ手順を実施することを示す第２の切替え承認を第２のＳＴＡに送信する。たとえば、図９を参照すると、低いポーリング応答率を検出すると、ステーション９１０は、ステーション９１０において観測されたチャネル負荷を有する１つまたは複数の切替え要求をステーション９０２に送ることができる。切替え要求は、ＲＴＳ／ＣＴＳ手順を使用してステーション９０２とステーション９１０との間でデータを送信することに切り替えることを承認するようにステーション９０２に要求する。切替え要求を受信すると、ステーション９０２は、ステーション９０２におけるチャネル負荷とステーション９１０におけるチャネル負荷とを比較する場合がある。ステーション９０２におけるチャネル負荷がステーション９１０におけるチャネル負荷よりも大きい場合、ステーション９０２は、ステーション９１０とのデータ通信にＲＴＳ手順を使用することに切り替えるように決定することができる。それに応じて、ステーション９０２はステーション９１０に切替え承認を送信する。切替え承認は、管理フレームまたはデータフレーム内のＩＥに組み込まれ得る。
【０１０６】
[00157]図１４は、媒体予約手順を共同でイネーブルにするためのワイヤレス通信の方法のフローチャート１４００である。一構成では、およびオプションで、動作１４０２において、ＡＰは、媒体予約手順を共同で使用してＡＰにデータを送信するように、２つ以上のＳＴＡに要求するＡＰの能力を示す能力インジケータを送信し、媒体予約手順はデータ送信用の媒体を予約する。媒体予約手順はＲＴＳ／ＣＴＳ手順を利用することができる。一構成では、およびオプションで、動作１４０４において、ＡＰは、インジケータ内で指定された測定期間内にＡＰにスループットメトリックを報告するようにＳＴＡに要求する報告インジケータを送信する。一構成では、およびオプションで、動作１４０６において、ＡＰは、第１のＳＴＡおよび第２のＳＴＡとの評価手順を開始する。評価手順は、ＡＰと、媒体予約手順を共同で使用する第１のＳＴＡおよび第２のＳＴＡとの間の、それぞれのデータ通信のスループットに関連付けられた評価結果を決定する。一構成では、およびオプションで、動作１４０８において、ＡＰは、評価結果に基づいて、媒体予約手順がスループットを改善するかどうかを決定する。
【０１０７】
[00158]媒体予約手順がスループットを改善する場合、動作１４１０において、ＡＰは、媒体予約手順を共同で使用してＡＰにデータを送信するように第１のＳＴＡおよび第２のＳＴＡに要求する。媒体予約手順がスループットを改善しない場合、動作１４１２においてＡＰの手順は終了し、ＡＰは、媒体予約手順をイネーブルにするように第１のＳＴＡおよび第２のＳＴＡに要求することなく動作する。
【０１０８】
[00159]一構成では、およびオプションで、動作１４１０内の動作１４１４において、ＡＰは、媒体予約手順を使用してＡＰにデータを送信するように第１のＳＴＡに命令するために、第１のＳＴＡを識別する第１のＳＴＡインジケータを送信する。ＡＰは、媒体予約手順を使用してＡＰにデータを送信するように第２のＳＴＡに命令するために、第２のＳＴＡを識別する第２のＳＴＡインジケータを送信する。一構成では、およびオプションで、第１のＳＴＡインジケータおよび第２のＳＴＡインジケータはフレームのＩＥに含まれる。一構成では、およびオプションで、動作１４１０内の動作１４１４において、ＡＰは、媒体予約手順を使用してＡＰにデータを送信する第１の時間期間を示す第１の時間インジケータを送信する。一構成では、およびオプションで、ＡＰは、媒体予約手順を使用せずにＡＰにデータを送信する第２の時間期間を示す第２の時間インジケータを送信する。
【０１０９】
[00160]一構成では、およびオプションで、動作１４０２の後の動作１４０５において、ＡＰは、第１のＳＴＡから要求を受信して、媒体予約手順を使用してデータを送信するように第１のＳＴＡと第２のＳＴＡの両方に命令する。動作１４０５の後に、ＡＰは動作１４１０を実行する。
【０１１０】
[00161]図１５は、隠れノードの存在を決定するためのワイヤレス通信の方法のフローチャート１５００である。一構成では、動作１５０２において、ＡＰは、第１のＳＴＡから受信された第１のデータパケットの信号メトリックの変化の指示を取得する。一構成では、動作１５０４において、ＡＰは、第１のＳＴＡから正しく受信されなかった第２のデータパケット内の１つまたは複数のデータユニットの指示を取得する。一構成では、動作１５０６において、ＡＰは、第１のＳＴＡから受信されたパケットの推定ＰＥＲと測定ＰＥＲとの間の差の指示を取得する。一構成では、動作１５０８において、ＡＰは、第１のＳＴＡから報告を受信する。報告は、第１のＳＴＡのデータ通信を妨害する隠れＳＴＡの識別情報を含む。ＡＰは報告に基づいて第１のＳＴＡを識別する。
【０１１１】
[00162]動作１５０２、１５０４、１５０６、および１５０８の後の動作１５１０において、ＡＰは、指示または報告に基づいて、第１のＳＴＡの隠れＳＴＡが存在するかどうかを決定する。隠れＳＴＡは、ＡＰにデータを送信し、第１のＳＴＡのデータ通信を妨害する。第１のＳＴＡの隠れＳＴＡが存在する場合、ＡＰは動作１５１８に入る。動作１５１８において、ＡＰは、別のＳＴＡと共同で媒体予約手順を使用してＡＰにデータを送信する第１のＳＴＡを識別する。動作１５２０において、ＡＰは、第１のＳＴＡと共同で媒体予約手順を使用してＡＰにデータを送信する第２のＳＴＡを識別する。第１のＳＴＡの隠れＳＴＡが存在しない場合、動作１５１２において、ＡＰの手順は終了する。
【０１１２】
[00163]図１６は、干渉を決定するためのワイヤレス通信の方法のフローチャート１６００である。動作１６０２において、ＡＰはＳＴＡからデータパケットを受信する。動作１６０６において、ＡＰは、データパケットの第１の位置において信号メトリックの第１の値を取得する。信号メトリックは、ＲＳＳＩ、推定チャネル係数、推定位相オフセット、推定周波数オフセット、または測定パイロットエラーベクトルの大きさのうちの少なくとも１つを含むことができる。動作１６１０において、ＡＰは、データパケットの第２の位置において信号メトリックの第２の値を取得する。動作１６１４において、ＡＰは、干渉を決定するために第１の値と第２の値とを評価する。
【０１１３】
[00164]図１７は、すべての受信局で媒体予約手順を共同でイネーブルにするためのワイヤレス通信の方法のフローチャート１７００である。動作１７０２において、ＡＰは、データ受信時にそれらの各々からの干渉がＡＰに存在する複数のＳＴＡを識別する。動作１７０６において、ＡＰは、ＡＰと通信しているＳＴＡに対する当該複数のＳＴＡの割合があらかじめ決定されたしきい値よりも大きいかどうかを決定する。割合があらかじめ決定されたしきい値よりも大きい場合、動作１７１０において、ＡＰは、各々が共同で媒体予約手順を使用してＡＰにデータを送信するように、ＡＰと通信しているＳＴＡに命令する共通ＳＴＡインジケータを送信する。割合があらかじめ決定されたしきい値よりも大きくない場合、動作１７１４においてＡＰの手順は終了し、ＡＰは、媒体予約手順をイネーブルにするようにＳＴＡに要求することなく動作する。
【０１１４】
[00165]図１８は、媒体予約手順を使用することがスループットを改善できるかどうかを評価するためのワイヤレス通信の方法のフローチャート１８００である。動作１８０２において、ＡＰは、第１の時間期間内に共同で媒体予約手順を使用する第１のＳＴＡおよび第２のＳＴＡからデータを受信する。動作１８０６において、ＡＰは、第１の時間期間内に、それぞれ第１のＳＴＡおよび第２のＳＴＡから受信されたデータのスループットメトリックの第１の値を決定する。動作１８１０において、ＡＰは、第２の時間期間内に媒体予約手順を使用せずに第１のＳＴＡおよび第２のＳＴＡからデータを受信する。動作１８１４において、ＡＰは、第２の時間期間内に、それぞれ第１のＳＴＡおよび第２のＳＴＡから受信されたデータのスループットメトリックの第２の値を決定する。動作１８１８において、ＡＰは、媒体予約手順を使用することが第１のＳＴＡおよび第２のＳＴＡのスループットを改善するかどうかを決定する。
【０１１５】
[00166]媒体予約手順がスループットを改善する場合、動作１８２２において、ＡＰは、媒体予約手順を共同で使用してＡＰにデータを送信するように第１のＳＴＡおよび第２のＳＴＡに要求する。媒体予約手順がスループットを改善しない場合、動作１８２６においてＡＰの手順は終了し、ＡＰは、媒体予約手順をイネーブルにするように第１のＳＴＡおよび第２のＳＴＡに要求することなく動作する。
【０１１６】
[00167]図１９は、隠れノードの存在を決定するためのワイヤレス通信の方法のフローチャート１９００である。動作１９０２において、ＳＴＡはＡＰから確認応答を受信する。確認応答はデータパケットの受信を確認応答する。一構成では、およびオプションで、動作１９０６において、ＳＴＡは確認応答内の指示を検出する。指示は、確認応答を送るより前のあらかじめ決定された時間期間に、ＡＰにおいてデータパケットが受信されたことを示す。
【０１１７】
[00168]動作１９１０において、ＳＴＡは、確認応答を受信するより前のあらかじめ決定された時間期間に、データパケットが受信されたかどうかを決定する。データパケットが受信されなかった場合、動作１９１４において、ＳＴＡは、確認応答からソース識別情報と宛先識別情報とを取得する。ソース識別情報はＡＰに関連付けられる。宛先識別情報は第２のＳＴＡに関連付けられる。
【０１１８】
[00169]動作１９１８において、ＳＴＡはＡＰに要求を送る。要求は、媒体予約手順を使用してデータを送信するように第１のＳＴＡと第２のＳＴＡの両方に命令するようにＡＰに要求し、媒体予約手順はデータ送信用の媒体を予約する。動作１９１０において、データパケットが受信されたとＳＴＡが決定した場合、動作１９１２において、ＳＴＡの手順は終了する。
【０１１９】
[00170]図２０は、ステーションにおいて媒体予約手順を共同でイネーブルにするためのワイヤレス通信の方法のフローチャート２０００である。一構成では、およびオプションで、動作２００２において、ＳＴＡは、別のＳＴＡと共同で媒体予約手順を使用するＳＴＡの能力を示す能力インジケータを送信する。一構成では、およびオプションで、ＳＴＡインジケータはフレームのＩＥに含まれる。
【０１２０】
[00171]動作２００６において、ＳＴＡはフレームを受信する。一構成では、およびオプションで、動作２０１０において、ＳＴＡは、ＳＴＡインジケータがＩＥ内に存在するかどうかを検出する。ＳＴＡインジケータが存在する場合、ＳＴＡは動作２０１４を実行する。ＳＴＡインジケータが存在しない場合、動作２０２２において、ＳＴＡの手順は終了する。
【０１２１】
[00172]動作２０１４において、ＳＴＡは、ＳＴＡインジケータがＳＴＡを識別するかどうかを決定する。ＳＴＡインジケータがＳＴＡを識別する場合、動作２０１８において、ＳＴＡは媒体予約手順を使用してＡＰにデータを送信し、媒体予約手順はデータ送信用の媒体を予約する。ＳＴＡインジケータがＳＴＡを識別しない場合、動作２０２２において、ＳＴＡの手順は終了する。
【０１２２】
[00173]図２１は、信号メトリックに基づいて媒体予約手順をイネーブルにするべきかどうかを決定するためのワイヤレス通信の方法のフローチャート２１００である。動作２１０２において、ＳＴＡは、第２のＳＴＡにおいて受信された第１のデータパケットの信号メトリックの変化の指示を取得する手順を開始する。一構成では、およびオプションで、信号メトリックは、ＲＳＳＩ、推定チャネル係数、推定位相オフセット、推定周波数オフセット、または測定パイロットエラーベクトルの大きさ（measured pilot error vector magnitude）のうちの少なくとも１つを含む。動作２１０６において、ＳＴＡは、第１のデータパケットの第１の位置において信号メトリックの第１の値を取得する。動作２１１０において、ＳＴＡは、第１のデータパケットの第２の位置において信号メトリックの第２の値を取得する。動作２１１４において、ＳＴＡは、第１の値および第２の値に基づいて信号メトリックの変化を決定する。動作２１１８において、ＳＴＡは、変化があらかじめ決定されたしきい値よりも大きいかどうかを決定する。変化が大きい場合、動作２１２２において、ＳＴＡは媒体予約手順を使用して第２のＳＴＡにデータを送信し、媒体予約手順はデータ送信用の媒体を予約する。変化が大きくない場合、動作２１２６において、ＳＴＡの手順は終了する。一構成では、媒体予約手順はＲＴＳ／ＣＴＳ手順を利用する。
【０１２３】
[00174]図２２は、ステーションにおいて正しく受信されなかったデータユニットに基づいて媒体予約手順をイネーブルにするべきかどうかを決定するためのワイヤレス通信の方法のフローチャート２２００である。動作２２０２において、ＳＴＡは、第２のＳＴＡにおいて正しく受信されなかったデータパケット内の１つまたは複数のデータユニットの指示を取得する手順を開始する。動作２２０６において、ＳＴＡは、第２のＳＴＡに少なくとも１つのデータユニットを含むデータパケットを送信する。動作２２１０において、ＳＴＡは、第２のＳＴＡから確認応答を受信する。確認応答は、第２のＳＴＡにおいて正しく受信されなかった少なくとも１つのデータユニットのうちの１つまたは複数のデータユニットの指示を含む。動作２２１４において、ＳＴＡは、第２のＳＴＡにおいて正しく受信されなかったデータユニットの数または割合があらかじめ決定されたしきい値よりも大きいかどうかを決定する。ＳＴＡは、第２のＳＴＡにおいて正しく受信されなかったデータユニットの分布があらかじめ決定されたパターンと一致するかどうかを決定することもできる。数もしくは割合が大きい場合、または分布があらかじめ決定されたパターンと一致する場合、動作２２１８において、ＳＴＡは、媒体予約手順を使用して第２のＳＴＡにデータを送信し、媒体予約手順はデータ送信用の媒体を予約する。一構成では、媒体予約手順はＲＴＳ／ＣＴＳ手順を利用する。数もしくは割合が大きくない場合、または分布があらかじめ決定されたパターンと一致しない場合、動作２２２２において、ＳＴＡの手順は終了する。一構成では、第２のデータパケットはＰＰＤＵである。少なくとも１つのデータユニットはＭＰＤＵを含む。確認応答はブロック確認応答である。
【０１２４】
[00175]図２３は、ＰＥＲに基づいて媒体予約手順をイネーブルにするべきかどうかを決定するためのワイヤレス通信の方法のフローチャート２３００である。動作２３０２において、ＳＴＡは、第２のＳＴＡにおける推定ＰＥＲと測定ＰＥＲとの間の差の指示を取得する手順を開始する。動作２３０６において、ＳＴＡは、第２のＳＴＡに複数のデータパケットを送信する。動作２３１０において、ＳＴＡは、複数のデータパケットのＰＥＲを測定することにより、測定ＰＥＲを決定する。動作２３１４において、ＳＴＡは、第２のＳＴＡからＲＳＳＩを受信する。動作２３１８において、ＳＴＡは、ＲＳＳＩに基づいてＳＮＲを決定する。動作２３２２において、ＳＴＡは、第１のＳＴＡと第２のＳＴＡとの間のＳＮＲに基づいて、ＰＥＲを推定する。動作２３２６において、ＳＴＡは、測定ＰＥＲおよび推定ＰＥＲに基づいて差を決定する。動作２３３０において、ＳＴＡは、差があらかじめ決定されたしきい値よりも大きいかどうかを決定する。差が大きい場合、動作２３３４において、ＳＴＡは、媒体予約手順を使用して第２のＳＴＡにデータを送信し、媒体予約手順はデータ送信用の媒体を予約する。一構成では、媒体予約手順はＲＴＳ／ＣＴＳ手順を利用する。差が大きくない場合、動作２３３８において、ＳＴＡの手順は終了する。
【０１２５】
[00176]図２４は、媒体予約手順を使用することがスループットを改善できるかどうかを評価するためのワイヤレス通信の方法のフローチャート２４００である。動作２４０２において、ＳＴＡは、第２のＳＴＡとの評価手順を開始する。評価手順は、媒体予約手順を使用する第１のＳＴＡと第２のＳＴＡとの間のデータ通信のスループットに関連付けられた評価結果を決定する。動作２４０６において、ＳＴＡは、第１の時間期間内に媒体予約手順を使用して第２のＳＴＡに第１のデータを送信する。動作２４１０において、ＳＴＡは、送信された第１のデータのスループットメトリックの第１の値を決定する。一構成では、スループットメトリックは、第１のＳＴＡまたは第２のＳＴＡのうちの１つまたは複数において決定された実際のスループットに基づく。一構成では、スループットメトリックは、第１のＳＴＡにおいて決定された均等フルバッファスループットに基づく。動作２４１４において、ＳＴＡは、第２の時間期間内に媒体予約手順を使用せずに第２のＳＴＡに第２のデータを送信する。動作２４１８において、ＳＴＡは、送信された第２のデータのスループットメトリックの第２の値を決定する。動作２４２２において、ＳＴＡは、第１の値および第２の値に基づいて評価結果を決定する。動作２４２６において、ＳＴＡは、評価結果に基づいて、媒体予約手順を使用することがＳＴＡのスループットを改善するかどうかを決定する。一構成では、媒体予約手順はＲＴＳ／ＣＴＳ手順を利用する。媒体予約手順がスループットを改善する場合、動作２４３０において、ＳＴＡは、媒体予約手順を使用して第２のＳＴＡにデータを送信する。媒体予約手順がスループットを改善しない場合、動作２４３４において、ＳＴＡは、媒体予約手順を使用せずに第２のＳＴＡにデータを送信する。
【０１２６】
[00177]図２５は、拡張媒体予約手順を使用するためのワイヤレス通信の方法のフローチャート２５００である。動作２５０２において、ＳＴＡは、媒体予約手順を使用して別のＳＴＡにデータパケットを送信し、媒体予約手順はデータ送信用の媒体を予約する。一構成では、媒体予約手順はＲＴＳ／ＣＴＳ手順を利用する。動作２５０６において、ＳＴＡは、送信されたデータパケットに対する干渉の発生に関する測定値を決定する。動作２５１０において、ＳＴＡは、測定値があらかじめ決定されたしきい値よりも大きいかどうかを決定する。測定値が大きくない場合、動作２５１４において、ＳＴＡの手順は終了する。測定値が大きい場合、動作２５１８において、ＳＴＡは、送信されたデータパケットに対する干渉の発生を低減する拡張手順を開始する。一構成では、動作２５１８の後の動作２５２２において、ＳＴＡは、受信側ＳＴＡのＯＴＡ媒体占有率を低減するように受信側ＳＴＡに要求する要求を送信する。一構成では、およびオプションで、要求は、ＥＤＣＡパラメータを調整するように受信側ＳＴＡに命令する。一構成では、およびオプションで、要求は、１つまたは複数のサイレンス期間を維持するように受信側ＳＴＡに命令する。一構成では、およびオプションで、１つまたは複数のサイレンス期間は、少なくとも３つのサイレンス期間を含み、周期的である。
【０１２７】
[00178]一構成では、動作２５１８の後の動作２５３２において、ＳＴＡは、反復パターンで、媒体予約手順に従って別のＳＴＡに要求を送信する。動作２５３６において、ＳＴＡは、反復パターンで、媒体予約手順に従って別のＳＴＡから応答を受信する。一構成では、およびオプションで、両方がそれぞれの反復パターンで、要求が送信され、応答が受信される。
【０１２８】
[00179]一構成では、動作２５１８の後の動作２５４２において、ＳＴＡは、媒体予約手順に従って別のＳＴＡへの要求内で第１の電力インジケータを送信する。第１の電力インジケータは、媒体予約手順に従ってＳＴＡに応答を送信するために、別のＳＴＡにおいて使用されるべき送信電力を示す。動作２５４６において、ＳＴＡは、別のＳＴＡからの応答内で第２の電力インジケータを受信する。第２の電力インジケータは、媒体予約手順に従って別のＳＴＡに別の要求を送信するために、ＳＴＡにおいて使用されるべき送信電力を示す。
【０１２９】
[00180]図２６は、様々なデータレートで媒体予約手順の要求／応答を送信するためのワイヤレス通信の方法のフローチャート２６００である。動作２６０２において、ＳＴＡは、第１のデータレートで媒体予約手順に従って第１の要求を送信し、媒体予約手順はデータ送信用の媒体を予約する。動作２６０６において、ＳＴＡは、別のＳＴＡにデータパケットを送信する。動作２６１０において、ＳＴＡは、送信されたデータパケットに対する干渉の発生に関する測定値を決定する。動作２６１４において、ＳＴＡは、測定値があらかじめ決定されたしきい値よりも大きいかどうかを決定する。測定値があらかじめ決定されたしきい値よりも大きくない場合、動作２６１８において、ＳＴＡの手順は終了する。測定値があらかじめ決定されたしきい値よりも大きい場合、動作２６２６において、ＳＴＡは、第１のデータレートよりも低い第２のデータレートで媒体予約手順に従って第２の要求を送信する。一構成では、およびオプションで、動作２６２６より前の動作２６２２において、ＳＴＡは、第２の要求が送信された同じ送信機会において第２の要求を送信するより前に、第１のデータレートで媒体予約手順に従って第３の要求を送信する。
【０１３０】
[00181]図２７は、切替え手順を開始するためのワイヤレス通信の方法のフローチャート２７００である。動作２７０２において、第１のＳＴＡは、媒体予約手順またはポーリング手順のうちの一方を使用して、第２のＳＴＡとのデータ送信を開始する。媒体予約手順はデータ送信用の媒体を予約する。ポーリング手順は、データ送信を受信するための受信側の利用可能性を告知する。動作２７０６において、第１のＳＴＡは、第２のＳＴＡとデータを通信する。動作２７１０において、第１のＳＴＡは、媒体予約手順およびポーリング手順のうちの一方に従って、データ通信の応答率を決定する。動作２７１４において、第１のＳＴＡは、応答率があらかじめ決定されたしきい値よりも低いかどうかを決定する。一構成では、第１のＳＴＡは、媒体予約手順およびポーリング手順のうちの１つに従って、第２のＳＴＡにＭ個の要求を送信し、Ｍは１よりも大きい整数である。第１のＳＴＡは、媒体予約手順およびポーリング手順のうちの一方に従って、第２のＳＴＡからＮ個の応答を受信し、Ｎは−１よりも大きい整数である。次いで、第１のＳＴＡは、Ｎ／Ｍがあらかじめ決定された比よりも低いかどうかを決定する。
【０１３１】
[00182]応答率が低くない場合、動作２７１８において、ＳＴＡの手順は終了する。応答率が低い場合、動作２７２２において、第１のＳＴＡは、第２のＳＴＡがデータ送信を開始することが可能になるように切替え手順を開始する。動作２７２６において、ＳＴＡは、第２のＳＴＡに切替え要求を送信する。一構成では、切替え要求は、第１のＳＴＡにおけるチャネル負荷を含む。動作２７３０において、ＳＴＡは、第２のＳＴＡから切替え承認を受信する。動作２７３４において、第１のＳＴＡは、媒体予約手順およびポーリング手順のうちの他方に従って要求を受信する。
【０１３２】
[00183]図２８は、切替え手順に応答するためのワイヤレス通信の方法のフローチャート２８００である。動作２８０２において、第１のＳＴＡは、媒体予約手順またはポーリング手順を使用して、第２のＳＴＡによって開始されたデータ送信に参加する。媒体予約手順はデータ送信用の媒体を予約する。ポーリング手順は、データ送信を受信するための受信側の利用可能性を告知する。動作２８０６において、第１のＳＴＡは、第２のＳＴＡとデータを通信する。動作２８１０において、第１のＳＴＡは、第２のＳＴＡから切替え要求を受信する。動作２８１４において、第１のＳＴＡは、切替え要求から第２のＳＴＡにおけるチャネル負荷を取得する。動作２８１８において、第１のＳＴＡは、第１のＳＴＡにおけるチャネル負荷を取得する。動作２８２２において、第１のＳＴＡは、第１のＳＴＡにおけるチャネル負荷と第２のＳＴＡにおけるチャネル負荷との間の差があらかじめ決定されたしきい値よりも大きいかどうかを決定する。差が大きくない場合、動作２８２４において、ＳＴＡの手順は終了する。
【０１３３】
[00184]差が大きい場合、動作２８２６において、第１のＳＴＡは、第２のＳＴＡに切替え承認を送信する。動作２８３０において、第１のＳＴＡは、第１のＳＴＡの利用可能性に応じてデータ送信を開始する。一構成では、およびオプションで、動作２８０６におけるデータ通信は、媒体予約手順を使用する。動作２８３０の後の動作２８３４において、第１のＳＴＡは、第１のＳＴＡの利用可能性に応じて、ポーリング手順に従って第２のＳＴＡに要求を送信する。動作２８３８において、第１のＳＴＡは、第２のＳＴＡからデータを受信する。一構成では、およびオプションで、動作２８０６におけるデータ通信は、ポーリング手順を使用する。動作２８３０の後の動作２８４４において、第１のＳＴＡは、第１のＳＴＡの利用可能性に応じて、媒体予約手順に従って第２のＳＴＡに要求を送信する。動作２８４８において、第１のＳＴＡは、媒体予約手順に従って第２のＳＴＡから応答を受信する。
【０１３４】
[00185]図２９は、例示的な装置２９０２の中の様々な構成要素／手段の間のデータフローを示す概念データフロー図２９００である。装置２９０２は、ＡＰ（たとえば、アクセスポイント１０４、アクセスポイント３２０）であり得る。装置２９０２は、受信構成要素２９０４と、送信構成要素２９１０と、要求構成要素２９１２と、決定構成要素２９１４と、検出構成要素２９１６とを含む。
【０１３５】
[00186]装置２９０２／２０２は、受信構成要素２９０４と送信構成要素２９１０とを介して、複数のＳＴＡ２９５０と通信している。受信構成要素２９０４は、複数のＳＴＡ２９５０からデータパケット２９３２を受信する場合がある。検出構成要素２９１６は、受信構成要素２９０４における動作を監視する場合があり、受信構成要素２９０４からデータパケット２９３２に関する受信情報２９３３を取得する場合がある。検出構成要素２９１６は、受信情報２９３３に基づいて、複数のＳＴＡ２９５０の各ＳＴＡが装置２９０２／２０２とのアップリンクトラフィックを有すると決定する場合がある。さらに、検出構成要素２９１６は、受信情報２９３３に基づいて、複数のＳＴＡ２９５０のうちのＳＴＡのサブセットの各ＳＴＡが、装置２９０２／２０２にデータを送信し、装置２９０２／２０２と各ＳＴＡとの間の通信を妨害する隠れノードを有すると決定する場合もある。検出構成要素２９１６は、決定構成要素２９１４にそのような検出情報２９３５を送る場合がある。
【０１３６】
[00187]決定構成要素２９１４は、検出情報２９３５に基づいて、媒体予約手順の共同イネーブル化が複数のＳＴＡ２９５０向けの通信を改善するかどうかを評価するために、通信用の媒体予約手順を共同でイネーブルおよびディセーブルにするように複数のＳＴＡ２９５０に要求するように決定し得る。決定構成要素２９１４は、複数のＳＴＡ２９５０の各ＳＴＡが装置２９０２／２０２とのアップリンクトラフィックを有すること、または複数のＳＴＡ２９５０のうちのＳＴＡのサブセットの各ＳＴＡが、装置２９０２／２０２にデータを送信し、装置２９０２／２０２と各ＳＴＡとの間の通信を妨害する隠れノードを有することの少なくとも１つに基づいて、そのような決定を行う場合がある。いくつかの構成では、決定構成要素２９１４は、検出情報２９３５に基づいて、複数のＳＴＡ２９５０の各々が隠れノードを有すると決定する場合がある。複数のＳＴＡ２９５０は、装置２９０２／２０２が複数のＳＴＡ２９５０に関連して隠れノードから干渉を受けることに基づいて、媒体予約手順を共同でイネーブルおよびディセーブルにするように要求される。いくつかの構成では、決定構成要素２９１４は、検出情報２９３５に基づいて、ＳＴＡのサブセットの各ＳＴＡが装置２９０２／２０２に対する干渉を引き起こす隠れノードを有すると決定する場合がある。複数のＳＴＡ２９５０は、複数のＳＴＡ２９５０が各々アップリンクトラフィックを有すること、および複数のＳＴＡ２９５０に対するＳＴＡのサブセットの割合がしきい値を満たすことに基づいて、媒体予約手順を共同でイネーブルおよびディセーブルにするように要求される。
【０１３７】
[00188]いくつかの構成では、決定構成要素２９１４は、検出構成要素２９１６がＳＴＡのサブセットの第１のＳＴＡから受信されるデータパケットの受信中に信号メトリックの変化を検出する場合、第１のＳＴＡが隠れノードを有すると決定する。いくつかの構成では、受信構成要素２９０４は、第１のＳＴＡからデータパケット２９３２を受信する。検出構成要素２９１６は、データパケットの第１の位置における信号メトリックの第１の値を決定する。検出構成要素２９１６は、さらに、データパケットの第２の位置における信号メトリックの第２の値を決定する。信号メトリックの変化は、第１の値および第２の値に基づいて検出される。いくつかの構成では、信号メトリックは、ＲＳＳＩ、推定チャネル係数、推定位相オフセット、推定周波数オフセット、または測定パイロットエラーベクトルの大きさのうちの少なくとも１つを含む。いくつかの構成では、決定構成要素２９１４は、ＳＴＡのサブセットの第１のＳＴＡからのデータパケット内の１つまたは複数のデータユニットが装置２９０２／２０２において正しく受信されなかったことを検出構成要素２９１６が検出すると、第１のＳＴＡが隠れノードを有すると決定する。いくつかの構成では、決定構成要素２９１４は、装置２９０２／２０２が、ＳＴＡのサブセットの第１のＳＴＡから受信されたパケット用の推定ＰＥＲと測定ＰＥＲとの間の差を検出するとき、第１のＳＴＡが隠れノードを有すると決定する。いくつかの構成では、受信構成要素２９０４は、第１のＳＴＡからの報告を搬送するデータパケット２９３２を受信する。報告は、第１のＳＴＡの隠れノードの識別情報を含む。決定構成要素２９１４は、受信構成要素２９０４から報告を取得し、報告に基づいて、ＳＴＡのサブセットの第１のＳＴＡが隠れノードを有すると決定する。
【０１３８】
[00189]それに応じて、決定構成要素２９１４は、要求構成要素２９１２に要求命令２９３４を送る。要求構成要素２９１２は、要求フレーム２９４２を構築し、送信構成要素２９１０に要求フレーム２９４２を送る。送信構成要素２９１０は、複数のＳＴＡ２９５０に要求フレーム２９４２を送信する。いくつかの構成では、要求フレーム２９４２は、第１の時間期間内に通信用の媒体予約手順を共同でイネーブルにし、第２の時間期間内に通信用の媒体予約手順を共同でディセーブルにするように複数のＳＴＡ２９５０に要求する。いくつかの構成では、要求フレーム２９４２は、第１の時間期間を示す第１の時間インジケータを含む。いくつかの構成では、要求フレーム２９４２は、第２の時間期間を示す第２の時間インジケータを含む。いくつかの構成では、要求フレーム２９４２は、複数のＳＴＡ２９５０の各ＳＴＡを識別するＳＴＡインジケータを含む。いくつかの構成では、第１の時間インジケータ、第２の時間インジケータ、および／またはＳＴＡインジケータは、要求フレーム２９４２のＩＥに含まるか、または要求フレーム２９４２内の情報ビットである。
【０１３９】
[00190]受信構成要素２９０４は、複数のＳＴＡ２９５０から通信メトリック情報２９４４を受信し得る。通信メトリック情報２９４４は、通信用の媒体予約手順を共同でイネーブルおよびディセーブルにする間の通信メトリックを示す。受信構成要素２９０４は、決定構成要素２９１４に通信メトリック情報２９４４を送る。決定構成要素２９１４は、受信された通信メトリック情報２９４４に基づいて、媒体予約手順の共同イネーブル化が複数のＳＴＡ２９５０向けの通信を改善するかどうかを決定し得る。いくつかの構成では、決定構成要素２９１４は、受信された通信メトリック情報２９４４に基づいて、第１の時間期間内の複数のＳＴＡ２９５０の通信メトリックと、第２の時間期間内の複数のＳＴＡ２９５０の通信メトリックとを決定する。
【０１４０】
[00191]いくつかの構成では、受信構成要素２９０４は、第１の時間期間内に媒体予約手順の共同イネーブル化を用いて、複数のＳＴＡ２９５０の各ＳＴＡからデータパケット２９３２を受信し得る。検出構成要素２９１６は、第１の時間期間内に各ＳＴＡから受信されたデータパケット２９３２に基づいて、複数のＳＴＡ２９５０の各ＳＴＡについての通信メトリックのそれぞれの第１の値を決定し得る。受信構成要素２９０４は、第２の時間期間内に媒体予約手順の共同ディセーブル化を用いて、複数のＳＴＡ２９５０の各ＳＴＡからデータパケット２９３２を受信し得る。検出構成要素２９１６は、第２の時間期間内に各ＳＴＡから受信されたデータに基づいて、複数のＳＴＡ２９５０の各ＳＴＡについての通信メトリックのそれぞれの第２の値を決定し得る。検出構成要素２９１６は、対応する検出情報２９３５を決定構成要素２９１４に送る。決定構成要素２９１４は、第１の値および第２の値に基づいて通信メトリックの改善点を決定する場合がある。
【０１４１】
[00192]決定構成要素２９１４は、媒体予約手順の共同イネーブル化が複数のＳＴＡ２９５０向けの通信を改善する場合、後続の通信用の媒体予約手順を共同でイネーブルにするように複数のＳＴＡ２９５０に要求するように決定し得る。いくつかの構成では、決定構成要素２９１４は、受信された通信メトリック情報２９４４に基づいて、第２の時間期間内の通信メトリックと比較して第１の時間期間内の通信メトリックの改善点を決定する。複数のＳＴＡ２９５０向けの通信は、通信メトリックの改善点が第１のしきい値を満たすとき、改善されると決定される。
【０１４２】
[00193]それに応じて、決定構成要素２９１４は、要求構成要素２９１２に要求命令２９３４を送る。要求構成要素２９１２は、要求フレーム２９４２を構築し、送信構成要素２９１０に要求フレーム２９４２を送る。送信構成要素２９１０は、複数のＳＴＡ２９５０に要求フレーム２９４２を送信する。
【０１４３】
[00194]いくつかの構成では、媒体予約手順はＲＴＳ／ＣＴＳ手順を利用する。いくつかの構成では、通信メトリックは、実際のスループット、均等フルバッファスループット、再試行率、ＰＥＲ、ＭＣＳ、またはアクセス遅延のうちの少なくとも１つを含む。
【０１４４】
[00195]本装置は、図１１〜図２８の前述のフローチャート内のアルゴリズムのブロックの各々を実施する追加の構成要素を含み得る。そのため、図１１〜図２８の前述のフローチャート内の各ブロックは、１つの構成要素によって実施され得、本装置は、それらの構成要素のうちの１つまたは複数を含み得る。構成要素は、述べられたプロセス／アルゴリズムを遂行するように具体的に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１４５】
[00196]要求構成要素２９１２、決定構成要素２９１４、および検出構成要素２９１６は、図２に示されたＭＲＰ構成要素２２４を構成し得る。要求構成要素２９１２、決定構成要素２９１４、および検出構成要素２９１６は、プロセッサ２０４、メモリ２０６、信号検出器２１８、ＤＳＰ２２０、および／またはユーザインターフェース２２２を利用し得る。受信構成要素２９０４および送信構成要素２９１０は、プロセッサ２０４、メモリ２０６、信号検出器２１８、および／またはＤＳＰ２２０を利用し得る。トランシーバ２１４は、１つまたは複数のアンテナ２１６から信号を受信し、受信された信号から情報を抽出し、抽出された情報を受信構成要素２９０４に供給する。加えて、トランシーバ２１４は、送信構成要素２９１０から情報を受信し、受信された情報に基づいて、１つまたは複数のアンテナ２１６に与えられるべき信号を生成する。
【０１４６】
[00197]一態様では、装置２９０２／２０２はＡＰであり得る。装置２９０２／２０２は、図１１〜図２８に示された動作を実行するための手段を含むように構成され得る。より具体的には、装置２９０２／２０２は、複数のＳＴＡの各ＳＴＡがＡＰとのアップリンクトラフィックを有すること、または複数のＳＴＡのうちのＳＴＡのサブセットの各ＳＴＡが、ＡＰにデータを送信しＡＰと各ＳＴＡとの間の通信を妨害する隠れノードを有することのうちの少なくとも１つに基づいて、通信用の媒体予約手順を共同でイネーブルおよびディセーブルにするように複数のＳＴＡに要求するための手段を含むように構成され得る。装置２９０２／２０２は、通信用の媒体予約手順を共同でイネーブルまたはディセーブルにする間、複数のＳＴＡから通信メトリックを示す情報を受信するための手段を含むように構成され得る。装置２９０２／２０２は、通信メトリックを示す受信された情報に基づいて、媒体予約手順の共同イネーブル化が複数のＳＴＡ向けの通信を改善するかどうかを決定するための手段を含むように構成され得る。装置２９０２／２０２は、媒体予約手順の共同イネーブル化が複数のＳＴＡ向けの通信を改善する場合、後続の通信用の媒体予約手順を共同でイネーブルにするように複数のＳＴＡに要求するための手段を含むように構成され得る。
【０１４７】
[00198]いくつかの構成では、装置２９０２／２０２は、複数のＳＴＡの各々が隠れノードを有すると決定するための手段を含むように構成され得る。複数のＳＴＡは、ＡＰが複数のＳＴＡに関連して隠れノードから干渉を受けることに基づいて、媒体予約手順を共同でイネーブルおよびディセーブルにするように要求される。いくつかの構成では、装置２９０２／２０２は、ＳＴＡのサブセットの各ＳＴＡがＡＰに対する干渉を引き起こす隠れノードを有すると決定するための手段を含むように構成され得る。複数のＳＴＡは、複数のＳＴＡが各々アップリンクトラフィックを有すること、および複数のＳＴＡに対するＳＴＡのサブセットの割合がしきい値を満たすことに基づいて、媒体予約手順を共同でイネーブルおよびディセーブルにするように要求される。いくつかの構成では、媒体予約手順はＲＴＳ／ＣＴＳ手順を利用する。いくつかの構成では、通信メトリックは、実際のスループット、均等フルバッファスループット、再試行率、ＰＥＲ、ＭＣＳ、またはアクセス遅延のうちの少なくとも１つを含む。
【０１４８】
[00199]いくつかの構成では、媒体予約手順を共同でイネーブルおよびディセーブルにするように複数のＳＴＡに要求するための手段は、第１の時間期間内に通信用の媒体予約手順を共同でイネーブルにし、第２の時間期間内に通信用の媒体予約手順を共同でディセーブルにするように複数のＳＴＡに要求するようにさらに構成される。媒体予約手順の共同イネーブル化が通信を改善するかどうかを決定するための手段は、第１の時間期間内の複数のＳＴＡの通信メトリックと第２の時間期間内の複数のＳＴＡの通信メトリックとを決定し、第２の時間期間内の通信メトリックと比較して、第１の時間期間内の通信メトリックの改善点を決定するようにさらに構成される。複数のＳＴＡ向けの通信は、通信メトリックの改善点が第１のしきい値を満たすとき、改善されると決定される。
【０１４９】
[00200]いくつかの構成では、第１の時間期間内の複数のＳＴＡの通信メトリックと第２の時間期間内の複数のＳＴＡの通信メトリックとを決定するための手段は、第１の時間期間内に媒体予約手順の共同イネーブル化を用いて、複数のＳＴＡの各ＳＴＡからデータを受信するようにさらに構成される。第１の時間期間内の複数のＳＴＡの通信メトリックと第２の時間期間内の複数のＳＴＡの通信メトリックとを決定するための手段は、第１の時間期間内に各ＳＴＡから受信されたデータに基づいて、複数のＳＴＡの各ＳＴＡについての通信メトリックのそれぞれの第１の値を決定するようにさらに構成される。第１の時間期間内の複数のＳＴＡの通信メトリックと第２の時間期間内の複数のＳＴＡの通信メトリックとを決定するための手段は、第２の時間期間内に媒体予約手順の共同ディセーブル化を用いて、複数のＳＴＡの各ＳＴＡからデータを受信するようにさらに構成される。第１の時間期間内の複数のＳＴＡの通信メトリックと第２の時間期間内の複数のＳＴＡの通信メトリックとを決定するための手段は、第２の時間期間内に各ＳＴＡから受信されたデータに基づいて、複数のＳＴＡの各ＳＴＡについての通信メトリックのそれぞれの第２の値を決定するようにさらに構成される。通信メトリックの改善点は、第１の値および第２の値に基づいて決定される。
【０１５０】
[00201]いくつかの構成では、第１の時間期間内に通信用の媒体予約手順を共同でイネーブルにし、第２の時間期間内に通信用の媒体予約手順を共同でディセーブルにするように複数のＳＴＡに要求するための手段は、複数のＳＴＡに第１の時間期間を示す第１の時間インジケータを送信し、複数のＳＴＡに第２の時間期間を示す第２の時間インジケータを送信するようにさらに構成される。いくつかの構成では、装置２９０２／２０２は、第１の時間期間内に通信用の媒体予約手順を共同でイネーブルにし、第２の時間期間内に通信用の媒体予約手順を共同でディセーブルにするように複数のＳＴＡに要求するための手段を含むように構成され得、複数のＳＴＡに複数のＳＴＡの各ＳＴＡを識別するＳＴＡインジケータを送信するようにさらに構成される。いくつかの構成では、ＳＴＡインジケータは、フレームの情報要素（ＩＥ）に含まれるか、またはフレーム内の情報ビットである。いくつかの構成では、装置２９０２／２０２は、ＡＰがＳＴＡのサブセットの第１のＳＴＡから受信されるデータパケットの受信中に信号メトリックの変化を検出するとき、第１のＳＴＡが隠れノードを有すると決定するための手段を含むように構成され得る。
【０１５１】
[00202]いくつかの構成では、装置２９０２／２０２は、第１のＳＴＡからデータパケットを受信するための手段を含むように構成され得る。装置２９０２／２０２は、データパケットの第１の位置における信号メトリックの第１の値を決定するための手段を含むように構成され得る。装置２９０２／２０２は、データパケットの第２の位置における信号メトリックの第２の値を決定するための手段を含むように構成され得る。信号メトリックの変化は、第１の値よび第２の値に基づいて検出される。いくつかの構成では、信号メトリックは、ＲＳＳＩ、推定チャネル係数、推定位相オフセット、推定周波数オフセット、または測定パイロットエラーベクトルの大きさのうちの少なくとも１つを含む。
【０１５２】
[00203]いくつかの構成では、装置２９０２／２０２は、ＳＴＡのサブセットの第１のＳＴＡからのデータパケット内の１つまたは複数のデータユニットがＡＰにおいて正しく受信されなかったことをＡＰが検出すると、第１のＳＴＡが隠れノードを有すると決定するための手段を含むように構成され得る。いくつかの構成では、装置２９０２／２０２は、ＡＰがＳＴＡのサブセットの第１のＳＴＡから受信されたパケットについての推定ＰＥＲと測定ＰＥＲとの間の差を検出するとき、第１のＳＴＡが隠れノードを有すると決定するための手段を含むように構成され得る。いくつかの構成では、装置２９０２／２０２は、ＡＰがＳＴＡのサブセットの第１のＳＴＡから報告を受信する場合、第１のＳＴＡが隠れノードを有すると決定するための手段を含むように構成され得る。報告は、第１のＳＴＡの隠れノードの識別情報を含む。
【０１５３】
[00204]前述の手段は、前述の手段によって列挙される機能を実施するように構成された、ワイヤレスデバイス２０２／２９０２の前述の構成要素のうちの１つまたは複数であり得る。上述された方法の様々な動作は、様々なハードウェアおよび／もしくはソフトウェアの構成要素、回路、ならびに／またはモジュールなどの、動作を実行することが可能な任意の適切な手段によって実行される場合がある。概して、図に示されたいずれの動作も、その動作を実行することが可能な対応する機能的手段によって実行される場合がある。
【０１５４】
[00205]図３０は、例示的な装置３００２の中の様々な構成要素／手段の間のデータフローを示す概念データフロー図３０００である。装置３００２は、第１のＳＴＡ（たとえば、ステーション１１４、ステーション９０２）であり得る。装置３００２は、受信構成要素３００４と、送信構成要素３０１と、ＲＴＳ／ＣＴＳ構成要素３０１２と、決定構成要素３０１４と、検出構成要素３０１６とを含む。
【０１５５】
[00206]装置３００２／２０２は、受信構成要素３００４と送信構成要素３０１０とを介して、ＳＴＡ３０５０と通信している。ＲＴＳ／ＣＴＳ構成要素３０１２は、ＲＴＳ／ＣＴＳ手順に従って１つまたは複数のＲＴＳメッセージ３０４２を構築することができる。ＲＴＳ／ＣＴＳ構成要素３０１２は、送信構成要素３０１０にＲＴＳメッセージ３０４２を送る。送信構成要素３０１０は、ＳＴＡ３０５０にＲＴＳメッセージ３０４２を送信する。
【０１５６】
[00207]受信構成要素３００４は、ＳＴＡ３０５０から、ＲＴＳメッセージに応答する０個以上のＣＴＳメッセージ３０３２を受信し得る。受信構成要素３００４は、ＲＴＳ／ＣＴＳ構成要素３０１２にＣＴＳメッセージ３０３２を送る。ＲＴＳ／ＣＴＳ構成要素３０１２は、対応するＲＴＳ／ＣＴＳ情報３０３４を決定構成要素３０１４に送る。決定構成要素３０１４は、ＲＴＳ／ＣＴＳ情報３０３４に基づいて応答率を決定し得る。決定構成要素３０１４は、応答率がしきい値を満たすとき、検出構成要素３０１６に切替え情報３０３５を送る。切替え情報３０３５は、ポーリング手順を実施するようにＳＴＡ３０５０に要求するように示す。ポーリング手順は、データ送信を受信するための受信側の利用可能性を告知する。それに応じて、検出構成要素３０１６は、対応する第１の切替え要求３０３３を構築し、送信構成要素３０１０に第１の切替え要求３０３３を送る。送信構成要素３０１０は、ＳＴＡ３０５０に第１の切替え要求３０３３を送信する。第１の切替え要求３０３３は、ポーリング手順を実施するようにＳＴＡ３０５０に要求する。いくつかの構成では、第１の切替え要求３０３３は、装置３００２／２０２におけるチャネル負荷を含む。
【０１５７】
[00208]いくつかの構成では、ＲＴＳ／ＣＴＳ構成要素３０１２は、１つまたは複数のＲＴＳメッセージ３０４２が第１の数のＲＴＳメッセージを含むと決定する。ＲＴＳ／ＣＴＳ構成要素３０１２は、ＣＴＳメッセージ３０３２が第２の数のＣＴＳメッセージを含むと決定する。ＲＴＳ／ＣＴＳ情報３０３４は、第１の数および第２の数に関する情報を含む。決定構成要素３０１４は、第１の数および第２の数に基づいて応答率を決定する。
【０１５８】
[00209]いくつかの構成では、受信構成要素３００４は、ＳＴＡ３０５０から、ＳＴＡ３０５０がポーリング手順を実施することを示す第１の切替え承認３０４４を受信する場合がある。受信構成要素３００４は、検出構成要素３０１６に第１の切替え承認３０４４を送る。検出構成要素３０１６は、決定構成要素３０１４に承認を示す切替え情報３０３５を送る。
【０１５９】
[00210]その後、受信構成要素３００４は、ポーリング手順に従ってポーリングメッセージ３０４６を受信する場合がある。ポーリングメッセージは、ＳＴＡ３０５０がデータ送信に利用可能であることを示す。受信構成要素３００４は、決定構成要素３０１４にポーリングメッセージ３０４６を送る。決定構成要素３０１４は、ＳＴＡ３０５０にデータ３０４０を送信するように受信構成要素２９０４に命令するために、受信構成要素２９０４に送信命令３０４８を送る。
【０１６０】
[00211]いくつかの構成では、受信構成要素３００４は、ＳＴＡ３０５０から、ＲＴＳ／ＣＴＳ手順を実施するように装置３００２／２０２に要求する第２の切替え要求３０３７を受信する場合がある。第２の切替え要求３０３７は、ＳＴＡ３０５０におけるチャネル負荷を含む。受信構成要素３００４は、検出構成要素３０１６に第２の切替え要求３０３７を送る。それに応じて、検出構成要素３０１６は、決定構成要素３０１４にそのような要求を示す切替え情報３０３５を送る。決定構成要素３０１４は、ＳＴＡ３０５０におけるチャネル負荷と装置３００２／２０２におけるチャネル負荷との間の差がしきい値を満たすと決定する。決定構成要素３０１４は、要求の承認を示す切替え情報３０３５を検出構成要素３０１６に送る。検出構成要素３０１６は、対応する第２の切替え承認３０３８を構築し、受信構成要素３００４に第２の切替え承認３０３８を送る。受信構成要素３００４は、ＳＴＡ３０５０に、装置３００２／２０２がＲＴＳ／ＣＴＳ手順を実施することを示す第２の切替え承認３０３８を送信する。
【０１６１】
[00212]本装置は、図１１〜図２８の前述のフローチャート内のアルゴリズムのブロックの各々を実施する追加の構成要素を含み得る。そのため、図１１〜図２８の前述のフローチャート内の各ブロックは、１つの構成要素によって実施され得、本装置は、それらの構成要素のうちの１つまたは複数を含み得る。構成要素は、述べられたプロセス／アルゴリズムを遂行するように具体的に構成された１つもしくは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１６２】
[00213]ＲＴＳ／ＣＴＳ構成要素３０１２、決定構成要素３０１４、および検出構成要素３０１６は、図２に示されたＭＲＰ構成要素２２４を構成する場合がある。ＲＴＳ／ＣＴＳ構成要素３０１２、決定構成要素３０１４、および検出構成要素３０１６は、プロセッサ２０４、メモリ２０６、信号検出器２１８、ＤＳＰ２２０、および／またはユーザインターフェース２２２を利用し得る。受信構成要素３００４および送信構成要素３０１０は、プロセッサ２０４、メモリ２０６、信号検出器２１８、および／またはＤＳＰ２２０を利用する場合がある。トランシーバ２１４は、１つまたは複数のアンテナ２１６から信号を受信し、受信された信号から情報を抽出し、抽出された情報を受信構成要素３００４に供給する。加えて、トランシーバ２１４は、送信構成要素３０１０から情報を受信し、受信された情報に基づいて、１つまたは複数のアンテナ２１６に与えられるべき信号を生成する。
【０１６３】
[00214]一態様では、装置３００２／２０２は第１のＳＴＡであり得る。装置３００２／２０２は、図１１〜図２８に示された動作を実行するための手段を含むように構成される場合がある。より具体的には、装置３００２／２０２は、ＲＴＳ／ＣＴＳ手順に従って第２のＳＴＡに１つまたは複数のＲＴＳメッセージを送るための手段を含むように構成される場合がある。装置３００２／２０２は、第２のＳＴＡから、ＲＴＳメッセージに応答する０個以上のＣＴＳメッセージを受信するための手段を含むように構成される場合がある。装置３００２／２０２は、ＲＴＳメッセージおよびＣＴＳメッセージに基づいて応答率を決定するための手段を含むように構成される場合がある。装置３００２／２０２は、応答率がしきい値を満たすとき、第２のＳＴＡに第１の切替え要求を送るための手段を含むように構成される場合があり、第１の切替え要求は、ポーリング手順を実施するように第２のＳＴＡに要求し、ポーリング手順は、データ送信を受信するための受信側の利用可能性を告知する。
【０１６４】
[00215]いくつかの構成では、第１の切替え要求は、第１のＳＴＡにおけるチャネル負荷を含む。いくつかの構成では、１つまたは複数のＲＴＳメッセージは第１の数のＲＴＳメッセージを含む。０個以上のＣＴＳメッセージは第２の数のＣＴＳメッセージを含む。応答率は、第１の数および第２の数に基づいて決定される。
【０１６５】
[00216]いくつかの構成では、装置３００２／２０２は、第２のＳＴＡから、第２のＳＴＡがポーリング手順を実施することを示す第１の切替え承認を受信するための手段を含むように構成され得る。装置３００２／２０２は、ポーリング手順に従ってポーリングメッセージを受信するための手段を含むように構成され得る。ポーリングメッセージは、第２のＳＴＡがデータ送信に利用可能であることを示す。装置３００２／２０２は、ポーリングメッセージに応答して第２のＳＴＡにデータを送信するための手段を含むように構成され得る。
【０１６６】
[00217]いくつかの構成では、装置３００２／２０２は、第２のＳＴＡから、ＲＴＳ／ＣＴＳ手順を実施するように第１のＳＴＡに要求する第２の切替え要求を受信するための手段を含むように構成され得る。第２の切替え要求は、第２のＳＴＡにおけるチャネル負荷を含む。装置３００２／２０２は、第２のＳＴＡにおけるチャネル負荷と第１のＳＴＡにおけるチャネル負荷との間の差がしきい値を満たすと決定するための手段を含むように構成され得る。装置３００２／２０２は、第１のＳＴＡがＲＴＳ／ＣＴＳ手順を実施することを示す第２の切替え承認を第２のＳＴＡに送信するための手段を含むように構成され得る。
【０１６７】
[00218]前述の手段は、前述の手段によって列挙される機能を実施するように構成された、ワイヤレスデバイス２０２／３００２の前述の構成要素のうちの１つまたは複数であり得る。上述された方法の様々な動作は、様々なハードウェアおよび／もしくはソフトウェアの構成要素、回路、ならびに／またはモジュールなどの、動作を実行することが可能な任意の適切な手段によって実行される場合がある。概して、図に示されたいずれの動作も、その動作を実行することが可能な対応する機能的手段によって実行される場合がある。
【０１６８】
[00219]図３１は、例示的なワイヤレス通信デバイス３１０２の機能ブロック図３１００である。ワイヤレス通信デバイス３１０２は、受信機３１０５と、処理システム３１１０と、送信機３１１５とを含み得る。
【０１６９】
[00220]一構成では、ワイヤレス通信デバイス３１０２はＡＰである。受信機３１０５、処理システム３１１０、および／または送信機３１１５は、媒体予約手順を共同で使用してＡＰにデータを送信するように第１のＳＴＡおよび第２のＳＴＡに要求するように構成され得る。媒体予約手順はデータ送信用の媒体を予約する。媒体予約手順はＲＴＳ／ＣＴＳ手順を利用し得る。
【０１７０】
[00221]処理システム３１１０および／または送信機３１１５は、媒体予約手順を使用してＡＰにデータを送信するように第１のＳＴＡに命令するために、第１のＳＴＡを識別する第１のＳＴＡインジケータを送信するように構成され得る。処理システム３１１０および／または送信機３１１５は、媒体予約手順を使用してＡＰにデータを送信するように第２のＳＴＡに命令するために、第２のＳＴＡを識別する第２のＳＴＡインジケータを送信するように構成され得る。第１のＳＴＡインジケータおよび第２のＳＴＡインジケータは、フレームのＩＥに含まれ得る。
【０１７１】
[00222]処理システム３１１０および／または送信機３１１５は、媒体予約手順を使用してＡＰにデータを送信する第１の時間期間を指定する第１の時間インジケータを送信するように構成され得る。処理システム３１１０および／または送信機３１１５は、媒体予約手順を使用せずにＡＰにデータを送信する第２の時間期間を指定する第２の時間インジケータを選択的に送信するように構成され得る。処理システム３１１０および／または送信機３１１５は、媒体予約手順を共同で使用してＡＰにデータを送信するようにすべての受信側ＳＴＡに命令する共通ＳＴＡインジケータを送信するように構成される場合がある。
【０１７２】
[00223]処理システム３１１０は、データ受信時にそれらの各々からの干渉がＡＰに存在する複数のＳＴＡを識別するように構成され得る。処理システム３１１０は、ＡＰと通信しているＳＴＡに対する複数のＳＴＡの割合があらかじめ決定されたしきい値よりも大きいかどうかを決定するように構成される場合がある。共通ＳＴＡインジケータは、割合があらかじめ決定されたしきい値よりも大きいと決定することに応答して送信される。
【０１７３】
[00224]処理システム３１１０および／または送信機３１１５は、媒体予約手順を共同で使用してＡＰにデータを送信するように２つ以上のＳＴＡに要求するＡＰの能力を示す能力インジケータを送信するように構成され得る。処理システム３１１０および／または送信機３１１５は、インジケータ内で指定された測定期間内にＡＰにスループットメトリックを報告するようにＳＴＡに要求する報告インジケータを送信するように構成され得る。受信機３１０５および／または処理システム３１１０は、媒体予約手順を使用してデータを送信するように第１のＳＴＡと第２のＳＴＡの両方に命令するために、第１のＳＴＡから要求を受信するように構成され得る。
【０１７４】
[00225]処理システム３１１０は、データ受信時にそれからの干渉がＡＰに存在する第１のＳＴＡを識別するように構成され得る。処理システム３１１０は、第１のＳＴＡと共同で媒体予約手順を使用してＡＰにデータを送信する第２のＳＴＡを識別するように構成され得る。第１のＳＴＡを識別するために、処理システム３１１０は、第１のＳＴＡの隠れＳＴＡが存在するかどうかを決定するように構成され得る。隠れＳＴＡは、ＡＰにデータを送信し、第１のＳＴＡのデータ通信を妨害する。
【０１７５】
[00226]第１のＳＴＡの隠れＳＴＡが存在するかどうかを決定するために、受信機３１０５、処理システム３１１０、および／または送信機３１１５は、第１のＳＴＡから受信された第１のデータパケットの信号メトリックの変化、第１のＳＴＡから正しく受信されなかった第２のデータパケット内の１つもしくは複数のデータユニット、または第１のＳＴＡから受信されたパケットの推定ＰＥＲと測定ＰＥＲとの間の差のうちの少なくとも１つの指示を取得するように構成され得る。処理システム３１１０は、指示に基づいて、第１のＳＴＡの隠れＳＴＡが存在するかどうかを決定するように構成され得る。第１のＳＴＡの隠れＳＴＡが存在するかどうかを決定するために、受信機３１０５および／または処理システム３１１０は、第１のＳＴＡから報告を受信するように構成され得る。報告は、第１のＳＴＡのデータ通信を妨害する隠れＳＴＡの識別情報を含む。ＡＰは報告に基づいて第１のＳＴＡを識別する。
【０１７６】
[00227]第１のＳＴＡの隠れＳＴＡが存在するかどうかを決定するために、受信機３１０５および／または処理システム３１１０は、第１のＳＴＡから第１のデータパケットを受信するように構成され得る。受信機３１０５および／または処理システム３１１０は、第１のデータパケットの第１の位置において信号メトリックの第１の値を取得するように構成され得る。受信機３１０５および／または処理システム３１１０は、第１のデータパケットの第２の位置において信号メトリックの第２の値を取得するように構成され得る。処理システム３１１０は、第１の値と第２の値とを評価するように構成され得る。信号メトリックは、ＲＳＳＩ、推定チャネル係数、推定位相オフセット、推定周波数オフセット、または測定パイロットエラーベクトルの大きさのうちの少なくとも１つを含み得る。
【０１７７】
[00228]受信機３１０５、処理システム３１１０、および／または送信機３１１５は、第１のＳＴＡおよび第２のＳＴＡとの評価手順を開始するように構成され得る。評価手順は、ＡＰと、媒体予約手順を共同で使用する第１のＳＴＡおよび第２のＳＴＡとの間の、それぞれのデータ通信のスループットに関連付けられた評価結果を決定する。第１のＳＴＡおよび第２のＳＴＡに要求することは、評価結果に応答して実行される。評価手順を実行するために、受信機３１０５および／または処理システム３１１０は、第１の時間期間内に媒体予約手順を共同で使用する第１のＳＴＡおよび第２のＳＴＡからデータを受信するように構成され得る。受信機３１０５および／または処理システム３１１０は、第１の時間期間内に、それぞれ第１のＳＴＡおよび第２のＳＴＡから受信されたデータのスループットメトリックの第１の値を決定するように構成され得る。受信機３１０５および／または処理システム３１１０は、第２の時間期間内に媒体予約手順を使用せずに第１のＳＴＡおよび第２のＳＴＡからデータを受信するように構成され得る。処理システム３１１０は、第２の時間期間内に、それぞれ第１のＳＴＡおよび第２のＳＴＡから受信されたデータのスループットメトリックの第２の値を決定するように構成され得る。処理システム３１１０は、第１の値および第２の値に基づいて評価結果を決定するように構成され得る。
【０１７８】
[00229]一構成では、ワイヤレス通信デバイス３１０２はＳＴＡである。受信機３１０５および／または処理システム３１１０は、ＡＰから確認応答を受信するように構成され得る。確認応答はデータパケットの受信を確認応答する。受信機３１０５および／または処理システム３１１０は、確認応答を受信するより前のあらかじめ決定された時間期間に第１のＳＴＡにおいてデータパケットが受信されたかどうかを決定するように構成され得る。データパケットが受信されなかったと決定することに応答して、処理システム３１１０は、確認応答からソース識別情報と宛先識別情報とを取得するように構成され得る。ソース識別情報はＡＰに関連付けられる。宛先識別情報は第２のＳＴＡに関連付けられる。処理システム３１１０および／または送信機３１１５は、ＡＰに要求を送るように構成され得る。要求は、媒体予約手順を使用してデータを送信するように、第１のＳＴＡと第２のＳＴＡの両方に命令するようにＡＰに要求する。媒体予約手順はデータ送信用の媒体を予約する。
【０１７９】
[00230]受信機３１０５および／または処理システム３１１０は、確認応答内の指示を検出するように構成され得る。指示は、確認応答を送るより前のあらかじめ決定された時間期間に、ＡＰにおいてデータパケットが受信されたことを示す。データパケットが受信されたかどうかを決定することは、指示を検出することに応答して実行される。
【０１８０】
[00231]一構成では、ワイヤレス通信デバイス３１０２はＳＴＡである。受信機３１０５および／または処理システム３１１０は、ＡＰからＳＴＡインジケータを受信するように構成され得る。処理システム３１１０は、ＳＴＡインジケータがＳＴＡを識別するかどうかを決定するように構成され得る。ＳＴＡインジケータがＳＴＡを識別すると決定することに応答して、処理システム３１１０および／または送信機３１１５は、媒体予約手順を使用してＡＰにデータを送信するように構成され得る。媒体予約手順はデータ送信用の媒体を予約する。ＳＴＡインジケータは、フレームのＩＥに含まれ得る。受信機３１０５および／または処理システム３１１０は、フレームを受信し、ＳＴＡインジケータがＩＥ内に存在するかどうかを検出するように構成され得る。処理システム３１１０および／または送信機３１１５は、別のＳＴＡと共同で媒体予約手順を使用するＳＴＡの能力を示す能力インジケータを送信するように構成され得る。
【０１８１】
[00232]一構成では、ワイヤレス通信デバイス３１０２はＳＴＡである。受信機３１０５、処理システム３１１０、および／または送信機３１１５は、第２のＳＴＡにおいて受信された第１のデータパケットの信号メトリックの変化、第２のＳＴＡにおいて正しく受信されなかった第２のデータパケット内の１つもしくは複数のデータユニット、または第２のＳＴＡにおける推定ＰＥＲと測定ＰＥＲとの間の差のうちの少なくとも１つの指示を取得するように構成され得る。処理システム３１１０は、指示に基づいて、媒体予約手順を使用して第２のＳＴＡにデータを送信するべきかどうかを決定するように構成され得る。媒体予約手順はデータ送信用の媒体を予約する。媒体予約手順はＲＴＳ／ＣＴＳ手順を利用し得る。
【０１８２】
[00233]処理システム３１１０は、指示に基づいて、第２のＳＴＡとの評価手順を開始するべきかどうかを決定するように構成され得る。評価手順は、媒体予約手順を使用する第１のＳＴＡと第２のＳＴＡとの間のデータ通信のスループットに関連付けられた評価結果を決定する。データを送信するべきかどうかを決定することは、評価結果に応答して実行される。評価手順を実行するために、処理システム３１１０および／または送信機３１１５は、第１の時間期間内に媒体予約手順を使用して第２のＳＴＡに第１のデータを送信するように構成され得る。処理システム３１１０は、送信された第１のデータのスループットメトリックの第１の値を決定するように構成され得る。処理システム３１１０および／または送信機３１１５は、第２の時間期間内に媒体予約手順を使用せずに第２のＳＴＡに第２のデータを送信するように構成され得る。処理システム３１１０は、送信された第２のデータのスループットメトリックの第２の値を決定するように構成され得る。処理システム３１１０は、第１の値および第２の値に基づいて評価結果を決定するように構成され得る。スループットメトリックは、第１のＳＴＡまたは第２のＳＴＡのうちの１つまたは複数において決定された実際のスループットに基づき得る。スループットメトリックは、第１のＳＴＡにおいて決定された均等（equivalent）フルバッファスループットに基づき得る。
【０１８３】
[00234]信号メトリックの変化の指示を取得するために、受信機３１０５および／または処理システム３１１０は、第１のデータパケットの第１の位置において信号メトリックの第１の値を取得するように構成され得る。受信機３１０５および／または処理システム３１１０は、第１のデータパケットの第２の位置において信号メトリックの第２の値を取得するように構成され得る。処理システム３１１０は、第１の値および第２の値に基づいて信号メトリックの変化を決定するように構成され得る。信号メトリックは、ＲＳＳＩ、推定チャネル係数、推定位相オフセット、推定周波数オフセット、または測定パイロットエラーベクトルの大きさのうちの少なくとも１つを含み得る。
【０１８４】
[00235]１つまたは複数のデータユニットの指示を取得するために、処理システム３１１０および／または送信機３１１５は、第２のＳＴＡに少なくとも１つのデータユニットを含む第２のデータパケットを送信するように構成され得る。受信機３１０５および／または処理システム３１１０は、第２のＳＴＡから確認応答を受信するように構成され得る。確認応答は、第２のＳＴＡにおいて正しく受信されなかった少なくとも１つのデータユニットのうちの１つまたは複数のデータユニットの指示を含む。第２のデータパケットはＰＰＤＵを含み得る。少なくとも１つのデータユニットは複数のＭＰＤＵを含み得る。確認応答はブロック確認応答であり得る。指示は、第２のＳＴＡにおいて正しく受信された複数のＭＰＤＵのＭＰＤＵと、第２のＳＴＡにおいて正しく受信されなかった複数のＭＰＤＵのＭＰＤＵとを示し得る。評価手順を開始するように決定することは、第２のＳＴＡにおいて正しく受信されなかったＭＰＤＵの数、割合、または分布に基づき得る。
【０１８５】
[00236]推定ＰＥＲと測定ＰＥＲとの間の差の指示を取得するために、処理システム３１１０および／または送信機３１１５は、第２のＳＴＡに複数のデータパケットを送信するように構成され得る。受信機３１０５および／または処理システム３１１０は、複数のデータパケットのＰＥＲを測定することにより、測定ＰＥＲを決定するように構成され得る。処理システム３１１０は、第１のＳＴＡと第２のＳＴＡとの間の信号および雑音インジケータに基づいてＰＥＲを推定することにより、推定ＰＥＲを決定するように構成され得る。処理システム３１１０は、測定ＰＥＲおよび推定ＰＥＲに基づいて差を決定するように構成され得る。信号および雑音インジケータは信号対雑音比である。ＰＥＲを推定するために、受信機３１０５および／または処理システム３１１０は、第２のＳＴＡからＲＳＳＩを受信するように構成され得る。処理システム３１１０は、ＲＳＳＩに基づいて信号対雑音比を決定するように構成され得る。
【０１８６】
[00237]一構成では、ワイヤレス通信デバイス３１０２はＳＴＡである。処理システム３１１０および／または送信機３１１５は、媒体予約手順を使用して別のＳＴＡにデータパケットを送信するように構成され得る。媒体予約手順はデータ送信用の媒体を予約する。受信機３１０５、処理システム３１１０および／または送信機３１１５は、送信されたデータパケットに対する干渉の発生に関する測定値を決定するように構成され得る。処理システム３１１０は、測定値があらかじめ決定されたしきい値よりも大きいかどうかを決定するように構成され得る。測定値があらかじめ決定されたしきい値よりも大きいと決定することに応答して、受信機３１０５、処理システム３１１０、および／または送信機３１１５は、送信されたデータパケットに対する干渉の発生を低減する拡張手順を開始するように構成され得る。媒体予約手順はＲＴＳ／ＣＴＳ手順を利用し得る。
【０１８７】
[00238]拡張手順を実行するために、処理システム３１１０および／または送信機３１１５は、受信側ＳＴＡのＯＴＡ媒体占有率を低減するように受信側ＳＴＡに要求する要求を送信するように構成され得る。要求は、ＥＤＣＡパラメータを調整するように受信側ＳＴＡに命令し得る。要求は、１つまたは複数のサイレンス期間を維持するように受信側ＳＴＡに命令し得る。１つまたは複数のサイレンス期間は、少なくとも３つのサイレンス期間を含み得、周期的であり得る。
【０１８８】
[00239]拡張手順を実行するために、処理システム３１１０および／または送信機３１１５は、反復パターンで、媒体予約手順に従って別のＳＴＡに要求を送信するように構成され得る。媒体予約手順はデータ送信用の媒体を予約する。受信機３１０５および／または処理システム３１１０は、反復パターンで、媒体予約手順に従って別のＳＴＡから応答を受信するように構成され得る。媒体予約手順はＲＴＳ／ＣＴＳ手順を利用し得る。両方がそれぞれの反復パターンで、要求が送信される場合があり、応答が受信される。
【０１８９】
[00240]拡張手順を実行するために、処理システム３１１０および／または送信機３１１５は、媒体予約手順に従って別のＳＴＡに要求内の第１の電力インジケータを送信するように構成され得る。第１の電力インジケータは、媒体予約手順に従ってＳＴＡに応答を送信するために、別のＳＴＡにおいて使用されるべき送信電力を示す。受信機３１０５および／または処理システム３１１０は、第２のＳＴＡからの応答内で第２のインジケータを受信するように構成され得る。第２の電力インジケータは、媒体予約手順に従って別のＳＴＡに別の要求を送信するために、ＳＴＡにおいて使用されるべき送信電力を示す。
【０１９０】
[00241]媒体予約手順を使用して別のＳＴＡにデータパケットを送信することは、第１のデータレートで媒体予約手順に従って第１の要求を送信することを含み得る。拡張手順を実行するために、処理システム３１１０および／または送信機３１１５は、第１のデータレートよりも低い第２のデータレートで媒体予約手順に従って第２の要求を送信するように構成され得る。処理システム３１１０および／または送信機３１１５は、第２の要求が送信された同じ送信機会において、第２の要求を送信するより前に、第１のデータレートで媒体予約手順に従って第３の要求を送信するように構成され得る。
【０１９１】
[00242]一構成では、ワイヤレス通信デバイス３１０２は第１のＳＴＡである。受信機３１０５、処理システム３１１０、および／または送信機３１１５は、媒体予約手順またはポーリング手順のうちの１つを使用して、第２のＳＴＡとデータを通信するように構成され得る。媒体予約手順またはポーリング手順のうちの１つでは、受信機３１０５、処理システム３１１０、および／または送信機３１１５は、データ送信を開始するように構成され得る。媒体予約手順はデータ送信用の媒体を予約する。ポーリング手順は、データ送信を受信するための受信側の利用可能性を告知する。受信機３１０５、処理システム３１１０、および／または送信機３１１５は、第２のＳＴＡがデータ送信を開始することを可能にするために、切替え手順を開始するように構成され得る。
【０１９２】
[00243]処理システム３１１０は、媒体予約手順およびポーリング手順のうちの１つに従って、データ通信の応答率を決定するように構成され得る。切替え手順は応答率に応答して開始される。応答率を決定するために、処理システム３１１０および／または送信機３１１５は、媒体予約手順およびポーリング手順のうちの１つに従って、第２のＳＴＡにＭ個の要求を送信するように構成され得、Ｍは１よりも大きい整数である。受信機３１０５および／または処理システム３１１０は、媒体予約手順およびポーリング手順のうちの１つに従って、第２のＳＴＡからＮ個の応答を受信するように構成され得、Ｎは−１よりも大きい整数である。処理システム３１１０は、Ｎ／Ｍがあらかじめ決定された比よりも大きいかどうかを決定するように構成され得る。
【０１９３】
[00244]切替え手順を実行するために、処理システム３１１０および／または送信機３１１５は、第２のＳＴＡに切替え要求を送信するように構成され得る。受信機３１０５および／または処理システム３１１０は、第２のＳＴＡから切替え承認を受信するように構成され得る。受信機３１０５および／または処理システム３１１０は、媒体予約手順およびポーリング手順のうちの他の１つに従って、要求を受信するように構成され得る。切替え要求は、第１のＳＴＡにおけるチャネル負荷を含み得る。
【０１９４】
[00245]一構成では、ワイヤレス通信デバイス３１０２は第１のＳＴＡである。受信機３１０５、処理システム３１１０、および／または送信機３１１５は、媒体予約手順またはポーリング手順を使用して、第２のＳＴＡと通信するように構成され得る。媒体予約手順またはポーリング手順では、受信機３１０５、処理システム３１１０、および／または送信機３１１５は、第２のＳＴＡによって開始されたデータ送信に参加するように構成され得る。媒体予約手順はデータ送信用の媒体を予約する。ポーリング手順は、データ送信を受信するための受信側の利用可能性を告知する。受信機３１０５および／または処理システム３１１０は、第２のＳＴＡから切替え要求を受信するように構成され得る。処理システム３１１０および／または送信機３１１５は、第２のＳＴＡに切替え承認を送信するように構成され得る。受信機３１０５、処理システム３１１０、および／または送信機３１１５は、第１のＳＴＡの利用可能性に応じてデータ送信を開始するように構成され得る。切替え要求は、第２のＳＴＡにおけるチャネル負荷を含み得る。処理システム３１１０は、第１のＳＴＡにおけるチャネル負荷と第２のＳＴＡにおけるチャネル負荷との間の差があらかじめ決定されたしきい値よりも大きいかどうかを決定するように構成され得る。差があらかじめ決定されたしきい値よりも大きいと決定することに応答して、切替え承認が送信され、データ送信が開始される。
【０１９５】
[00246]データ通信は媒体予約手順を使用し得る。データ送信を開始するために、処理システム３１１０および／または送信機３１１５は、第１のＳＴＡの利用可能性に応じてポーリング手順に従って第２のＳＴＡに要求を送信するように構成され得る。受信機３１０５および／または処理システム３１１０は、第２のＳＴＡからデータを受信するように構成され得る。
【０１９６】
[00247]データ通信はポーリング手順を使用する場合がある。データ送信を開始するために、処理システム３１１０および／または送信機３１１５は、第１のＳＴＡの利用可能性に応じて媒体予約手順に従って第２のＳＴＡに要求を送信するように構成され得る。受信機３１０５および／または処理システム３１１０は、媒体予約手順に従って第２のＳＴＡから応答を受信するように構成され得る。
【０１９７】
[00248]その上、図１１〜図２８を参照して上述されたすべての動作を実行するための手段は、処理システム３１１０、受信機３１０５、および／または送信機３１１５を備える場合がある。
【０１９８】
[00249]上述された方法の様々な動作は、様々なハードウェアおよび／もしくはソフトウェアの構成要素、回路、ならびに／またはモジュールなどの、動作を実行することが可能な任意の適切な手段によって実行される場合がある。概して、図に示されたいずれの動作も、その動作を実行することが可能な対応する機能的手段によって実行される場合がある。
【０１９９】
[00250]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて実装または実行される場合がある。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装される場合もある。
【０２００】
[00251]１つまたは複数の態様では、記載された機能は、ハードウェア、ソフトウェア、ファームウェア、またはそれらの任意の組合せに実装される場合がある。ソフトウェアに実装される場合、機能は、１つまたは複数の命令またはコードとして、コンピュータ可読媒体上に記憶されるか、またはコンピュータ可読媒体を介して送信される場合がある。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用することができ、コンピュータによってアクセスすることができる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備える場合がある。
【０２０１】
[00252]本明細書で開示された方法は、記載された方法を実現するための１つまたは複数のステップまたはアクションを備える。方法のステップおよび／またはアクションは、特許請求の範囲から逸脱することなく、互いに交換される場合がある。言い換えれば、ステップまたはアクションの特定の順序が指定されていない限り、特定のステップおよび／またはアクションの順序および／または使用は、特許請求の範囲から逸脱することなく修正される場合がある。
【０２０２】
[00253]したがって、いくつかの態様は、本明細書に提示された動作を実行するためのコンピュータプログラム製品を備える場合がある。たとえば、そのようなコンピュータプログラム製品は、命令を記憶（および／または符号化）したコンピュータ可読媒体を備える場合があり、命令は、本明細書に記載された動作を実行するために１つまたは複数のプロセッサによって実行可能である。いくつかの態様の場合、コンピュータプログラム製品は、パッケージング材料を含む場合がある。
【０２０３】
[00254]ソフトウェアまたは命令は、伝送媒体を介して送信される場合もある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０２０４】
[00255]さらに、本明細書に記載された方法と技法とを実施するための構成要素、モジュール、および／または他の適切な手段は、適宜ユーザ端末および／または基地局によってダウンロードされ、および／またはオプションで取得され得ることを諒解されたい。たとえば、そのようなデバイスは、本明細書に記載された方法を実施するための手段の転送を容易にするためにサーバに結合され得る。代替として、本明細書に記載された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合または提供すると様々な方法を取得することができるように、記憶手段を介して提供され得る。その上、本明細書に記載された方法と技法とをデバイスに提供するための任意の他の適切な技法が利用され得る。
【０２０５】
[00256]特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われる場合がある。
【０２０６】
[00257]上記は本開示の態様を対象とするが、本開示の他の態様およびさらなる態様は、それらの基本的範囲から逸脱することなく考案される場合があり、それらの範囲は以下の特許請求の範囲によって決定される。
【０２０７】
[00258]以上の説明は、本明細書に記載された様々な態様をいかなる当業者も実践することが可能になるために提供される。これらの態様に対する様々な修正は当業者には容易に明らかであり、本明細書で定義された一般原理は他の態様に適用される場合がある。したがって、特許請求の範囲は、本明細書に示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られている、または後に知られることになる、本開示全体にわたって記載された様々な態様の要素のすべての構造的および機能的な等価物は、参照により本明細書に明確に組み込まれ、特許請求の範囲によって包含されるものである。その上、本明細書で開示されたものは、そのような開示が特許請求の範囲において明示的に列挙されているかどうかにかかわらず、公に供するものではない。いかなるクレーム要素も、その要素が「ための手段」という句を使用して明確に列挙されていない限り、または方法クレームの場合には、その要素が「ためのステップ」という句を使用して列挙されていない限り、米国特許法第１１２条（ｆ）の規定の下で解釈されるべきではない。
【図１】
2017531383.tif 000003
【図２】
2017531383.tif 000004
【図３】
2017531383.tif 000005
【図４】
2017531383.tif 000006
【図５】
2017531383.tif 000007
【図６】
2017531383.tif 000008
【図７】
2017531383.tif 000009
【図８】
2017531383.tif 000010
【図９】
2017531383.tif 000011
【図１０】
2017531383.tif 000012
【図１１】
2017531383.tif 000013
【図１２】
2017531383.tif 000014
【図１３】
2017531383.tif 000015
【図１４】
2017531383.tif 000016
【図１５】
2017531383.tif 000017
【図１６】
2017531383.tif 000018
【図１７】
2017531383.tif 000019
【図１８】
2017531383.tif 000020
【図１９】
2017531383.tif 000021
【図２０】
2017531383.tif 000022
【図２１】
2017531383.tif 000023
【図２２】
2017531383.tif 000024
【図２３】
2017531383.tif 000025
【図２４】
2017531383.tif 000026
【図２５】
2017531383.tif 000027
【図２６】
2017531383.tif 000028
【図２７】
2017531383.tif 000029
【図２８】
2017531383.tif 000030
【図２９】
2017531383.tif 000031
【図３０】
2017531383.tif 000032
【図３１】
2017531383.tif 000033
【国際調査報告】
2017531383.tif 000034
2017531383.tif 000035
2017531383.tif 000036
2017531383.tif 000037